(57)【要約】【課題】着用式電子デバイスに対する、そのデバイスの外向きセンサーを含むユーザジェスチャー入力を提供する。【解決手段】一実施例において、着用式装置は、センサー、センサーに連結されたプロセッサ、及びプロセッサによって実行可能なインストラクションを含み、プロセッサに連結されたメモリを含む。インストラクションを実行する時、プロセッサは、ユーザの腕の少なくとも一部の動きを、センサーによって検出し、動きの少なくとも一部に基づいて、ユーザによって行われるジェスチャーを検出し、ジェスチャーを着用式装置の入力としてプロセスする。【選択図】図１
2014102840.tif 000002
【特許請求の範囲】
【請求項１】
着用式装置において、
センサーと、
前記センサーに連結されたプロセッサと、
プロセッサによって実行可能なインストラクションを含み、前記プロセッサに連結されたメモリと、を含み、
前記プロセッサは、
ユーザの腕の少なくとも一部の動きを、前記センサーによって検出し、
前記動きの少なくとも一部に基づいて、前記ユーザによって行われるジェスチャーを検出し、
前記ジェスチャーを前記着用式装置の入力としてプロセスする着用式装置。
【請求項２】
前記着用式装置は、前記ユーザの他の腕に着用される請求項１に記載の着用式装置。
【請求項３】
前記腕の一部は、前記腕の手の少なくとも一部を含む請求項１に記載の着用式装置。
【請求項４】
前記手の一部は、少なくとも１本の指を含む請求項３に記載の着用式装置。
【請求項５】
前記プロセッサは、
前記ユーザの腕の少なくとも一部の動き不在を前記センサーによって検出し、
前記ユーザの腕の一部の動き不在の少なくとも一部に基づいて、前記ジェスチャーを検出するインストラクションを実行する時、さらに動作可能な請求項１に記載の着用式装置。
【請求項６】
前記プロセッサは、前記動きの期間（ｄｕｒａｔｉｏｎ）の少なくとも一部に基づいて、前記ジェスチャーを検出するインストラクションを実行する時、さらに動作可能な請求項１に記載の着用式装置。
【請求項７】
前記プロセッサは、
前記ユーザの腕の一部の不在（ａｂｓｅｎｃｅ）を、前記センサーによって検出し、
前記不在の少なくとも一部に基づいて、前記ジェスチャーを検出する請求項１に記載の着用式装置。
【請求項８】
前記プロセッサは、
前記ユーザの腕の一部のオリエンテーションを検出し、
前記オリエンテーションの少なくとも一部に基づいて、前記ジェスチャーを検出するインストラクションを実行する時、さらに動作可能な請求項１に記載の着用式装置。
【請求項９】
前記ユーザの腕の一部のオリエンテーション検出は、
前記ユーザの腕の一部の初期オリエンテーションを検出し、
前記ユーザの腕の一部の次のオリエンテーションを検出することを含む請求項８に記載の着用式装置。
【請求項１０】
他のセンサーをさらに含み、
前記プロセッサは、インストラクションを実行する時、
前記着用式装置の動きを、前記他のセンサーによって検出し、
前記着用式装置の前記動きの少なくとも一部に基づいて、前記ジェスチャーを検出するようにさらに動作可能な請求項１に記載の着用式装置。
【請求項１１】
前記プロセッサは、インストラクションを実行する時、前記着用式装置と関連したソフトウェアアプリケーションによって指定された設定の少なくとも一部に基づいて、前記ジェスチャーを検出するようにさらに動作可能な請求項１に記載の着用式装置。
【請求項１２】
前記動きはオブジェクトとの相互作用を示す動きを含み、
前記ユーザの腕の少なくとも一部の動き検出は、前記オブジェクトの動き検出を含み、
前記プロセッサは、前記オブジェクトの前記動きの少なくとも一部に基づいて、前記ジェスチャーを検出するように動作可能な請求項１に記載の着用式装置。
【請求項１３】
タッチ・センシティブ・ディスプレイ、前記タッチ・センシティブ・ディスプレイに対して回転自在なエレメント、及び前記回転自在なエレメントの回転を検出するエンコーダを含むデバイス本体と、
前記ユーザに前記デバイス本体を付着するためのバンドと、
前記タッチ・センシティブ・ディスプレイに通信可能に連結され、前記バンド内に、または前記バンド上にある光学センサーを含む前記センサーと、を含む請求項１に記載の着用式装置。
【請求項１４】
ソフトウェアを含んでいる１つ以上のコンピュータ可読非一時的記録媒体において、前記ソフトウェアが実行される時、
ユーザの腕の少なくとも一部の動きを前記センサーによって検出し、
前記動きの少なくとも一部に基づいて、前記ユーザによって行われるジェスチャーを検出し、
前記ジェスチャーを前記着用式コンピューティング・デバイスの入力としてプロセスするように動作可能な記録媒体。
【請求項１５】
方法において、
ユーザの腕の少なくとも一部の動きをセンサーによって検出する段階と、
前記動きの少なくとも一部に基づいて、前記ユーザによって行われるジェスチャーを、着用式コンピューティング・デバイスによって、検出する段階と、
前記ジェスチャーを前記着用式コンピューティング・デバイスの入力としてプロセスする段階と、を含む方法。
【発明の詳細な説明】
【技術分野】
【０００１】
本願は、2012年11月20日に出願された米国仮出願第61/728765号、2012年11月20日に出願された米国仮出願第61/728770号、2013年3月6日に出願された米国仮出願第61/773803号、2012年11月20日に出願された米国仮出願第61/728773号、2013年3月7日に出願された米国仮出願第61/773813号、2013年3月7日に出願された米国仮出願第61/773815号、2013年3月7日に出願された米国仮出願第61/773817号、2013年3月11日に出願された米国仮出願第61/775688号、2013年3月11日に出願された米国仮出願第61/775687号、2013年3月11日に出願された米国仮出願第61/775686号, 及び2013年8月30日に出願された米国出願第14/015909号に対する優先権を米国特許法(35U.S.C.)§119(e)下で主張し、これら仮出願は、参照によって本願に含まれる。
【０００２】
本明細書は、全般的に着用式電子デバイスに関する。
【背景技術】
【０００３】
モバイル電子デバイスは、ユーザが多様な場所の周辺で移動するときも、コンピューティング能力(computing  capabilities)に対するアクセス(access)をそのユーザに提供する。モバイル電子デバイスの例は、モバイルフォン、メディアプレーヤ、ラップトップ、タブレット、PDA、またはこのタイプの多数のデバイスが有する機能性を備えたハイブリッドデバイス(hybrid  device)を含む。
【０００４】
モバイル電子デバイスは、LAN(local  area  network)、WAN(wide  area  network)、セルラーネットワーク、インターネット、またはその他の適切なネットワークのような通信ネットワークの一部でありうる。モバイル電子デバイスは、例えば、遠隔保存されたデータにアクセスしたり、遠隔プロセッシングパワー(remote  processing  power)にアクセスしたり、遠隔ディスプレイにアクセスしたり、局所的に保存された(locally-stored)データを提供したり、ローカルプロセッシングパワーを提供したり、またはローカルディスプレイにアクセスするように、他の電子デバイスと通信するために、通信ネットワークを使用しうる。例えば、ネットワークは、ユーザがモバイル電子デバイスを経由して、アクセスしたり、活用することができるアプリケーション、コンテンツ及びサービスをホストすることができるサーバに、通信経路とリンクとを提供することができる。コンテンツは、テキスト、ビデオデータ、オーディオデータ、ユーザ設定、または他のタイプのデータを含むことができる。ネットワークは、モバイル電子デバイス間の通信を支援するために、例えば、ブルートゥース(bluetooth)、IEEE  WI-FI(802.11a/b/g/n/ac)、またはTCP/IPのようなすべての適切な通信プロトコル、または技術を使用しうる。
【発明の概要】
【発明が解決しようとする課題】
【０００５】
本発明が解決しようとする技術的課題は、着用式電子デバイスに対する、そのデバイスの外向きセンサーを含むユーザジェスチャー入力を提供することである。
【課題を解決するための手段】
【０００６】
前記技術的課題を解決するための本発明の一実施例の特徴は、センサー、前記センサーに連結されたプロセッサ、及びプロセッサによって実行可能なインストラクションを含み、前記プロセッサに連結されたメモリを含む着用式装置において、前記プロセッサは、ユーザの腕の少なくとも一部の動きを、前記センサーによって検出し、前記動きの少なくとも一部に基づいて、前記ユーザによって行われるジェスチャーを検出し、前記ジェスチャーを前記着用式装置の入力としてプロセスするように動作するものである。
【０００７】
前記技術的課題を解決するための本発明の他の実施例の特徴は、ソフトウェアを含んでいる１つ以上のコンピュータ可読非一時的（ｎｏｎ−ｔｒａｎｓｉｔｏｒｙ）記録媒体において、前記ソフトウェアが実行される時、ユーザの腕の少なくとも一部の動きを、前記センサーによって検出し、前記動きの少なくとも一部に基づいて、前記ユーザによって行われるジェスチャーを検出し、前記ジェスチャーを前記着用式コンピューティング・デバイスの入力としてプロセスするように動作するものである。
【０００８】
前記技術的課題を解決するための本発明のさらに他の実施例の特徴は、方法として、ユーザの腕の少なくとも一部の動きをセンサーによって検出する段階と、前記動きの少なくとも一部に基づいて、前記ユーザによって行われるジェスチャーを、着用式コンピューティング・デバイスによって、検出する段階と、前記ジェスチャーを前記着用式コンピューティング・デバイスの入力としてプロセスする段階と、を含むものである。
【図面の簡単な説明】
【０００９】
【図１】着用式電子デバイスの一実施例を示す図面である。
【図２】デバイスの積層例を示す図面である。
【図３Ａ】デバイスのフォームファクター例を示す図面である。
【図３Ｂ】デバイスのフォームファクター例を示す図面である。
【図３Ｃ】デバイスのフォームファクター例を示す図面である。
【図３Ｄ】デバイスのフォームファクター例を示す図面である。
【図３Ｅ】デバイスのフォームファクター例を示す図面である。
【図４Ａ】デバイス本体の断面図の例を示す図面である。
【図４Ｂ】デバイスのエレメント間の接続例を示す図面である。
【図４Ｃ】デバイスのエレメント間の接続例を示す図面である。
【図５Ａ】デバイスのディスプレイ例を示す図面である。
【図５Ｂ】デバイスのディスプレイ例を示す図面である。
【図５Ｃ】デバイスのディスプレイ例を示す図面である。
【図５Ｄ】デバイスのディスプレイ例を示す図面である。
【図５Ｅ】デバイスのディスプレイ例を示す図面である。
【図５Ｆ】デバイスのディスプレイ例を示す図面である。
【図６Ａ】デバイスディスプレイの断面図の例を示す図面である。
【図６Ｂ】デバイスディスプレイの断面図の例を示す図面である。
【図６Ｃ】デバイスディスプレイの断面図の例を示す図面である。
【図７Ａ】デバイスの本体周辺外側エレメントの例を示す図面である。
【図７Ｂ】デバイスの本体周辺外側エレメントの例を示す図面である。
【図７Ｃ】デバイスの本体周辺外側エレメントの例を示す図面である。
【図７Ｄ】デバイスの本体周辺外側エレメントの例を示す図面である。
【図８Ａ】デバイスの本体周辺外側エレメントの例を示す図面である。
【図８Ｂ】デバイスの本体周辺外側エレメントの例を示す図面である。
【図８Ｃ】デバイスの本体周辺外側エレメントの例を示す図面である。
【図９】デバイスの封止リングの例を示す図面である。
【図１０】デバイスの保持リングの例を示す図面である。
【図１１】デバイスを着用する多様な実施例を示す図面である。
【図１２Ａ】デバイス本体に付着したバンドを示す図面である。
【図１２Ｂ】デバイス本体に付着したバンドを示す図面である。
【図１３Ａ】デバイスのバンドをはめたり、または付着する実施例を示す図面である。
【図１３Ｂ】デバイスのバンドをはめたり、または付着する実施例を示す図面である。
【図１３Ｃ】デバイスのバンドをはめたり、または付着する実施例を示す図面である。
【図１３Ｄ】デバイスのバンドをはめたり、または付着する実施例を示す図面である。
【図１３Ｅ】デバイスのバンドをはめたり、または付着する実施例を示す図面である。
【図１３Ｆ】デバイスのバンドをはめたり、または付着する実施例を示す図面である。
【図１３Ｇ】デバイスのバンドをはめたり、または付着する実施例を示す図面である。
【図１３Ｈ】デバイスのバンドをはめたり、または付着する実施例を示す図面である。
【図１３Ｉ】デバイスのバンドをはめたり、または付着する実施例を示す図面である。
【図１４Ａ】デバイス上のカメラの例示的配置を示す図面である。
【図１４Ｂ】デバイス上のカメラの例示的配置を示す図面である。
【図１４Ｃ】デバイス上のカメラの例示的配置を示す図面である。
【図１４Ｄ】デバイス上のカメラの例示的配置を示す図面である。
【図１５】バンドと光学センサーとを備えた例示的デバイスを示す図面である。
【図１６】ユーザ、デバイス及びオブジェクトを含む三角形の例を示す図面である。
【図１７】デバイスの光学センサーに対する視野角の例を示す図面である。
【図１８Ａ】デバイス内の光学センサーの例を示す図面である。
【図１８Ｂ】デバイス内の光学センサーの例を示す図面である。
【図１９】デバイスのセンサー検出システムの例を示す図面である。
【図２０Ａ】デバイスと共に動作する充電器の例を示す図面である。
【図２０Ｂ】デバイスと共に動作する充電器の例を示す図面である。
【図２０Ｃ】デバイスと共に動作する充電器の例を示す図面である。
【図２１Ａ】デバイスと共に動作する充電器の例を示す図面である。
【図２１Ｂ】デバイスと共に動作する充電器の例を示す図面である。
【図２２Ａ】デバイスと共に動作する充電ユニットの例を示す図面である。
【図２２Ｂ】デバイスと共に動作する充電ユニットの例を示す図面である。
【図２３】デバイスと共に動作する充電ユニットのための充電計画の例を示す図面である。
【図２４】デバイスと共に動作する充電ユニットのための充電計画の例を示す図面である。
【図２５Ａ】デバイスと充電ユニットで、エネルギー保存と充電との実施例を示す図面である。
【図２５Ｂ】デバイスと充電ユニットで、エネルギー保存と充電との実施例を示す図面である。
【図２５Ｃ】デバイスと充電ユニットで、エネルギー保存と充電との実施例を示す図面である。
【図２５Ｄ】デバイスと充電ユニットで、エネルギー保存と充電との実施例を示す図面である。
【図２５Ｅ】デバイスと充電ユニットで、エネルギー保存と充電との実施例を示す図面である。
【図２６】充電ユニット構造の例を示す図面である。
【図２７】デバイスと共に使用するためのジェスチャーの例を示す図面である。
【図２８】デバイスと共に使用するためのジェスチャーの例を示す図面である。
【図２９】デバイスと共に使用するためのジェスチャーの例を示す図面である。
【図３０】デバイスと共に使用するためのジェスチャーの例を示す図面である。
【図３１】デバイスと共に使用するためのジェスチャーの例を示す図面である。
【図３２】デバイスと共に使用するためのジェスチャーの例を示す図面である。
【図３３】デバイスと共に使用するためのジェスチャーの例を示す図面である。
【図３４】デバイスと共に使用するためのジェスチャーの例を示す図面である。
【図３５】デバイスと共に使用するためのジェスチャーの例を示す図面である。
【図３６】デバイスと共に使用するためのジェスチャーの例を示す図面である。
【図３７】デバイスと共に使用するためのジェスチャーの例を示す図面である。
【図３８】デバイスと共に使用するためのジェスチャーの例を示す図面である。
【図３９】デバイスと共に使用するためのジェスチャーの例を示す図面である。
【図４０】デバイスと共に使用するためのジェスチャーの例を示す図面である。
【図４１】デバイスと共に使用するためのジェスチャーの例を示す図面である。
【図４２】デバイスと共に使用するためのジェスチャーの例を示す図面である。
【図４３】デバイスと共に使用するためのジェスチャーの例を示す図面である。
【図４４】デバイスと共に使用するためのジェスチャーの例を示す図面である。
【図４５】デバイスと共に使用するためのジェスチャーの例を示す図面である。
【図４６】デバイスと共に使用するためのジェスチャーの例を示す図面である。
【図４７】デバイスと共に使用するためのジェスチャーの例を示す図面である。
【図４８】デバイスと共に使用するためのジェスチャーの例を示す図面である。
【図４９】デバイスと共に使用するためのジェスチャーの例を示す図面である。
【図５０】デバイスと共に使用するためのジェスチャーの例を示す図面である。
【図５１】デバイスと共に使用するためのジェスチャーの例を示す図面である。
【図５２】デバイスと共に使用するためのジェスチャーの例を示す図面である。
【図５３】デバイスと共に使用するためのジェスチャーの例を示す図面である。
【図５４】デバイスと共に使用するためのジェスチャーの例を示す図面である。
【図５５】デバイスと共に使用するためのジェスチャーの例を示す図面である。
【図５６】デバイスと共に使用するためのジェスチャーの例を示す図面である。
【図５７】デバイスと共に使用するためのジェスチャーの例を示す図面である。
【図５８】デバイスと共に使用するためのジェスチャーの例を示す図面である。
【図５９】デバイスと共に使用するためのジェスチャーの例を示す図面である。
【図６０】デバイスと共に使用するためのジェスチャーの例を示す図面である。
【図６１】デバイスと共に使用するためのジェスチャーの例を示す図面である。
【図６２】デバイスと共に使用するためのジェスチャーの例を示す図面である。
【図６３】デバイスと共に使用するためのジェスチャーの例を示す図面である。
【図６４】デバイスと共に使用するためのジェスチャーの例を示す図面である。
【図６５】デバイスと共に使用するためのジェスチャーの例を示す図面である。
【図６６】デバイスと共に使用するためのジェスチャーの例を示す図面である。
【図６７】デバイスと共に使用するためのジェスチャーの例を示す図面である。
【図６８】デバイスと共に使用するためのジェスチャーの例を示す図面である。
【図６９】デバイスと共に使用するためのジェスチャーの例を示す図面である。
【図７０】デバイスと共に使用するためのジェスチャーの例を示す図面である。
【図７１】デバイスと共に使用するためのジェスチャーの例を示す図面である。
【図７２】デバイスと共に使用するためのジェスチャーの例を示す図面である。
【図７３】デバイスと共に使用するためのジェスチャーの例を示す図面である。
【図７４】デバイスと共に使用するためのジェスチャーの例を示す図面である。
【図７５】デバイスと共に使用するためのジェスチャーの例を示す図面である。
【図７６】デバイスと共に使用するためのジェスチャーの例を示す図面である。
【図７７】デバイスと共に使用するためのジェスチャーの例を示す図面である。
【図７８】デバイスと共に使用するためのジェスチャーの例を示す図面である。
【図７９】デバイスと共に使用するためのジェスチャーの例を示す図面である。
【図８０】デバイスと共に使用するためのジェスチャーの例を示す図面である。
【図８１】デバイスと共に使用するためのジェスチャーの例を示す図面である。
【図８２】デバイスと共に使用するためのジェスチャーの例を示す図面である。
【図８３】デバイスと共に使用するためのジェスチャーの例を示す図面である。
【図８４】デバイスと共に使用するためのジェスチャーの例を示す図面である。
【図８５】デバイスと共に使用するためのジェスチャーの例を示す図面である。
【図８６】デバイスと共に使用するためのジェスチャーの例を示す図面である。
【図８７】デバイスと共に使用するためのジェスチャーの例を示す図面である。
【図８８】デバイスと共に使用するためのジェスチャーの例を示す図面である。
【図８９】デバイスと共に使用するためのジェスチャーの例を示す図面である。
【図９０】デバイスと共に使用するためのジェスチャーの例を示す図面である。
【図９１】デバイスと共に使用するためのジェスチャーの例を示す図面である。
【図９２】デバイスと共に使用するためのジェスチャーの例を示す図面である。
【図９３Ａ】デバイスに対するユーザ入力の例を示す図面である。
【図９３Ｂ】デバイスに対するユーザ入力の例を示す図面である。
【図９４Ａ】デバイスに対するユーザ入力の例を示す図面である。
【図９４Ｂ】デバイスに対するユーザ入力の例を示す図面である。
【図９４Ｃ】デバイスに対するユーザ入力の例を示す図面である。
【図９５Ａ】デバイスに対するユーザタッチ入力の例を示す図面である。
【図９５Ｂ】デバイスに対するユーザタッチ入力の例を示す図面である。
【図９５Ｃ】デバイスに対するユーザタッチ入力の例を示す図面である。
【図９５Ｄ】デバイスに対するユーザタッチ入力の例を示す図面である。
【図９６Ａ】デバイスのグラフィックユーザインターフェースモデルの例を示す図面である。
【図９６Ｂ】デバイスのグラフィックユーザインターフェースモデルの例を示す図面である。
【図９７】デバイスのグラフィックユーザインターフェースモデルの例を示す図面である。
【図９８Ａ】デバイスのグラフィックユーザインターフェースモデルの例を示す図面である。
【図９８Ｂ】デバイスのグラフィックユーザインターフェースモデルの例を示す図面である。
【図９８Ｃ】デバイスのグラフィックユーザインターフェースモデルの例を示す図面である。
【図９８Ｄ】デバイスのグラフィックユーザインターフェースモデルの例を示す図面である。
【図９８Ｅ】デバイスのグラフィックユーザインターフェースモデルの例を示す図面である。
【図９８Ｆ】デバイスのグラフィックユーザインターフェースモデルの例を示す図面である。
【図９８Ｇ】デバイスのグラフィックユーザインターフェースモデルの例を示す図面である。
【図９９】デバイスのグラフィックユーザインターフェースモデルの例を示す図面である。
【図１００Ａ】デバイスのグラフィックユーザインターフェースモデルの例を示す図面である。
【図１００Ｂ】デバイスのグラフィックユーザインターフェースモデルの例を示す図面である。
【図１００Ｃ】デバイスのグラフィックユーザインターフェースモデルの例を示す図面である。
【図１０１Ａ】デバイスのグラフィックユーザインターフェースの例示的スクリーンを示す図面である。
【図１０１Ｂ】デバイスのグラフィックユーザインターフェースの例示的スクリーンを示す図面である。
【図１０２Ａ】デバイスのグラフィックユーザインターフェースの例示的スクリーンを示す図面である。
【図１０２Ｂ】デバイスのグラフィックユーザインターフェースの例示的スクリーンを示す図面である。
【図１０２Ｃ】デバイスのグラフィックユーザインターフェースの例示的スクリーンを示す図面である。
【図１０２Ｄ】デバイスのグラフィックユーザインターフェースの例示的スクリーンを示す図面である。
【図１０３Ａ】デバイスのグラフィックユーザインターフェースの例示的スクリーンを示す図面である。
【図１０３Ｂ】デバイスのグラフィックユーザインターフェースの例示的スクリーンを示す図面である。
【図１０３Ｃ】デバイスのグラフィックユーザインターフェースの例示的スクリーンを示す図面である。
【図１０３Ｄ】デバイスのグラフィックユーザインターフェースの例示的スクリーンを示す図面である。
【図１０４】デバイスのグラフィックユーザインターフェースの例示的メニューを示す図面である。
【図１０５Ａ】デバイスのグラフィックユーザインターフェースの例示的メニューを示す図面である。
【図１０５Ｂ】デバイスのグラフィックユーザインターフェースの例示的メニューを示す図面である。
【図１０５Ｃ】デバイスのグラフィックユーザインターフェースの例示的メニューを示す図面である。
【図１０５Ｄ】デバイスのグラフィックユーザインターフェースの例示的メニューを示す図面である。
【図１０６Ａ】デバイスのグラフィックユーザインターフェースの例示的メニューを示す図面である。
【図１０６Ｂ】デバイスのグラフィックユーザインターフェースの例示的メニューを示す図面である。
【図１０６Ｃ】デバイスのグラフィックユーザインターフェースの例示的メニューを示す図面である。
【図１０７Ａ】デバイスのグラフィックユーザインターフェースの例示的メニューを示す図面である。
【図１０７Ｂ】デバイスのグラフィックユーザインターフェースの例示的メニューを示す図面である。
【図１０７Ｃ】デバイスのグラフィックユーザインターフェースの例示的メニューを示す図面である。
【図１０８】デバイスのグラフィックユーザインターフェースの例示的メニューを示す図面である。
【図１０９Ａ】デバイスのグラフィックユーザインターフェースの例示的メニューを示す図面である。
【図１０９Ｂ】デバイスのグラフィックユーザインターフェースの例示的メニューを示す図面である。
【図１０９Ｃ】デバイスのグラフィックユーザインターフェースの例示的メニューを示す図面である。
【図１１０Ａ】デバイスのグラフィックユーザインターフェース内のスクローリングの例を示す図面である。
【図１１０Ｂ】デバイスのグラフィックユーザインターフェース内のスクローリングの例を示す図面である。
【図１１１Ａ】デバイスのグラフィックユーザインターフェース内のスクローリングの例を示す図面である。
【図１１１Ｂ】デバイスのグラフィックユーザインターフェース内のスクローリングの例を示す図面である。
【図１１１Ｃ】デバイスのグラフィックユーザインターフェース内のスクローリングの例を示す図面である。
【図１１２】デバイスのグラフィックユーザインターフェース内のオーバレイ及び背景コンテンツの例を示す図面である。
【図１１３Ａ】デバイスのグラフィックユーザインターフェース内のオーバレイ及び背景コンテンツの例を示す図面である。
【図１１３Ｂ】デバイスのグラフィックユーザインターフェース内のオーバレイ及び背景コンテンツの例を示す図面である。
【図１１３Ｃ】デバイスのグラフィックユーザインターフェース内のオーバレイ及び背景コンテンツの例を示す図面である。
【図１１４Ａ】デバイスのグラフィックユーザインターフェース内の視覚的転移効果の例を示す図面である。
【図１１４Ｂ】デバイスのグラフィックユーザインターフェース内の視覚的転移効果の例を示す図面である。
【図１１５Ａ】デバイスのグラフィックユーザインターフェース内の視覚的転移効果の例を示す図面である。
【図１１５Ｂ】デバイスのグラフィックユーザインターフェース内の視覚的転移効果の例を示す図面である。
【図１１６Ａ】デバイスのグラフィックユーザインターフェース内の視覚的転移効果の例を示す図面である。
【図１１６Ｂ】デバイスのグラフィックユーザインターフェース内の視覚的転移効果の例を示す図面である。
【図１１７Ａ】デバイスのグラフィックユーザインターフェース内の視覚的転移効果の例を示す図面である。
【図１１７Ｂ】デバイスのグラフィックユーザインターフェース内の視覚的転移効果の例を示す図面である。
【図１１８Ａ】デバイスのグラフィックユーザインターフェース内の視覚的転移効果の例を示す図面である。
【図１１８Ｂ】デバイスのグラフィックユーザインターフェース内の視覚的転移効果の例を示す図面である。
【図１１８Ｃ】デバイスのグラフィックユーザインターフェース内の視覚的転移効果の例を示す図面である。
【図１１９Ａ】デバイスのグラフィックユーザインターフェース内の視覚的転移効果の例を示す図面である。
【図１１９Ｂ】デバイスのグラフィックユーザインターフェース内の視覚的転移効果の例を示す図面である。
【図１１９Ｃ】デバイスのグラフィックユーザインターフェース内の視覚的転移効果の例を示す図面である。
【図１２０Ａ】デバイスのグラフィックユーザインターフェース内の視覚的転移効果の例を示す図面である。
【図１２０Ｂ】デバイスのグラフィックユーザインターフェース内の視覚的転移効果の例を示す図面である。
【図１２０Ｃ】デバイスのグラフィックユーザインターフェース内の視覚的転移効果の例を示す図面である。
【図１２１Ａ】デバイスのグラフィックユーザインターフェース内の視覚的転移効果の例を示す図面である。
【図１２１Ｂ】デバイスのグラフィックユーザインターフェース内の視覚的転移効果の例を示す図面である。
【図１２２】デバイスのグラフィックユーザインターフェース内の物理モデルの使用例を示す図面である。
【図１２３】デバイスのグラフィックユーザインターフェースの例示的スクリーンを示す図面である。
【図１２４】デバイスのグラフィックユーザインターフェースの例示的スクリーンを示す図面である。
【図１２５】デバイスの自動カメラ活性化のための例示的方法を示す図面である。
【図１２６】デバイスによる委任方法の例を示す図面である。
【図１２７】デバイスを含む例示的委任モデルを示す図面である。
【図１２８】デバイスによる委任方法の例を示す図面である。
【図１２９Ａ】デバイスのモード例を示す図面である。
【図１２９Ｂ】デバイスのモード例を示す図面である。
【図１２９Ｃ】デバイスのモード例を示す図面である。
【図１２９Ｄ】デバイスのモード例を示す図面である。
【図１３０】デバイスのモード例を示す図面である。
【図１３１Ａ】デバイスのモード例を示す図面である。
【図１３１Ｂ】デバイスのモード例を示す図面である。
【図１３１Ｃ】デバイスのモード例を示す図面である。
【図１３１Ｄ】デバイスのモード例を示す図面である。
【図１３２】拡張現実機能をデバイスに提供する例示的方法を示す図面である。
【図１３３】デバイスが動作可能な例示的ネットワーク環境を示す図面である。
【図１３４】デバイスとターゲットデバイスとをペアリングする例を示す図面である。
【図１３５】デバイスをターゲットデバイスとペアリングする例示的方法を示す図面である。
【図１３６】デバイスのグラフィックユーザインターフェースの例示的スクリーンを示す図面である。
【図１３７】デバイスを含む例示的コンピュータシステムを示す図面である。
【発明を実施するための形態】
【００１０】
図1は、着用式電子デバイス100の一例を示す。デバイス100は、該デバイス100の回路、構造及びディスプレイのうちの一部、または全部を収容する本体105を含む。例えば、本体105は、デバイス100のプロセッシングコンポーネント(processing  component)、データ保存コンポーネント、メモリ、センサー、配線、または通信コンポーネントのうちの一部、または全部を含むことができる。特定の実施例において、デバイス100は、ディスプレイを含むことができる。ディスプレイは、例えば、円形ディスプレイ110によって例示されたように、円形のような任意の適切な形状、または形を取ることができる。本明細書に使われたように、適切な場合に、“円形ディスプレイ”は、実質的(substantial)円形ディスプレイ、または円形と類似したディスプレイ(circular-like  display;例えば、楕円形ディスプレイ)を含む。特定の実施例において、デバイス100は、ディスプレイの周囲にエレメントを含むことができる。本明細書で使われたように、ディスプレイの周囲のエレメントは、ディスプレイ、または本体(この本体の上または内にディスプレイが置かれる)を取り囲む回転型エレメント(rotatable  element)を含む。一例として、エレメントは、円形ディスプレイ110の周囲の外郭リング115である。特定の実施例において、ディスプレイ周辺のこのエレメントは、ディスプレイ、または本体に相対的に移動することができる。例えば、外郭リング115は、以下でさらに詳細に説明されるように、デバイス100の本体に相対的に回転する。特定の実施例において、デバイス100は、本体105に付着したバンド120を含むことができる。特定の実施例において、デバイス100は、例えばカメラモジュール125のようなセンサーモジュールを含むことができる。カメラモジュール125は、さらに詳細に後述されるように、本体105、またはバンド125の内部、または表面に付着されるカメラを収容する。
【００１１】
着用式電子デバイスの特定の実施例は、スタックアップ(stack-up)を含み、このスタックアップを通じてプロセッシング及びディスプレイシステムの一部、または全部がそのデバイスの本体内に収容される。該本体は、ユーザをしてデバイスと相互作用させる少なくとも１つの方法を提供する外郭リングのようなエレメントによって取り囲まれてもよい。追加して、または代案として、特定の実施例は、詳細に後述されるように、追加的機能性のためにバンドに一体化される外部コンポーネントを含むことができる。図2は、着用式電子デバイスのスタックアップ200の例を示す。図2に示されたように、スタックアップ200の一部、またはすべてのコンポーネントは、デバイスの形態(図2の例では、円形)を採択することができる。スタックアップ200は、保護ガラス(または、他の適切な透明固体材料)の層205を含むことができる。他のコンポーネントは、保護ガラス205に積層されたり、基台(base)245に付着される。追加して、または代案として、保護層205は、外郭リング235、またはデバイス本体の任意の他の適切なコンポーネントに機械的に連結されてもよい。保護ガラス205の真下には、タッチ・センシティブ・レイヤ210が位置しうる。タッチ・センシティブ・レイヤ210は、任意の適切な材料で構成され、また、例えば、抵抗性、表面弾性波、容量性(相互容量性、または自己容量性を含む)、赤外、光学、分散性(dispersive)、またはその他の適切なタイプのような任意の適切なタイプである。タッチ・センシティブ・レイヤ210は、保護ガラス205に直接塗布されたり、保護ガラス205上に積層されたり、または物理的に付着される。タッチ・センシティブ・レイヤ210は、完全な2次元タッチ表面であるか、またはタッチ・センシティブ領域(例えば、多数の容量性ボタン、または領域)で構成されてもよい。タッチ・センシティブ・レイヤ210は、詳細に後述されるように、タッチ表面の縁部で可撓性(flexible)コネクタを通じてプロセッシングボード225に連結されてもよい。
【００１２】
円形ディスプレイ215は、タッチ・センシティブ・レイヤ210の下に位置しうる。円形ディスプレイ215は、任意の先行または先立つ層に積層されたり、機械的に付着される。特定の実施例において、積層は、内部反射を減少させ、グレア(glare)を減少させて、ディスプレイ視認性(display  legibility)を改善することができる。以下で詳細に説明されるように、ディスプレイ215は、対称、または非対称である外郭不活性領域を有することがある。ディスプレイ215は、視覚的に対称である表示(presentation)のために保護層205に対して同軸になるように位置してもよい。ディスプレイ215は、例えば、LED(light-emitting  diode)、OLED(organic  light  emitting  diode)、またはLCD(liquid  crystal  display)のような任意の適切なタイプである。特定の実施例において、ディスプレイ215は、可撓性である。特定の実施例において、ディスプレイ215は、部分透明でありうる。特定の実施例において、ディスプレイ215は、半透明である。
【００１３】
ディスプレイ215の下にバッテリー220が位置し、特定の実施例において、バッテリーは、基台245の直径がバッテリーのサイズに影響を与えずに、縮小可能に位置してもよい。バッテリー220は、例えば、リチウム-イオン基盤のような任意の適切なタイプである。バッテリー220は、デバイスの円形を採択したり、または任意の他の適切な形状(例えば、図示されたように、長方形)を採択することができる。特定の実施例において、バッテリー220は、デバイス内で浮上している。例えば、熱膨張を勘案して、バッテリー上下、または周囲に空間があり得る。特定の実施例において、例えば、触覚アクチュエータ(haptic  actuator)、またはその他の電子部品のように高い高さのコンポーネントは、コンポーネントの最適パッキングのために、バッテリー縁部を越えて付加空間(additional  area)に位置してもよい。特定の実施例において、プロセッシングボード225からのコネクタは、デバイスの全高を減少させるために、この付加空間に配置されてもよい。
【００１４】
バッテリー220の下に、プロセッシングボード225が位置しうる。プロセッシングボード225は、例えば、１つ以上のプロセッシングユニット、ドライブユニット、感知ユニット、キャッシュ(cache)、メモリエレメント、または集積回路のような任意の適切なコンポーネントを含みうる。プロセッシングボード225は、１つ以上のプロセッシングボードコンポーネントの温度を監視して制御するために、１つ以上の熱センサー、または冷却ユニット(例えば、ファン)を含むことができる。特定の実施例において、デバイスの本体105は、ヒートシンクとして動作することができる。
【００１５】
プロセッシングボードの下に、１つ以上の外郭リング235によって取り囲まれたエンコーダ230が位置しうる。以下で詳細に説明されるように、エンコーダ230は、任意の適切なタイプであり、外郭リング235の一部、または図2に図示されたように、個別コンポーネントでありうる。特定の実施例において、外郭リング235は、該外郭リング戻り止めの触覚(haptic  feel  of  detent  of  the  outerring)を提供したり、またはその外郭リング235の位置感知を提供することができる。エンコーダ230が、図2に例示されたように、デバイス本体と分離された機械的エンコーダであれば、エンコーダは、外郭リング235を支持することができる。例えば、特定の実施例において、エンコーダ230は、基台245に搭載され、基台245、またはバンド240との連結は、エンコーダの一部(例えば、エンコーダの中央部)を貫くことができる。特定の実施例において、プロセッシングボード225とその上の１つ以上の層は、エンコーダ230を貫く中央柱に付着される。デバイスのコンポーネントに作用する機械的力は、該柱に転移されることがあるので、プロセッシングボードとディスプレイのようなコンポーネントは、エンコーダではない、柱によって支持され、エンコーダに作用するストレイン(strain)が減少する。特定の実施例において、外郭リング235は、エンコーダの可動部(movable  portion)に分枝(prong)、またはその他の適切な連結を通じて付着する。
【００１６】
デバイス本体は、基台245でもって仕上げられる。基台245は、デバイスの１つ以上の回転型コンポーネント(例えば、外郭リング235)に対して固定されてもよい。基台245は、詳細に後述されるように、バンド240に連結される。連結は、例えば、有線通信コンポーネントをプロセッシングボード225にリンクする回路の一部のように機械的であるか、電気的でありうる。特定の実施例において、コネクタは、エンコーダ及びバンド用アンカーポイント(anchor  point)を回避するように位置される。特定の実施例において、バンド240は、基台245に着脱自在に設けられる。以下で詳細に説明されるように、バンド240は、１つ以上の内部コネクタ250、１つ以上の光学感知モジュール255、または１つ以上の他のセンサーを含むことができる。特定の実施例において、デバイスの内部、またはその内部の一部は、外部環境から密封されてもよい。
【００１７】
本明細書は、着用式電子デバイス100のスタックアップ200内コンポーネントの特定例、及びかようなコンポーネントの形状、大きさ、順序、接続及び機能性についての特定例を説明しているが、本明細書は、デバイス100のような着用式電子デバイスが任意の適切な方式で連結または通信する任意の適切な形状、大きさ、順序の適切なコンポーネントを含むことができるとする。単に一例として、バッテリー220は、図2の例示よりも、スタックアップの底に向かって配置されてもよい。他の例として、デバイス本体は、任意の適切なフォームファクターを取ることができる。例えば、フォームファクターは、図3Ａの例で図示したように、楕円形またはディスク型、図3Ｂの例で図示したように、一端がテーパ状、または傾斜した縁部315を例示する図3Ｃ〜図3Ｄの例で図示したように、１つ以上の縁部が傾斜したり、丸状でありうる。図3Ｅは、デバイス本体のフォームファクターの例を追加的に例示する。例えば、例示的本体320A〜Eは、平坦な保護カバーリングやディスプレイ、または湾曲した保護カバーリングやディスプレイを備えた多角状である。他の例として、本体325A〜Dは、平坦な保護カバーリングやディスプレイ、または湾曲した保護カバーリングやディスプレイを備えた部分湾曲状である。本体330A〜Cは、湾曲状である。デバイス本体の１つ以上の内部コンポーネント(例えば、１つ以上の内部コンポーネント)は、該コンポーネントが置かれる本体に適した任意のフォームファクターを取ることができる。
【００１８】
図4Ａは、デバイス本体の断面の例を示す。図示されたように、デバイス本体の幅はD1(例えば、略43mm)である。特定の実施例において、外郭リングとOLEDディスプレイとの間に若干の間隙D4(例えば、最大0.3mm)があり得る。同様に、外郭リングとガラス保護カバーリング(例えば、略42.6mmである幅D3を有する)の間に、例えば、0.2mmのような距離がさらにある。特定の実施例において、ガラス保護カバーリングと外郭リングとの間隙は、ディスプレイと外郭リングとの間隙よりも大きい。外郭リング(鋸歯を含む)は、例えば、1.0mmの幅D2を有することができる。図4Ｂ〜図4Ｃは、デバイスのコンポーネント間の連結の例示的セットを示す。図4Ｂは、ディスプレイ410の上のタッチガラス405を示す。ディスプレイは、例えば、接着性密閉剤425で内部本体(inner  body)440の上部に付着される。ディスプレイ可撓性印刷回路(Display  flexible  printed  circuit)430は、ディスプレイをデバイス本体内の電子部品に連結する。接着性密閉膜(adhesive  sealing  membrane)445は、バンド450のデバイスへの連結に用いられ、１つ以上の保持リング435は、外郭リング415を内部本体に連結するのに用いられる。特定の実施例において、保持リングは、外郭リングのその垂直軸への反りを抑制し、かつ外郭リングとガラスカバーリングとの間に物理的空間を設けられる。保護ガラス層が内部本体の上部に置かれて環境密閉(environmental  seal)を提供することができる。特定の実施例において、保持リングはまた、内部本体に対して環境密閉を提供することができる。例えば、図4Ｃは、デバイス本体に外郭リングを付着して、外郭リングと内部本体との間に環境密閉を提供する保持リング465の例を示す。追加して、または代案として、例えば、TEFLON（登録商標）のような疏水性物質(hydrophobe)でコーディングされるフロックタイプ(flock-type)材料は、水と埃との空洞への侵入を防止するために使用される。他の例として、外郭リングは、金属、またはプラスチックのリングによって内部本体に対して密閉され、したがって、空気(すなわち、水蒸気または他の粒子)が外郭リングと内部本体との間の空洞を介した移動が防止される。間隙455によって、外郭リングは、内部デバイス本体に対して移動(例えば、回転)することができる。接着性密閉剤460は、ディスプレイを本体に付着させ、また、ディスプレイと内部本体コンポーネントとの間に環境密閉を提供する。
【００１９】
特定の実施例において、デバイスのディスプレイは、円形または楕円形であり、円形ディスプレイユニット(例えば、LCDディスプレイ及びOLEDディスプレイ)を収容する。ディスプレイユニットは、可視領域がディスプレイモジュール内で中央に位置するように、搭載されてもよい。ディスプレイユニットが、オフセットデザイン(offset  design)を有する場合、円形及び正確に位置した視覚アウトライン(visual  outline)を生成するために、ディスプレイの一部を遮蔽するのに１つ以上の適切なマスキング(masking)が使用される。
【００２０】
特定の実施例において、ディスプレイモジュールは、デバイスのユーザインタフェースの一部である外郭リングを有する。外郭リングは、バンドがデバイスの底部と内部とを安定して保持する間に回転することができる。図5Aは、他のデバイスコンポーネントに係わるデバイスディスプレイを上から見た一例を示す。外郭リング510は、デバイス508の前面512に付着したり、または前面512と別個でありうる。特定の実施例において、ディスプレイ506は、該ディスプレイ506を取り囲む外郭リング510が回転しても、回転しない。これは、バンド502に付着したディスプレイモジュールの部分504にディスプレイ506を付着したり、またはディスプレイされるコンテンツが、ディスプレイユニットの回転中に停止状態を保持するように、プログラミングすることによって達成される。後者の場合、ディスプレイされたコンテンツは、ディスプレイユニットによってディスプレイされたイメージの視覚的垂直軸がバンドに常に平行を保持するように回転する。
【００２１】
ディスプレイモジュールは、１つ以上のセンサーをディスプレイと同一表面や付近に付加的に含むことができる。例えば、ディスプレイモジュールは、カメラ、またはその他の光学センサー、マイクロホン、またはアンテナを含むことができる。１つ以上の光学センサーは、ディスプレイの不活性領域に配置されてもよい。例えば、図5Bは、ディスプレイ520の下にあるバッテリーと同一平面に配置されたカメラモジュール516、及びディスプレイ520の鮮明部(clear  section)の下に位置した光学開口(optical  opening)514を備えたデバイス522を示す。カメラモジュール516は、ディスプレイ520用のグリッドラインコネクタ(grid  line  connectors)518間に配置されてもよい。任意のカメラ、またはその他の適切なセンサー(例えば、図5Cで、不活性領域526に配置されたアンテナ524)は、ディスプレイと同一平面に配置されてもよい。追加して、または代案として、以下に詳細に説明されるように、センサーは、ディスプレイの上または下に配置され、デバイス外部本体に、またはその内部の任意適切な位置に配置され、デバイスバンドに、またはその内部の任意適切な位置に配置され、これらの任意適切な組合わせで配置されてもよい。例えば、前面カメラは、ディスプレイの下に、ディスプレイに、またはディスプレイの下に配置されてもよい。
【００２２】
特定の実施例において、円形ディスプレイのパッケージングは、図5Dに図示されたように、不活性領域を含む。伝統的なディスプレイで、ディスプレイに電力を供給するロウドライブライン(row  drive  line)は、最も近接した側面縁部にルートされ(routed)、その後、不活性領域に沿って下にルートされたり、またはその側面縁部に沿ってドライバーICに直接連結される。多数の接近法がディスプレイのために、不活性領域の量を減少させようとして選択されてもよい。例えば、特定の実施例において、ディスプレイに電力を提供するグリッドコントロールライン(grid  control  line)を、そのディスプレイの一縁部にリルートすることによって、不活性領域の大きさが減少する。図5Dは、ディスプレイの一縁部にルートされ、コネクタ538に連結された格子コントロールライン532を示す。コネクタ538は、格子コントロールラインをデバイス528のプロセッシングセンターにルートする。かような構成で、不活性領域530は、最小化されてもよい。
【００２３】
図5Eは、１つ以上のマスク550で中央がマスクされた円形領域と共に、多角形ディスプレイアウトライン(polygonal-type  display  outline)を生成することによって、デバイス540のディスプレイ554内の不活性領域を減少させる他の実施例を示す。コネクタ552は、多角デザイン(polygonal  design)で配列される。グラインドラインのロウ546とカラム542は、最も近接したコネクタ552にルートされる。特定の実施例において、コネクタ552は、ディスプレイの後ろにあり、ドライバーチップを有する可撓性回路に連結される。連結密度が減少するので、図5Eの電子部品は、可撓性印刷回路板(FPC  board)に簡単に連結されることにより、収率が増加する。また、ドライバーICをディスプレイの後に移動させることによって、集積回路を安定かつ扁平な表面に留まるようにしつつも、１つ以上の不活性領域をさらに減少させることができる。このデザインは、OLEDディスプレイに特に適合するが、FPCボードの連結前に、バックライトユニット(BLU)がデバイスに積層されるならば、LCDにも使用される。前述した例は、コネクタの多角配列を例示しているが、コネクタの他の適切な配列も、グリッドラインがすべてのピクセルに到達できる限り、使用することができる。
【００２４】
図5Fは、デバイスディスプレイの物理的配置と大きさの例を示す。デバイスの直径は、D4(例えば、約41.1mm)である。デバイスは、幅がD3(例えば、約1.55mm)である１つ以上の不活性領域を含む。デバイスは、直径がD2(例えば、38mm)である可視領域を含む。デバイスは、カラムライン564、及びロウライン566用のコネクタ568を含む。コネクタ568は、１つ以上のFPCボードによってデバイスに結合される。FPCボードの幅は、D1(例えば、約0.2mm)である。コネクタ568の幅はD5(例えば、約6mm)である。ディスプレイコネクタFPC556は、ディスプレイの電子部品(例えば、コネクタ568からの回路)を、ドライバーチップ558に連結するのに使用される。ドライバーチップ558は、ディスプレイの下に、あるいは、デバイス本体の背面にある。
【００２５】
図６A〜図6Cは、デバイスの製造に含まれるデバイスディスプレイの例示的断面図を示す。図６Aで、熱融着ナイフ(hotbar  knife)は、ディスプレイの電子部品をデバイスの処理電子部品に連結する可撓性印刷回路(flexible  printed  circuit;FPC)610を半田付けするために、使用される。この工程中にFPC650を安定化するために支持体615が使用される。図6Bは、連結されたFPC620を示す。このFPC620は、折畳まれた後(部分625)、ディスプレイの背面に接着剤630を用いて付着される。図6Cは、仕上げられたディスプレイの例を示す。FPC645は、保護ディスプレイガラス635の背面に積層され、ガラス635の前面に折り曲げられた後、マイクロボンド(mircobond)619によってガラス635の前面に付着される。接着剤650がFPC645とデバイスとを接続する。デバイスに接着体650で接続されたドライバーチップ655上にFPCが通る。
【００２６】
特定の実施例において、すべてのプロセッシング及びRFコンポーネントは、デバイスの本体内に位置され、これは、デバイスの外にRF信号を通過させるのに難点が引き起こせる。FPCボードは、ディスプレイに対する連結のない多角形の側面に、追加的に付着され、これによって、図5Cに図示されたように、ストリップライン(strip  line)、スタブ(stub)、セラミック、または他のアンテナ(または、その他の適切なセンサー)がディスプレイと同一平面に搭載されてもよい。図5Cのアンテナがディスプレイと同一平面にあるので、ディスプレイでワイヤリングの密集メッシュ(dense  mesh;例えば、図5Eの図示と同様)に起因した干渉が減少する。
【００２７】
特定の実施例において、金属遮蔽(metal  shield)を使用し、ディスプレイをメインプロセッシングボードとの電磁気干渉から遮蔽することができる。特定の実施例において、この金属遮蔽は、バッテリー用のヒートシンクとして使用されることにより、バッテリーの充電、または放電レートを改善することができる。
【００２８】
特定の実施例において、着用式電子デバイスは、デバイス本体の周囲に１つ以上の外部エレメント(outer  element;任意形状である)を含むことができる。図7Aは、ディスプレイ705の周囲の例示的外郭リング710によって外部エレメントを図示している。外郭リングは、任意の適切な材料(例えば、ステンレススチール、またはアルミニウム)で構成されてもよい。特定の実施例において、外郭リング710は、一方向または双方向に回転できるか、または例えばスイッチに基づいた両構成(configuration)で使用される。特定の実施例において、第1外郭リング710は、一方向に回転でき、第2外郭リング710は、逆方向に回転することができる。外郭リング710は、保持リング715によってデバイスの基台720に連結されてもよい。図7Bは、デルリンリング(Delrin  ring)715a、またはスプリントスチール保持リング(sprint  steel  retention  ring)715bによって基台720に付着された外郭リング710を示す。バネまたはクリップ725は、リングを基台720に付着する。図7C及び図７Dは、ネジ釘725を通じて基台720に付着された保持リング715を図示し、このネジ釘は、基台720の対応する支柱に螺合される(screwed)。デバイスは、図7Cに図示されたように、ファスナー/スペーサ(fastener/spacer)730を含むことができる。
【００２９】
特定の実施例において、外部エレメントの戻り止め(detent)、またはエンコーダ(両者は適切な場合、相互交換的に使用される)は、ユーザに触覚フィードバック(例えば、触覚クリック)を提供し、この触覚フィードバックは、例えば、ユーザに、エレメントが１“ステップ(step)”または“増分(increment)"移動した時を判断するようにする戻り止めを提供する。このクリックは、機械的リンケージ(mechanical  linkage;例えば、バネメカニズム)を通じて直接生成されたり、または触覚アクチュエータ(例えば、モータ、またはピエゾ(piezo)アクチュエータ)を通じて電子的に生成されてもよい。例えば、モータは、短絡(being  shorted)されて抵抗(resistance)を提供し、短絡しないようにされてさらに小さい抵抗を提供するように、抵抗をリングの動きに対して提供し、機械的戻り止めシステムが提供する相対的に高いトルクと低いトルクとをシミュレーションすることができる。他の例として、磁気システムが戻り止めの触覚を提供するために使用される。例えば、ソレノイド(solenoid)メカニズムは、戻り止めバネまたは脱進機(escapement)を、必要に応じて解放するために使用される。バネまたは脱進機は、実際の機械的フィードバックを提供する。しかし、この配置を通じてデバイスは、大きさが変更されたような戻り止めの感覚を作るために、正確な間隔で戻り止めを再び噛み合わせつつ、必要に応じて多数の戻り止めを省略することができる。他の例として、回転型外部エレメント(例えば、外郭リング)は、例えば、リングを“止め”位置に引き寄せるのに使用される電磁石によって磁化され、トルクを増加させて戻り止めフィードバックをシミュレーションすることができる。さらに他の例として、回転型外部エレメントは、デバイス本体内の相応する磁気ポール(magnetic  poles)を押し出して引き寄せる交互北・南ポール(alternating  north-south  poles)を有することができる。さらに他の例として、常磁石(permanent  magnet)は、電磁石が使われない所にリングの固定のために使われて、フリーホイリング(free  wheeling)を防止することができる。さらに他の例として、電磁石の代わりに、簡単に磁化される強磁性合金がソレノイド内に使用される。これにより、ソレノイドの電磁場(electromagnetic  field)は、コアの磁気オリエンテーション(magnetic  orientation)を“再プログラム(reprogram)"して、ソレノイド自体が解放された(disengaged)場合にも、磁気駆動効果を保持することができる。本明細書は、戻り止め、戻り止め型システム、及びエンコーダの特定例を提供するが、本明細書は、任意の適切な戻り止め、戻り止め型システム、及びエンコーダを考慮している。
【００３０】
図8Ａは、外郭リング805を示し、この外郭リング805の内面には、バネ基盤の戻り止めシステム用ノッチ(notch)がエッチング(etch)されている。バネ820は、バネ柱810に付着される。保持リング815は、デルリン(Derlin)、スチール、またはその他の適切な材料からなり、分割されたり(segmented)、固形/連続体(sold/continuous)でありうる。図8Ｂは、小さいノッチ830を備えた例示的外郭リングを示し、このノッチは、図示された戻り止めから触覚フィードバックを提供するために、バネ付きエレメント(spring-loaded  element)と噛み合う。電子フィードバックシステムの場合、フィードバックは、リングの動きに高速同期して生成され、リングの連続した動きが互いに区分されるように、十分な攻撃及び減衰率(attack  and  decay  rate)を有さねばならない。特定の実施例において、外郭リングは、いかなるクリッキング(clicking)やステッピング(stepping)もなしに自由に(連続して)回転することができる。特定の実施例において、リングは、例えば、外郭リングがなければならない回転モードを示すユーザからの入力に基づいて連続して回転したり、または段階/増分式(insteps/increments)で回転することができる。付加的に、または代案的に、リングは、一方向には自由に回転し、他方向には増分式で回転することができる。使われた回転モードに基づいて、異なる機能が存在することができる。例えば、連続モード回転は、ボリュームやズーミング(zooming)のような連続パラメータを変更し、増分モード回転は、メニューアイテムやリストの連絡先のような離散パラメータを変更することができる。これらは詳細に後述する。特定の実施例において、自由に回転する時、リングは、ユーザに触覚フィードバックを提供し、この触覚フィードバックは、例えば、リングが粘性媒体(viscous  media;例えば、リングがさらに速く回転するほど、媒体は回転に対してさらに多く抵抗する)に回転するように見えるように印加された力と同一である。特定の実施例において、外郭リングは、例えば、ジェスチャーの一部として、または回転モードを変更するために、その外郭リングの回転軸方向に持ち上げられたり、押さえられる。特定の実施例において、外郭リングは、タッチ感知部を有することができる。
【００３１】
特定の実施例において、エンコーダまたは戻り止めは、デバイス本体に対する外郭リングの位置を判断するのに使用される。特定の実施例において、図2のエンコーダ230で図示されたように、デバイス本体に付着したエンコーダが活用される。特定の実施例において、エンコーダは、図8Ｂの印刷光学エレメント825で図示されたように、外郭リング自体の内面の一部である。これら実施例において、外郭リングは、エンコーダの回転部として直接動作する。光学エンコーダパターンは、内面に印刷され、プロセッシングボードの光学モジュールによって読出される。外郭リング内側のエンコーダは、検出器のために、十分な光学コントラストを有さねばならず、例えば、印刷またはレーザエッチングによって外郭リングにエッチングされる。内部リングと外郭リングは、テフロン（登録商標）またはデルリンのような材料からなる低摩擦リング(例えば、図8Ｃのリング840)により環境的に密閉され、この低摩擦リングは、汚染物質のデバイス内部への流入を防止しつつ、係合(tight  fit)を保持する。特定の実施例において、内部リングのフレームは、外郭リングの類似フレームと噛み合って、二つのリングは依然として自由に回転するが、１つに結合される。内部リングの底フレームは、下からの環境的有害物を偏向させて追加的密閉を提供する。図9に示されたように、特定の実施例において、密閉リング915は、基台の溝905に係合される。この基台は、グリップ領域910を含むことができる。
【００３２】
特定の実施例において、外郭リングをデバイス本体に連結する保持リングは、該外郭リングに対する圧力を検出するために、ストレインゲージ(strain  gauges)を具備することができる。一例として、図10は、４個のストレインゲージ(これらは、内部本体にも連結される)に連結された保持リングを示し、これらゲージは、保持リング周囲に対称に配置される。本明細書に使用されたように、４個のストレインゲージは、ストレインを検出する電子コンポーネントでもある。対称配置の結果として、外郭リングの正常動きまたは外郭リングとの接触は、該外郭リングに最も非対称的ストレインを引き起こすが、外郭リングは、単にそのリングの平面でデバイスに対して移動し、よって、図10の上部リングによって図示したように、一短は圧縮され、多端は伸張されるためである。対照的に、外郭リングの大きい部分を握ると、対称的ストレインがストレインゲージの対向する対に生成される(例えば、圧力を受けたリングの伸張のためである)。2対のストレインゲージ間の相対的差は外郭リングを意図的に押さえることを、外郭リングの正常動きや外郭リングとの接触から区分する。本明細書は、保持リング内のストレインゲージの個数と配置について特定例を説明しているが、本明細書は、コンポーネントに対する圧力を検出するために、任意の適切な個数のストレインゲージをデバイスの任意の適切なコンポーネント内に配置することを考慮している。一例として、ストレインゲージは、デバイスのバンドまたは外郭リングに配置されてもよい。
【００３３】
ストレインゲージ、またはその他の適切なストレインまたは圧力検出システムを備えたコンポーネントにストレインが生じれば、その検出されたストレインは、任意の適切な機能性(functionality)に帰結される。例えば、ユーザが外郭リングを押さえてストレインがその外郭リングに生じれば、ユーザにフィードバックが提供される。フィードバックは、例えば、触覚フィードバック(例えば、振動、振れ、または加熱/冷却)、聴覚フィードバック(例えば、ビープ、特定ユーザ定義トーンの再生)、視覚フィードバック(例えば、デバイスのディスプレイによる)、またはその他の適切なフィードバック、またはこれらの組合わせのような任意の形態を取ることができる。リングを押さえることと関連した機能性はさらに詳細に説明され、本明細書は、任意の適切なコンポーネントに生じ、検出されるストレイン、または圧力から得られる任意の適切な機能性を考慮する。
【００３４】
着用式電子デバイスは、デバイスをユーザに固定するバンドに付着される。本明細書で、“バンド”と言及したのは、図14Aに例示されたように、ユーザの足、腰、手首、または腕に巻かれる伝統的なバンド1405;図14Bに例示されたように、服の一部に固定されるクリップ1415;図14cに例示されたように、ネックレスまたは腕輪1420の構成;図14Dに例示されたように、例えば、ユーザの財布にデバイスを安全に保管するためのキーホルダー1425、またはその他のアクセサリー構成、またはその他の適切な構成のように、デバイスをユーザに固定する任意の適切な装置を包括する。これら実施例それぞれは、デバイス、バンド、または本体に位置したカメラ1410を含むことができる。図11は、デバイスを着用する多様な例を示す。例えば、デバイスは、1105で例示されたように、首の周囲に;115で例示されたように、ベルトに、身体器官に(例えば、1120で例示された腕)、1125で例示された腰に、または1130で例示された財布に着用されたり、服に固定(例えば、1110で例示されたように、胸)しうる。本明細書は、デバイスをユーザに固定する特定バンドの例と方式とを説明しているが、本明細書は、デバイスをユーザに固定する任意の適切なバンドまたは方式を考慮している。
【００３５】
特定の実施例において、センサー及び相応する電子部品は、望ましくは、バンドに付着される。例えば、図14A〜図14cのバンドは、光学センサーの収容に適する。あらゆる例示された特定の実施例は、タッチ・センシティブ領域を含むのに適する。本明細書は、例えば、通信コンポーネント(例えば、アンテナ)、環境センサー、または慣性センサーのような任意の適切なセンサー、または電子部品を含むことができる。特定の実施例において、バンドは、デバイスに着脱可能であり、デバイスに付着していなければ、そのデバイスと遠隔通信することができる。特定の実施例において、バンドの電気コンポーネントと関連した配線は、例えば、デバイスの体積を最小化したり、または、内部デバイスコンポーネントとの電磁気干渉を最小化するために、そのバンド内にさらに収容されてもよい。例えば、高いレベルの内部EMIを引き起こすデバイス(例えば、カメラまたは通信システム)、追加体積を必要とするデバイス(例えば、バッテリー、またはスピーカ)、主本体の環境的密閉を必要とするデバイス(例えば、電力/データコネクタ)、または、ユーザの皮膚と追加的接触を必要とするデバイス(例えば、生体測定センサー)は、電子部品の少なくとも一部を、そのデバイスのバンド内に収容することによって、利得を得ることができる。特定の実施例において、配線がバンドに収容されれば、ディスプレイモジュールは、バンドに対する電子接続、またはバンドを通じた電子接続が外郭リングの回転時にもつれないように、バンドに付着される。ユーザが自分の意志通り、ディスプレイモジュール、またはデバイス本体を除去／付着可能に、ディスプレイモジュールは、ユーザが除去可能なコネクタを使用しうる。デバイスに対するバンドの付着例として、図12Aに例示されたバンド1215を１つ以上の柱1205上に配置した後、ファスナー(例えば、ネジ釘)1210を用いて、これら柱に固定することによって、このバンド1215を本体に付着しうる。特定の実施例において、ファスナーと柱に付け加えて、保持板(retention  plate)1215を使用し、図12Bに例示されたように、バンドをデバイス1225に固定することができる。本明細書は、バンドとデバイスとの間に適切なインターフェースを考慮している。例えば、USBインターフェースは、例えば、デバイスとバンドとの間で、またはデバイスのコンポーネントとバンドのコンポーネントとの間でデータを通信するために、バンドとデバイス本体との間に提供されてもよい。特定の実施例において、インターフェースによってデバイスのユーザは、容易にデバイスのバンドを脱着したり、変更することができる。
【００３６】
本明細書は、図14Aに例示されたようなバンドを、例えば、ユーザが着用すれば、そのバンド自体に連結する任意の適切な構造を予想する。例えば、図13Aは、カメラモジュール1310を備えたバンド1305をデバイス1300の着用者に着用させる構造の例を示す。ファスナーは、１つ以上のスナップ(snap)1315、孔1320と1335、及び相応するコンポーネント、掛け金(clasp)1340、または押しボタン1330を有するクリップ1325を含むことができる。図13Bは、クリップ1311及び1303を用いて着用者にバンド1301を固定する例示的メカニズムを示す。コンポーネント1309は、コンポーネント1307の他面にある空洞に挿入されてバンド1301を締める。図13Bは、クリップ1303、1311に対する例示的内部メカニズムを示す。クリップ1313(クリップ1311に相応)のコンポーネント1317は、１つ以上の磁石部(magnetic  portion)を含み、この磁石部は、空洞1323の磁石側に引き寄せられる。例えば、コンポーネント1317は、該外側端に磁石部を含み、コンポーネント1317の磁石を引き寄せるために反対極性の磁石がバネ1319の前面に配置されてもよい。それにより、コンポーネント1317は、空洞1323を埋め込み(fill)、磁石結合によってクリップ1313をクリップ1303に締めることができる。挿入されれば、コンポーネント1321は、空洞1323の外でコンポーネント1317に力を加えるバネ1319と噛み合うように使用される。クリップ1313は、クリップ1303から分離することができる。コンポーネント1317上の磁石と空洞1323内の磁石に付け加えて、さらに磁石がクリップ1313内に配置され、例えば、バネ1319と噛み合う時、クリップ1313の除去に一助したり、またはクリップ1303に締結されていない時、コンポーネント1317のクリップ1313の内外への摺動を防止することができる。例えば、１つ以上の磁石は、コンポーネント1317と同一平面でコンポーネント1317から等距離であるクリップ1313の中央に配置され、各コンポーネントの磁石(すなわち、コンポーネント自体)をクリップ1313の中央に向かって引き寄せることができる。
【００３７】
図13Cは、ファスナー1333、1331を用いてバンド1327を固定する構造の例を示す。例えば、空洞1329、及びコンポーネント1337、1341を用いて固定することができる。図13Cは、ファスナー1331、1333の内部構造を示す。ファスナー1339(ファスナー1333に相応する)は、コンポーネント1337を含む。ファスナー1343(ファスナー1331に相応)がファスナー1339に挿入されれば、コンポーネント1341は、コンポーネント1337に付着し、ファスナー1339のフレームを越えて伸張して固定されてもよい。ファスナー1339が上側に引き上げられれば、そのフレームは、コンポーネント1337に外側への作用力を徐々に加えて、コンポーネント1341をファスナー1339のフレームを超えて移動させて、ファスナー1339をファスナー1343から除去させる。特定の実施例において、ファスナー1333とファスナー1331とを共に締結するために、磁石がそのファスナー内に、または上に配置してもよい。例えば、磁石は、各コンポーネント1341、1337の縁部に配置されてもよい。ファスナー1343がファスナー1337内に移動すれば(または、その反対に移動)、磁石は、コンポーネント1341を、コンポーネント1337に引き寄せて固定する。さらに、磁石はファスナー1343に配置されて、例えば、コンポーネント1341を、コンポーネント1337から除去するのに一助したり、またはファスナー1343がファスナー1339に固定されていない時、コンポーネント1341がファスナー1343の内外への摺動を防止することができる。例えば、１つ以上の磁石は、コンポーネント1341と同一平面でコンポーネント1341から等距離であるファスナー1343の中央に配置され、各コンポーネントの一端にある磁石(すなわち、コンポーネント自体)をファスナー1343の中央に向かって引き寄せることができる。
【００３８】
図13Dは、ファスナー1349、1353を用いてバンド1351を固定する交互配置を示す。固定された時、コンポーネント1359(丸状であ得る)を空洞1363から分離し、ファスナー1361(ファスナー1349に相応)をファスナー1357から除去させるために(または、その逆も可能)、ファスナー1357(ファスナー1353に相応)を捻る(twist)ことができる。特定の実施例において、ファスナー1357、1361を互いに付着及び/または離脱させるために、１つ以上の磁石が使用される。例えば、磁石は、空洞1363に配置され、またコンポーネント1359の外側(凸状)縁部に配置され、コンポーネント1359を空洞1363に引き寄せ、またファスナー1361をファスナー1357に固定させることができる。他の例として、磁石は、コンポーネント1359の内側(凹状)縁部(すなわち、コンポーネント1359の凹面)に配置されてコンポーネント1359をファスナー1361に引き寄せて、例えば、コンポーネント1359を空洞1363から除去するのに一助となるか、またはファスナー1361がファスナー1357に固定されていない時、コンポーネント1359のファスナー1361の内外への摺動を防止することができる。相応する磁石は、コンポーネント1359が空洞1363内に伸張していない時、そのコンポーネント1359と接触するファスナー1361の内面に配置されてもよい。すなわち、この磁石は、コンポーネント1359の内面にある磁石を引き寄せ(及び、特定の実施例において、その内面にある磁石と究極的に直接接触する)、コンポーネント1359をファスナー1361に固定させる。
【００３９】
図13E〜図13Gは、カメラモジュール1373を備えたバンド1369を、例えば、デバイス1367のユーザが着用する時、そのバンドをバンド自体に固定する実施例を示す。図13Eで、バンド1369の一面にある１つ以上の磁石1371は、バンド1369の他面にある１つ以上の磁石1379に引き寄せられる。磁石は、図13Hに磁石ストリップ(strip)1307で例示されたように、バンドを部分的にクロス(cross)する磁石材料のストリップであり、図13Iに磁石ストリップ1321、1327で例示されたように、バンドを完全にクロスする磁石材料のストリップであり、図13Fに例示されたように、磁石材料の領域でありうる。磁石1371、1379に加えて、バンド1369は、孔1391、及び１つ以上の柱1377を含み、バンド1369をデバイス1367の着用者に固定することができる。図13Gは、孔1383(1398)を用いてデバイス1367の着用者にバンド1381を付着するために、ファスナー(例えば、カバーリング1395を備えたナット)1371に固定されるファスナー(例えば、ネジ釘1396)1387を示す。
【００４０】
特定の実施例において、電気コンポーネントを含んでいるバンドは、図2のコネクタ250で例示したように、伝統的な物理的接触コネクタも含むことができる。このコネクタは、例えば、充電、システムアップデート、デバッギング、またはデータ伝送のために、デバイスとの接続を可能にする。かようなコネクタは、色とりどりのポゴ(pogo)であるか、メッキされた表面であり、この表面に対して充電ケーブルは、接触してインターフェースすることができる。かようなコネクタは、環境や人間の体からの湿気に露出されて発生する腐食を防止するために、貴金属でメッキされる。特定の実施例において、物理的コネクタは、電源用にのみ使用され、データは、ブルートゥース、近接場通信(NFC)技術、またはWI-FIのような近距離通信様式を用いて伝送されてもよい。
【００４１】
特定の実施例において、デバイスのエネルギー保存を増加させるために、可撓性バッテリー(例えば、リチウム基盤バッテリー)を収容するのにバンドが使用される。エネルギー保存容量は、総体積に関連しているので、バンド内部のバッテリーは、デバイス本体の総サイズに影響を与えず、体積が制限された着用式デバイス用の保存容量を増加させる。
【００４２】
以下で詳細に説明されたように、着用式電子デバイスは、１つ以上のセンサーを、そのデバイス上、またはその内部に含むことができる。例えば、着用式電子デバイスは、１つ以上の光学センサー、または深さセンサー(depth  sensor)を含むことができる。光学センサーは、例えば、デバイスの表面、ユーザの体から外に向くバンド、デバイス表面の反対側に向かうバンド、ユーザの体側に向くバンド、またはこれらの任意適切な組合わせのような任意の適切な位置に配置されてもよい。図15は、バンドを備えたデバイス1500を示し、このバンドは、外側に向かう光学センサー1505を有する。光学センサーをバンドに配置することによって、ケース内部の高周波信号を減少させることによって、デバイス本体内でさらに軽い遮蔽(lighter  shielding)が可能となって、重さと体積とを節約することができる。図14Aないし図１４Dは、着用式電子デバイスの互いに異なる実施例に対する例示的カメラ配置を示す。特定の実施例において、カメラ入力を処理するような電子部品は、図1のハウジング125によって例示されたように、カメラを収容する“火山”形状内に位置してもよく、かつバンド内に位置してもよい。特定の実施例において、他のセンサーは、例えば、デバイスのバンドにある光学センサーと同じハウジング内で光学センサー付近に配置されてもよい。例えば、深さセンサーは、光学カメラと共に使われて、デバイス環境の検出やディスプレイを向上させたり、ユーザがジェスチャーを通じて指していたり、相互作用しているオブジェクトを判断することができる。
【００４３】
特定の実施例において、バンド上の光学センサーの配置は、あらかじめ決定された範囲内でユーザが調整することができる。特定の実施例において、バンド上光学センサーの配置は、ユーザがセンサーを便利に照準可能に最適化される。例えば、図15に例示されたように、ユーザが手首にデバイスを着用すれば、光学センサー1505は、ユーザの手の平が地面と略平行である時、その光学センサーがユーザの体から外側を照準するように、外側に向かう方式で配置される。
【００４４】
特定の実施例において、光学センサーは、そのセンサーがユーザの体から外側に向かっている間、ユーザがデバイスのディスプレイを見られるように配置されてもよい。したがって、ユーザは、図16で視野三角形で例示したように、センサーがキャプチャーしている実際の景色に対するユーザの視野が遮断されずに、光学センサーがキャプチャーし、デバイスがディスプレイするコンテンツが見られる。デバイス1600のディスプレイ1620は、関連した視野円錐(associated  viewing  cone)を有することができる。視野円錐は、例えば、ディスプレイを合理的に見ることができる体積(volume)である。ユーザ1615は、(1)実際のトロフィー1610を見て、(2)センサー1605で実際のトロフィーを照準することによって、ディスプレイ1620の視野円錐内からデバイス1600のディスプレイ1620上でトロフィーのイメージを見る。センサー1605は、体積に相応する関連した視野角を有し、そのセンサー1605は、該体積内でイメージを合理的にキャプチャーすることができる。図16の例で、ユーザを見る方向にデバイス1600のディスプレイ1620を保持しつつ、ユーザがセンサー1605を外側に便利に照準でき、かつ、かような照準がトロフィー1610に対するユーザの視野をデバイス1600が遮断せずに達成されるように、センサー1605が配置される。
【００４５】
図17は、光学センサーの例示的視野角を示す。オブジェクト1725が光学センサー1705の視野角内にあれば、ユーザは、オブジェクト1725及びデバイス1700にディスプレイされるそのオブジェクト1725のイメージ1710、または1715をいずれも見ることができる。例えば、ユーザの手1720が視野角内にあれば、ユーザは、オブジェクト1725、手1720及びデバイスのディスプレイ1700上のオブジェクト1725と手1720のイメージ1710を見ることができる。対照的に、手1720がセンサー1705の視野角内になければ、ディスプレイ1700にあるイメージ1715によってディスプレイされない。ユーザが着用した時、デバイスのセンサーは、同一、または異なるセンサーがキャプチャーするジェスチャー(例えば、ピンチング(pinching)、タッピング(tapping)、前方引き(pulling  toward)、または押し出し(pushing  away)のようにデバイスの視野角内でオブジェクトを選択するジェスチャー)を、ユーザが行う間に、そのセンサーの視野角内でユーザの手/腕/指をキャプチャーすることができる。センサーとディスプレイは、ユーザによって着用された時、デバイスがオブジェクトに対するユーザの視野角を遮断せず、ユーザの視線がデバイスディスプレイの視野円錐内にあるが、ディスプレイにディスプレイされるオブジェクトは、デバイスの視野角内にあるように、オリエント(oriented)される。特定の実施例において、ユーザは、センサーによってキャプチャーされたり、またはデバイスにディスプレイされたイメージと、例えば、イメージがディスプレイされるディスプレイの部分、またはその付近をタッピングしたり、センサーの視野角内でジェスチャーをしたり、またはその他の適切な方法で、相互作用することができる。かような相互作用は、例えば、オブジェクトの写真をキャプチャーすることによって、またはオブジェクトがペアリング/通信能力(pairing/communication  capability)を有していれば、そのオブジェクトとペアリングしたり、通信することによって、オブジェクトを識別(identify)し、そのオブジェクトに関する情報を決め、その情報の少なくとも一部をディスプレイにディスプレイするようなオブジェクトと関連した一部の機能性を提供することができる。
【００４６】
特定の実施例において、光学または深さセンサーモジュール(これらは望ましくは、互換的に使用される)は、図18Aに図示されたように、主印刷回路基板(PCB)に直接搭載された場合、光学センサーが使用するバスを単に拡張することによって、デバイスと通信することができる。図18Aで、光学センサー1825は、可撓性印刷回路、または配線1820を通じてデータを統合コントロール(integrated  control)1810に伝送し、この統合コントロールは、図18Aの例で、デバイス1805の内部、または表面に位置し、デバイス1805は、主印刷回路基板を収容する。図18Bは、光学センサーモジュール1860の内部、または表面にある光学センサー集積回路1850を図示し、このモジュール1860は、光学センサー1855も収容する。デバイス1830の主印刷回路基板とカメラモジュール1860の電子部品との通信は、可撓性印刷回路1845を通じてなされる。図18Bの配置を通じて、集積回路は、データを圧縮し、他の処理を行った後、さらに少ない信号線を要求したり、さらに少ないデータ伝送を要求する方法を通じて送信することができる。これは有益であるが、ユーザがデバイスを着用する時、バンドは必ず柔軟でなければならず、よってさらに少ない数のラインが望ましいからである。かような接近法は、ライン数を１本、または２本の信号線と、２本の電源線に縮小することができ、これはパッケージング、モールディング及び信頼性面で望ましい。特定の実施例において、前述した１つ以上の電子部品は、長い高周波ケーブルから電磁気干渉を防止するために、必ず遮蔽されねばならない。かような場合、並列バスの使用が一般的であるが、この使用はさらに大きなケーブルまたはFPCの使用を要求することができる。
【００４７】
一実施例において、カメラ制御集積回路は、図18A及び図１８Bに図示されたように、光学モジュールにある小さい回路ボード上に直接搭載されてもよい。着用式電子デバイスは、任意の適切なセンサーを含むことができる。特定の実施例において、１つ以上のセンサー、またはこれらの相応する電子コンポーネントは、デバイスのバンド表面に、デバイスの本体内部、または表面に、または両方ともに位置してもよい。センサーは、例えば、直接電気連結、NFC、またはブルートゥースのような任意の適切な有線、または無線連結を通じて、互いに通信でき、かつプロセッシング及びメモリコンポーネントと通信することができる。センサーは、デバイスのコンテキスト(context;例えば、環境)、または状態、ユーザ、アプリケーション、または他のデバイス、または他のデバイスで実行中であるアプリケーションを検出することができる。本明細書は、任意の適切なセンサーの構成(configuration)を任意適切な位置に含む着用式電子デバイスを考慮している。また、本明細書は、詳細な説明に記述された任意の適切な入力を受信したり、詳細な説明に記述された任意の適切な機能性、またはサービスの提供を開示したり、その提供に関連したり、またはその提供と関連した任意のセンサーを考慮する。例えば、接触感知センサーは、以下で詳細に説明されるように、デバイスにディスプレイされたグラフィックユーザインターフェース間の遷移(transition)に係わる。本明細書は、着用式デバイスと関連した機能性、センサーの活性化/非活性化、センサーの感度、または、センサープロセッシングの優先順位は、望ましくは、ユーザカスタマイズ型(user-customizable)である可能性があるということをさらに考慮する。
【００４８】
図19は、例示的センサー検出システムを示し、また、着用式電子デバイスのための例示的センサーを示す。センサーは、データをセンサー特定データフォーマット(sensor-specific  data  format)でデバイスのセンサーハブサブシステム(sensor  hub  subsystem)に送信する。例えば、例示的センサーモジュール1924に図示されたセンサー19aは、次の１つ以上を含むことができる:顔検出カメラ1902、外向き(outward-facing)カメラ1904、顔近接センサー1906、顔タッチセンサー1908、バンドタッチセンサー1910、音響皮膚タッチセンサー(acoustic  skin  touch  sensors)1912、慣性測定システム(IMU)1914、重力ベクトルセンサー1916、タッチセンサー1918、1920、及びその他の適切なセンサー1922.センサーからのデータは、例示的センサーハブモジュール1944に図示されたセンサーハブ19bに送信される。データは、必要に応じて段階1928と段階1930とで調整されて(conditioned)ノイズが除去され、段階1942でロック状態検出器(locked-state  detector)に伝送される。ロック状態検出器は、デバイスの非活性時を検出し、デバイスを再活性化するジェスチャー、またはその他の適切な入力に対するセンサーデータを監視しつつ、必要に応じてセンサーを使用できなくして電力を保存する。例えば、数値ジェスチャー検出器(numeric  gesture  detector)は、センサー出力を受信し、その出力を１つ以上の数値臨界と比較して結果を決定する。ヒューリスティックジェスチャー検出器(heuristic  gesture  detector)は、センサー出力を受信し、例えば、１つ以上の臨界に適用されるアンディング規則(ANDing  rules)のような１つ以上の判断ツリー(decision  tree)に基づいて判断する。パターン基盤のジェスチャー検出器1938は、例えば、ジェスチャーが行われた時、センサー出力の実験的評価によって決定されたパターンのようなジェスチャーパターン1940のあらかじめ決定されたライブラリーに対してセンサー入力を評価する。１つ以上のジェスチャー優先順位デコーダ1948は、検出
されたジェスチャーのうち、いずれか(もし、存在するならば)が特定のアプリケーション、またはシステムレベルプロセスに機能性を提供するために活用されねばらないかを判断するために、ジェスチャー検出器、ロック状態検出器、または両者からの出力を評価する。さらに広くは、特定の実施例において、デバイスが活性化すれば、アプリケーション要請(application-requested)、またはシステム要請(system-requested)センサー検出器が順に活性化され、それらのデータをセンサー優先順位デコーダに提供する。特定の実施例において、優先順位デコーダは、複数のセンサー入力のうち、いずれか(もし、存在するならば)を処理するか否かを判断し、本明細書は、多重センサーからの連合入力(combined  input)が機能性と関連することを考慮するが、この機能性は、個別的なセンサー入力それぞれと関連した機能性と異なる。デコーダは、十分に確実にセンサーが検出された時を決定し、センサーデータをセンサーハブドライバーに提供する。センサーハブドライバーは、アプリケーション・プログラミング・インターフェース(API)を末端アプリケーション(the  end  application)とシステムコントローラとに提供し、これらは順に必要な出力、及びナビゲーション(navigation)を生成する。例えば、図19は、例示的センサーハブドライバー1950、アプリケーションAPIs  1952、例えば、適切なシステム機能性(例えば、デバイスのグラフィックユーザインターフェースを通じたシステムレベルナビゲーション1962)を判断するためのシステムナビゲーションコントローラ1954、及びアプリケーションのためのアプリケーション-レベルジェスチャー優先順位検出器1956を示す。図19のセンサーハブ19bとアプリケーションプロセッサ19c(例示的アプリケーションプロセッサモジュール1964に図示)は、別体として図示されるが、少なくとも一部の同一または類似したコンポーネントによって(及び実行される機能によって)表現されてもよい。特定の実施例において、センサーハブとアプリケーションプロセッサのコンポーネント及び機能を限定する境界は、多少包括的である。図19に示された境界は、単に１つの実施例である。センサーそれ自体に対して、センサーハブシステムとアプリケーションプロセッサが実行する機能、及びこれらのコンポーネントは、デバイス本体、バンド、または両方ともで発生したり、存在することができる。特定の実施例において、１つ以上のセンサーハブ、またはアプリケーションプロセッサ、またはそれらの内にあるコンポーネントを使用し、センサーデータを受信して処理することができる。
【００４９】
センサーは、センサーデータを内部的に生成し、このセンサーデータは、例えば、検出器、またはデータ調整器(conditioner)により単純にフィルタリングされたり、再フォーマット(reformatted)される。データフォーマッタは、ローデータ(Raw  data)を、アプリケーションAPIが収容可能な均一フォーマット(uniform  format)にフォーマットすることができる。認識装置(recognizer)は、数値モデル(例えば、判断ツリー)、ヒューリスティックモデル、パターン認識、またはその他の適切なハードウェア、ソフトウェア、及び例えば、ジェスチャー入力のようなセンサーデータを検出する技術を使用しうる。認識装置は、APIによって使用可能、または使用不能になる。かような場合、関連したセンサーは、認識装置がセンサーからデータを受信していないか、センサーデータを認識できなければ、使用不能になる。
【００５０】
デバイスは、センサー出力のデータベースを含み、このデータベースによって同一検出器は、多くの互いに異なるセンサー出力を検出することができる。APIが生成した要請によって、センサー優先順位デコーダは、提供された判断基準に基づいてセンサー出力を遮断したり、通過させることができる。判断基準は、APIデザインの関数でもある。特定の実施例において、認識装置は、センサー出力を検出するために、１つ以上センサーの出力を受容することができる。
【００５１】
特定の実施例において、多重センサーは、類似の情報を検出するために使用される。例えば、正常(normal)感知カメラ及び深さ感知カメラは、いずれも指の検出に使用することができ、ジャイロスコープ及び磁気計(magnetometer)は、いずれもオリエンテーションの検出に使用することができる。望ましくは、センサー情報に依存したり、センサー情報を活用する機能性は、費用、エネルギー使用、または使用頻度のような実現及びランタイム考慮事項(implementation  and  runtime  consideration)に基づいて、センサーを代替したり、センサーのうちから選択することができる。
【００５２】
センサーは、任意適切なタイプであり、本明細書に説明されたように、デバイス本体の内部または表面に、バンドの内部または表面に、またはこれらの適切な組合わせで位置される。特定の実施例において、センサーは、例えば、赤外センサー、光学センサー、音響センサー、またはその他の適切な深さセンサー、または近接センサーのような、１つ以上の深さまたは近接のセンサー(本明細書で、望ましくは、これら用語は互換的に使用される)を含むことができる。例えば、深さセンサーは、デバイスのディスプレイの上に、または付近に配置され、例えば、ユーザの手、指、または顔がディスプレイ付近にくる時は、検出することができる。他の例として、深さセンサーは、以下で詳細に説明されるように、その深さセンサーの視野角内にあるユーザの指が指す任意オブジェクトを検出することができる。代案的に、または付加的に、深さセンサーは、さらに詳細に説明されるように、デバイスのバンド上に位置してもよい。特定の実施例において、センサーは、１つ以上のタッチ・センシティブ領域をデバイス本体上に、バンド上に、または両方ともの上に含むことができる。タッチ・センシティブ領域は、例えば、抵抗性、表面弾性波(surface  acoustic  wave)、容量性(相互容量性、または自己容量性を含む)、赤外、光学、分散性、または任意その他の技術のような任意の適切なタッチ・センシティブ技術を活用することができる。タッチ・センシティブ領域は、スワイプ(swipes)、タップ(taps)、１つ以上の特定ポイント、または１つ以上の特定領域との接触、またはマルチ・タッチ接触(例えば、ディスプレイ上で２本以上の指をピンチング(pinching)するか、またはディスプレイ上で２本以上の指を回転すること)のような任意の適切な接触を検出することができる。さらに詳細に説明されるように、タッチ・センシティブ領域は、ディスプレイデバイス、リング、またはバンドの少なくとも一部を含むことができる。他のセンサーに対して同様に、特定の実施例において、タッチ・センシティブ領域は、例えば、コンテキスト、電力考慮事項、または、ユーザ設定に基づいて活性化、または非活性化されてもよい。例えば、リングのタッチ・センシティブ部分は、リングが“ロックされれば(locked)”(すなわち、回転しない)活性化され、リングが自由に回転すれば、非活性化される。特定の実施例において、センサーは、例えば、適切なカメラ、または光学深さセンサーのような１つ以上の光学センサーを含むことができる。
【００５３】
特定の実施例において、センサーは、例えば、加速度計、ジャイロスコープ、磁気計、GPSチップ、またはコンパスのような１つ以上の慣性センサー、またはオリエンテーションセンサーを含むことができる。特定の実施例において、慣性、またはオリエンテーションセンサーからの出力は、デバイスを活性化、またはロック解除(unlock)したり、１つ以上のジェスチャーを検出したり、デバイスのディスプレイスクリーン、またはペアリングされたデバイスのディスプレイスクリーン上のコンテンツと相互作用したり、特定データに接近したり、またはデバイスやペアリングされたデバイスの特定機能を活性化したり、デバイス本体とバンドとの通信、またはデバイスとペアリングされたデバイスとの通信を開始したり、またはその他の適切な機能性を開始するのに使用される。特定の実施例において、センサーは、例えば、デバイスのコンテキストを決定するために、ユーザの音声、周辺音を検出する１つ以上のマイクロホンを含むことができる。さらに、特定の実施例において、１つ以上のスピーカをデバイス本体やバンド上に含むことができる。
【００５４】
特定の実施例において、センサーは、ネットワークデバイス(例えば、サーバ、またはルータ)、スマートフォン、コンピューティングデバイス、ディスプレイデバイス(例えば、テレビ、またはキオスク(kiosks))、またはオーディオシステム、ビデオシステム、その他の着用式電子デバイスのような他のデバイスと通信したり、またはバンドとデバイス本体との間で通信するためのコンポーネントを含むことができる。かようなセンサーは、NFCリーダ/ビーコン(readers/beacons)、ブルートゥース技術、または任意適切な周波数で送受信するためのアンテナを含むことができる。
【００５５】
特定の実施例において、センサーは、デバイスのユーザから触覚入力を受信、または検出するセンサー(例えば、圧電、圧力センサー、力センサー、慣性センサー(上述の通りである)、ストレイン/ストレスセンサー、または機械的アクチュエータ)を含むことができる。かようなセンサーは、デバイス上で任意の適切な位置に置かれる。特定の実施例において、デバイスのコンポーネントは、ユーザに触覚フィードバックをさらに提供する。例えば、１つ以上のリング、表面、またはバンドは振動したり、光を生成したり、またはオーディオを生成することができる。
【００５６】
特定の実施例において、着用式電子デバイスは、周辺環境に対して１つ以上のセンサー(例えば、温度センサー、湿度センサー、または高度計)を含む。特定の実施例において、着用式電子デバイスは、着用式デバイスユーザの身体的特徴を感知する１つ以上のセンサーを含むことができる。かようなセンサーは、例えば、デバイスのバンド上、または、ユーザの皮膚と接触するデバイスの基台(base)のような任意の適切な領域に位置してもよい。例えば、センサーは、着用式デバイス付近の皮膚(または、皮膚を覆う服)をこする時にデバイス付近の皮膚をタップする時、または、ユーザの腕の上下にデバイスを移動させる時、発生するようなユーザ皮膚の振動を検出する音響センサーを含むことができる。追加的な例として、センサーは、１つ以上の身体温度センサー、パルスオキシメータ(pulse  oximeter)、電気皮膚反応(galvanic-skin-response)センサー、容量性イメージング(capacitive  imaging)センサー、筋電図(electromyography)センサー、バイオメトリックデータリーダ(例えば、指紋、または目)、及びその他の適切なセンサーを含むことができる。かようなセンサーは、ユーザにユーザ状態に関するフィードバックを提供し、既定の機能性(例えば、糖尿に対してインスリンのような特定薬品を摂取せよとの警告)の開示に使用され、感知された情報を遠隔デバイス(例えば、病院の端末)に通信することができる。
【００５７】
着用式電子デバイスは、そのデバイスを充電したり、電力を提供するための１つ以上の充電コンポーネントを含むことができる。充電コンポーネントは、例えば、容量性充電、電磁気充電、トリクル(trickle)充電、直接電気接触による充電、太陽、キネティック(kinetic)、誘導、または知能型充電(例えば、バッテリーの状態、または条件に基づいて充電し、それにより充電動作を変更する)のような任意の適切な充電方法を活用することができる。充電コンポーネントは、例えば、デバイスの内部、または表面、またはデバイスバンドの内部、または表面のようにデバイスの任意適切な部分に位置してもよい。例えば、図20Aは、スロット2005を備えた充電器2000を図示し、このスロットは、充電コンポーネントを充電器に連結する。例えば、スロット2005は、摩擦、機械的構造(例えば、ラッチ、またはスナップ)、磁性(magnetism)、または充電コンポーネントの分枝(prong)と充電器2000とが直接電気接触するように、この分枝を収容及び固定する、その他の適切な技術を使用しうる。図20Cは、バンド2010上にある分枝2015を図示し、この分枝は、充電器2022とバンド2010との間にコンタクト(contact)2020を通じて回路接続を作るために、ポゴスタイル(pogo-style)コネクタを活用する。特定の実施例において、分枝2015は、充電器2022上にあり、図20Aのスロット2005は、バンド上にあるか、または着用式デバイスの本体上にある。特定の実施例において、コンタクト2020(例えば、ポゴ-スタイルコネクタ)は、デバイス本体上にあり、このコンタクトは、デバイスを充電する充電器とバンドとの間に回路を作るのに使用される。図20Aの充電器は、任意の適切な電源(例えば、交流(AC)コンセントからの電力、またはコンピューティングデバイス上のUSBポートからの直流(DC)電力)に、任意の適切な有線、または無線連結によって連結されてもよい。
【００５８】
充電器2000は、アクリル(acrylic)のような任意の適切な材料からなり、特定の実施例において、例えば、ゴムのように滑らない材料が充電器の背板に使用される。特定の実施例において、充電器2000は、表面に付着、または固定されてもよい。例えば、図20Bに図示されたように、壁に付着される。付着は、例えば、機械式、磁石式、または接着式のような任意の適切な技術を用いてなされる。特定の実施例において、着用式電子デバイスは、充電器に付着された間には、完全に使用可能である。例えば、充電コンポーネントがデバイス本体上に位置すれば、デバイスは、ユーザがデバイスと相互作用する間、またはそのデバイスと通信中である他のデバイスと相互作用する間に充電器内に置かれていても良い。
【００５９】
着用式電子デバイス内の充電コンポーネントの他の例として、図21A及び図21Bは、例えば、誘導(inductive)充電器を使用するさらなる例示的充電器を示す。図21A及び図21Bに図示されたように、バンドは、１つ以上の充電コイル2110を含むことができる。上述したように、本明細書は、デバイスのバンドに追加して、または代案として、デバイスの本体内に、または上に含まれた充電コイル(または、任意の他の適切な充電コンポーネント)を考慮する。例えば、充電面(charging  surface)2115、または充電面2120が生成した磁界2105は、充電コイル2110を通過する。図21Bの充電面2120は、充電コイル2110を通過した磁界2105の密度を充電面2115に比べて改善し、また、充電面2115よりも精密な配置を可能にし、システムの電荷伝送率(charge  transfer  rate)を改善する。本明細書は、望ましくは、充電がデバイス本体上、または、内部のコンポーネント、バンド上、または、内部のコンポーネント、または両者に対して電力を供給することを考慮する。
【００６０】
特定の実施例において、バンド、またはデバイスは、無線充電ソリューション(solution)のためのアンテナを実現することができる。無線充電は、鉄金属(ferrous  metal)のない所で最適に動作するので、コイルが、充電ドライバーと単に同一平面にあるより、その充電ドライバーの極(poles)の間に保持されるように許容することによって(上述の通りである)、改善された無線充電伝送容量を可能にしつつも、デバイスの本体に対する材料選択の幅を広げることができる。前述し、かつ図2に示されたように、能動バンド(active  band)は、伝統的な内部物理コンタクトコネクタ250も含むことができる。
【００６１】
特定の実施例において、内部電荷保存所を備えた充電ユニットは、着用式電子デバイスと関連する。壁にプラグインされれば、充電ユニットは、付着されたデバイス及び充電ユニットの内部保存所をいずれも充電することができる。プラグインされていない時、充電ユニットは、付着したデバイスをそのユニットの電力保存所が枯渇するまで、その保存所から充電することができる。ただ充電器のみがデバイスなしに電源に連結されれば、充電器は自ら充電することによって、以後時点で追加電力をデバイスに提供しうる。したがって、本明細書に説明された充電ユニットは、電源にプラグインされても、されなくても、有用であるが、この充電ユニットは、例えば、旅行中、飛行機搭乗中、駅、野外のようにユーザが電源に連結できない時、または、ユーザがデバイスの充電を所望するが、電源にアクセスできないすべての所で、任意の部分充電されたデバイスにしばらく電力を提供できるからである。デバイスは、充電器がそのデバイスを充電する間、待機状態、または使用状態(in-use)であり、対象(target)デバイスのソフトウェアやハードウェアの修正が要求されない。本発明の１つ以上の実施例の追加的利点は、ユーザが携帯せねばばならないアイテムの個数を減少させること、充電器及びパワーパック(power  pack)両者の利点を提供すること、移動時に充電器の携帯を有用にすること、ユーザが自分のデバイスのバッテリー寿命を延ばすために、携帯せねばならないケーブルとコネクタとの数を減少させることを含む。本明細書は、かような充電ユニットが任意の適切な電子デバイス(着用式電子デバイスを含むが、これに限らない)に適用される可能性があることを考慮する。
【００６２】
図22A及び図22Bは、デバイス2200に対する接続2205、及び接続2215及び2220を備えた例示的充電ユニット2210の特定の実施例を示す。例えば、図22Aは、充電ユニット2210からデバイス2200に、及び外部電源へのケーブル連結を示す。他の例として、図22Bは、デバイス2200からのケーブル連結及び電源への直接連結を備えた充電ユニット2210を示す。本明細書は、デバイス、充電ユニット、この充電ユニットを充電する電源間の任意の適切な連結を考慮する。例えば、デバイスへの連結と電源への連結の両者は、直接連結であるか、ケーブルを通じた連結であるか、無線連結である。
【００６３】
上述したように、充電ユニットは、外部電源に連結されていない時にも、充電ユニット内の電荷保存所からデバイスを充電することができ、外部電源に連結された時、それ自体で、連結されたデバイス、または両方ともを充電することができる。本明細書は、充電ユニットとデバイスとの間に充電を割り当てる任意の適切な方式を考慮する。かような割当て方式は、デバイスの内部充電量、充電ユニットの内部充電量、デバイスが消費する電力量、外部電源の充電容量、またはこれらの適切な組合わせによって決定されてもよい。追加して、または代案として、充電臨界(charging  threshold)は、いかなる割当て方式を使用するのかを決定しうる。例えば、一充電方式は、デバイスがほぼ満充電付近にあり、充電ユニットはほとんど電荷を有していない時に使用され、他の充電方式は、デバイスが残された電荷をほとんど有していない時に使用される。図23及び図24は、充電ユニット及び連結されたデバイスのための例示的充電方式を示す。例えば、図24に示されたように、デバイスが段階2400で充電器に連結されれば、段階2500でデバイスが満充電されたか否かが判断される。“はい”であれば、追加の充電動作はない。“いいえ”であれば、段階2410で充電器が外部電源(例えば、電源電圧(line  voltage))に連結されたか否かが判断される。連結と判断されれば、デバイスは、段階2425で外部電源から充電される。連結と判断されなければ、段階2415で、充電器が、残された電力を有しているか否かが判断され、有していると判断されれば、デバイスは、段階2420で充電器の内部電源で充電され、充電ユニットが電源電圧に連結されれば、充電ユニットの保存所よりは、電源電圧から充電される。図23は、類似した決定ツリーを示す。電源に連結された充電器にデバイスが連結されれば(段階2300)、段階2310でデバイスが満充電されたか否かが判断され、満充電でなければデバイスは、充電器が連結された電源から充電される(段階2315)。同様に、段階2320で、充電器が満充電されたか否かが判断され、満充電でなければ、充電器ユニットは、段階2325で電源から充電される。特定の実施例において、使われた割当て方式は、ユーザが決定するか、カスタマイズすることができる。
【００６４】
図25Aないし図25Eは、デバイスと充電ユニットでエネルギー保存と充電に関する例示的実施例を示す。図示された実施例の図25Aで、デバイスの電荷保存所2500と充電ユニットの電荷保存所2520がいずれも枯渇する。図25B及び図25Cは、充電ユニットが外部電源2510に連結された後、デバイスの電荷保存所2500とデバイスの電荷保存所2505とを充電することを示す。短い時間後、充電ユニットとデバイスはいっせいに充電されて、充電はそれぞれに総充電容量の同一パーセントが与えられるように配分される。図25cに図示されたように、デバイスの電荷保存所2500と充電ユニットの電荷保存所2505は、一定時間後に完全に充電される。本明細書に説明されたように、デバイスや充電ユニットに割り当てられた充電量は、任意の適切な充電割当て計画に基づいて変化する。例えば、充電ユニットの電力変換能力が制限され、充電ユニットの保存所がほぼフルになり(nearly  full)、デバイスの電荷保存所がほぼ空いたり、またはデバイスのエネルギー要求が非常に高ければ、充電ユニットは、該内部保存所を充電する前に、デバイスの充電に優先順位を置くことができる。他の例として、あらかじめ決定された臨界に充電が到達するまで、充電ユニットを充電し続けることができる。
【００６５】
図25D及び図25Eは、充電ユニットが外部電源に連結されていない時、充電ユニットとデバイスとの間の電荷伝送を示す。図25Dに示されたように、保存所2500に電荷がほぼ残っていないデバイスは、保存所2505が満充電された充電ユニットに連結される。上述したように、本明細書は、充電器が外部電源に連結されていない時、デバイスと充電器との間に任意の適切な充電割当て方式を考慮する。この割当て方式は、充電ユニットが外部電源に連結された時、使用される割当て方式と同一であるか、互いに異なる。例えば、図25Eは、デバイス内の電荷保存所2500の充電を最大化する割当て方式を示す。充電ユニットが電荷を有している限り、デバイスが満充電されたり、または充電器の電荷保存所2505が完全に枯渇するまで、充電ユニットは、デバイスを充電し続ける。
【００６６】
図26は、例示的充電ユニット2600の例示的内部構造を示す。電源電圧変換器2605は、高電圧ライン電流2610から低電圧直流を生産する。この電圧は、バッテリー充電器/レギュレーター2630及びコネクタ2615にいずれも供給され、コネクタ2615には、充電のためにデバイスが連結2620を通じて接続されてもよい。バッテリー充電器2630は、電源電圧変換器2605からの使用可能電力を用いてエネルギー保存所(バッテリー2635)を充電する。バッテリー充電器は、デバイスと同じ電力シェア(share  of  the  power)を取り、デバイスの要求が高い時(デバイス優先順位が高い)より小さいシェアを取り、内部電力備蓄(internal  power  reserves)が低い時(充電器優先順位が高い)より大きいシェアを取ることができる。ユーザは、これら優先順位を選択することができる。
【００６７】
図26の例を継続する。電源電圧変換器2605が電力を供給しない時、充電器/レギュレーター2630は、バッテリー2635の電力から適切な充電電圧を生成する。レギュレーター2630は、常にオン(on)であるか、デバイスへの接続によって、または、ユーザがデバイスの充電を所望することを示すボタンが押されれば、オンにスイッチされる。活性化されれば、レギュレーター2630は、内部備蓄が枯渇するまでデバイスを充電する。この際、一部電荷は、バッテリー寿命を延ばすために、バッテリー2635に残り続けることができるが、この電荷は、ユーザが使用することができない。デバイスは、非常モード(emergency  mode)を含み、このモードでは、バッテリー寿命を犠牲にして最小量の非常使用時間を得るために、このエネルギーの一部にアクセスすることができる。レギュレーター2630は、デバイスがアンプラグされるまで、またはデバイスが最小エネルギー量のみを引き出す(これは充電完了を示す)まで、エネルギーを提供し続けることができる。最後に、充電器/レギュレーター2630は、残余備蓄エネルギー量をユーザに示すオンデマンド式(on-demand)ディスプレイを含むことができる。ディスプレイは、一般的にエネルギーを使用するので、ボタンやその他の入力が限定された時間の間にディスプレイをトリガー(trigger)するために使用される。図26は、例示的充電ユニット2600の例示的内部構造を示しているが、本明細書は、ここに説明された任意の適切な充電ユニットの任意の適切な内部構造を考慮し、また、かような充電ユニットは、任意の適切な大きさと形状とを有する可能性があることを考慮する。
【００６８】
特定の実施例において、例えば、センサーのようなデバイスの機能性、またはコンポーネントは、例えば、電力を保存するか、所望しない機能性を縮小、または除去するために活性化及び非活性化されてもよい。例えば、ロック状態検出器は、デバイスが非活性化された時を検出し、ジェスチャーに対するセンサーデータを監視する間、またはその他の適切な入力がデバイスを再活性化できる間、必要に応じて、センサーを使用不能にして電力を保存する。デバイスは、スリープモード(sleep  mode)、または完全活性モード(fully  active  mode)のような１つ以上の電力モードを含むことができる。一例として、特定の実施例において、デバイスは、腕に着用され、デバイスのタッチ面は通常の使用中に事物や人と接触することができる。偶然な活性化を防止するために、デバイスの本体やバンド内にある加速度計、またはその他の慣性センサーが、地球重力に対してデバイスの概略的位置を測定するのに使用される。デバイスの側面に向かう重力ベクトルが検出されれば(例えば、ユーザの側面にデバイスがあると判断されたり、またはディスプレイがユーザに向かっていないと判断される)、エネルギー使用を減少させるために、タッチスクリーンはロックされ、ディスプレイは使用不能になる。重力ベクトルがデバイスの下を指すと判断されれば(例えば、デバイスは、略水平であり、よってユーザがデバイスを見たり、または使用すると判断される)、システムは、ディスプレイに電力を供給し、追加的相互作用のために、タッチスクリーンを使用可能にしうる。特定の実施例において、デバイスを始動するか、ロック解除する重力ベクトルの方向に追加的に、またはその方向に代案的に、方向の変化率(a  rate  of  change  of  the  direction)、または重力ベクトルの大きさが、デバイスを始動するか、ロック解除するのに使用される。例えば、重力ベクトルの変化率があらかじめ決定された時間0であれば(すなわち、デバイスは、あらかじめ決定された時間の間、特定の姿勢で保持される)、デバイスは、始動されるか、ロック解除されてもよい。他の例として、デバイス内の１つ以上の慣性センサーは、ディスプレイ、またはその他の適切なコンポーネント、またはアプリケーションを活性化するための特定ジェスチャー、またはジェスチャーのシーケンス(sequence  of  gestures)を検出することができる。特定の実施例において、デバイスのエンコーダは、偶発的活性化に強健であり(robust)、活性状態を保持することができ、よってユーザは、デバイスを視野角側に持ってくる間に選択を変更することができる。他の実施例において、エンコーダは、コンテキスト、またはユーザ入力に基づいて非活性化されてもよい。
【００６９】
電力保存に追加して、または代案として、特定の実施例において、１つ以上のユーザにセキュリティー(security)を提供するために、１つ以上のセンサー、特定機能性、または特定アプリケーションをロックすることができる。適切なセンサーは、デバイスのセキュリティー様相(secure  aspect)、または着用式デバイスとペアリングされたり、通信する他のデバイスのセキュリティー様相の活性化、またはロック解除を検出することができる。例えば、デバイスと共に実行されたり、またはデバイスのタッチ・センシティブ領域で実行された特定ジェスチャーは、該デバイスが有する１つ以上のセキュリティー様相をロック解除させることができる。他の例として、デバイスの回転型リングの特定回転や回転のシーケンスはそれ自体で、または他のユーザ入力との組合わせで、そのデバイスが有する１つ以上のセキュリティー様相をロック解除させることができる。例えば、ユーザは、数字や写真のようなシンボルの固有シーケンス(unique  sequence)で回転型リングを回すことができる。回転型リングを回すのに使われた回転入力シーケンスの受信に応答して、ディスプレイは、以下に詳細に説明されるように、各回転入力に相応する特定シンボルをディスプレイすることができる。特定の実施例において、使われたシンボルは、ユーザ-特定(例えば、デバイスに保存されたり、デバイスがアクセスしうるユーザ写真、または、ユーザがあらかじめ選択したシンボル)でありうる。特定の実施例において、互いに異なるシンボルがあらかじめ決定されたロック解除回数後、またはあらかじめ決定された時間後、ユーザに提示されてもよい。前述した例示的入力は、デバイスの様相、特定アプリケーション、または特定データに対するアクセスを活性化/非活性化させるのに追加的に、または代案的に使用される。本明細書は、デバイスのセキュリティー様相をロック解除する特定ユーザ入力を説明しているが、本明細書は、デバイスの任意セキュリティー様相をロック解除する任意の適切な入力、または入力の組合わせを考慮する。本明細書は、デバイスのセキュリティー様相をロック解除したり、またはデバイスのコンポーネントを活性化/非活性化する入力、またはその他の適切なパラメータをユーザがカスタマイズしうることを考慮する。
【００７０】
特定の実施例において、着用式電子デバイスは、デバイスと共に、またはデバイス上で実行される１つ以上のジェスチャーを検出することができる。ジェスチャーは、任意の適切なタイプでもあり、任意の適切なセンサー(例えば、慣性センサー、タッチセンサー、カメラ、または深さセンサー)により検出されもし、任意の適切な機能性と関連する。例えば、１つ以上の深さセンサーは、ジェスチャーをキャプチャーするために、１つ以上のカメラと共に使用される。特定の実施例において、多数の深さセンサー、またはカメラは、ジェスチャー、またはジェスチャーと関連した背景(background)を検出する正確度を向上させるために使用される。望ましくは、ジェスチャー(または、ジェスチャーと関連した機能性の開示に使われたプロセッシング)の検出に用いられるセンサーは、以下に詳細に説明されるように、電力を保存したり、セキュリティーを提供するために活性化、または非活性化されてもよい。上述したように、図19は、例示的センサー検出システムを示し、ジェスチャー検出、処理及び優先順位付け(prioritization)の具体例を提供する。特定の実施例において、特定アプリケーションは、特定ジェスチャー、またはすべての可用ジェスチャーに加入(subscribe  to)できるか;または、ユーザは、どのジェスチャーがどのアプリケーションによって検出されねばならないのかを選択することができる。特定の実施例において、ジェスチャーは、着用式デバイスを使いつつ、他のデバイスを操作(manipulation)することを含む。例えば、ジェスチャーは、着用式デバイスを照準したり、移動させたり、または異ならせて(otherwise)活用しつつ、他の(another)デバイスを揺することを含む。本明細書は、望ましくは、ここに説明された任意のジェスチャーが他のデバイスの操作を含みうることを考慮する。後述される実施例と図示は、ジェスチャーの特定様相、または属性(attribute)を含むが、本明細書は、ここに説明されたジェスチャーとセンサーの任意の適切な様相、または属性を組み合わせることを考慮する。
【００７１】
特定の実施例において、ジェスチャーは、ユーザの少なくとも１つの手、及びデバイスが着用される身体器官(例えば、ユーザの他の手首)を参与させる(involve)ジェスチャーを含む。例えば、特定の実施例において、ユーザは、デバイスが着用される手/腕を、デバイスの光学センサー(例えば、カメラ、または深さセンサー)を適切に照準するために使用でき、また、特定ジェスチャーを行うために、他の腕/手/指を移動させたり、位置させることができる。ここで説明され、図16〜図17に示されたように、特定の実施例において、視野角内にある場合、ユーザが実際の場面(scene)、デバイスにディスプレイされた場面、及びユーザの手/腕/指をいずれも見られるように、照準された場面がデバイスのディスプレイにディスプレイされてもよい。特定の実施例において、ディスプレイされた場面は、センサーによって検出され、ジェスチャーを行うために使われた手/指/腕を含むことができる。図27及び図28は、例示的ジェスチャーを示し、このジェスチャーでユーザがデバイス上(例えば、図面に示されたように、デバイスのバンド上にある)の外向き(例えば、ユーザの体から遠ざかる)センサーを照準し、ジェスチャーを行うためにその他の腕/手/指を移動、または位置させる。例えば、図27で、外向きセンサーは、センサーの視野角内のオブジェクトを検出し（2705）、外向きセンサー(これは、オブジェクトを検出するセンサーと同一であり得る)は、オブジェクトを示す１本以上の指を検出し（2710）、指す指が動かないと判断されれば（2715）、ジェスチャーが検出される（2720）。図19を参照すれば、外向きカメラがキャプチャーしたロージェスチャーデータ(raw  gesture  data)は調整され、ノイズが除去され、そのデータは、ヒューリスティックジェスチャー検出器に送信されてもよい。ジェスチャー優先順位デコーダは、ジェスチャーデータを処理し、十分な正確度でジェスチャーが識別された時を判断する。ジェスチャーが識別された時、そのジェスチャーは、末端アプリケーションとシステムコントローラにAPIを提供するセンサーハブドライバーに送信される。
【００７２】
このジェスチャーと関連した機能性の例として、カメラは、オブジェクトに焦点を合わせ、検出され、指されたオブジェクトは、その後にディスプレイに示され、そのオブジェクトに関する情報がディスプレイに示され、ディスプレイされたコンテンツは、他のデバイスのディスプレイに伝送されてもよい(例えば、そのオブジェクトが異なるデバイスである時)。図28は、図27のジェスチャーに類似した例示的ジェスチャーを示す。しかし、図示されたジェスチャーは指(例えば、指は、センサーから遠ざかるように移動)の“タッピング”モーションを検出する外向きセンサーを含む。例えば、図28のジェスチャーは、段階2805でカメラ(または、その他の適切なセンサー)の場面内のオブジェクトを検出し、段階2810で、その場面内の指を検出し、段階2815で、その指の横方向移動がないということを検出し、段階2820で、センサーからさらに遠ざかる側に移動する指先(finger  tip)を検出し、及び段階2825で、ジェスチャーを検出することを含むことができる。図28に示されたジェスチャーは、任意の適切な機能性を提供することができる。例えば、“タッピングされた”オブジェクトは、ディスプレイスクリーンにディスプレイされたオブジェクトから選択されてもよい。
【００７３】
図29及び図30は、ユーザの指及び手の移動と共にオブジェクトが外向きセンサーとして検出される例示的ジェスチャーを示す。例えば、図29は、広げた２本の指を検出し（2915）、ピンチインされた２本の指(例えば、ピンチングモーション(pinching  motion))を検出し（2920）、次いで、ピンチインされた指をセンサーに向かって移動させることを検出（2925）する外向きセンサーを示す。ピンチインされてセンサーに向かって移動する指のモーションは、同時に、または順次に発生し、順次に段階を行うこと(シーケンスの各段階の間に時間がある)と同時に、段階を行うことは、互いに異なるジェスチャーになる。図30で、示された２本の指は、初期には互いに近く（3010）、外向きセンサーは、広げられる指を検出し（3020）、また遠ざかる手を検出する（3015）。図30で、指と手は同時に移動したり、または任意の適切なシーケンスに移動することができる。また、図29及び図30の様相は、ジェスチャーを形成するために結合される。例えば、指を、共にピンチングし、センサーから遠ざかる側に移動させるのは、固有のジェスチャーになる。特定の実施例において、検出された指、または手は、他のデバイスを操作でき、かような操作は、ジェスチャーの一部を形成することができる。ここに説明されるすべてのジェスチャーに対して、本明細書は、図29及び図30に示されたジェスチャーと関連した任意の適切な機能性を考慮する。
【００７４】
図31及び図32は、図29及び図30に類似した例示的ジェスチャーを示す。ここでは、すべての指がジェスチャーを行うために使用される点が、図29及び図30と異なる。図31で、すべての指は、最初には共に握った状態(例えば、こぶし)として検出され（3105）、センサーから遠ざかる側に移動するこぶしが検出され（3110）、センサーは、こぶしを広げることを検出する（3115）。また、図示された段階のシーケンスは、任意の適切な順序で発生しうる。図32は、図31の逆(reverse)を示す。図31及び図32は、任意の適切な機能性と関連する。図31は、デバイスにディスプレイされたコンテンツの全部、または一部を、図31に示されたテレビのような他のデバイスに送信する例を示す。同様に、図32のジェスチャーは、他のデバイスにディスプレイされたコンテンツの全部、または一部を着用式デバイスのディスプレイにドラッグすることができる。例えば、図31及び図32のジェスチャーは、ユーザが、例えば、スマートフォン、タブレット、個人コンピューティングデバイス、スマート家電製品(例えば、冷蔵庫、温度計、または洗濯機)、またはその他の適切なデバイスのような他のデバイスの付近で、着用式デバイスでジェスチャーする時、具現されてもよい。説明された機能性は、図31及び図32に示されたジェスチャーと関連する機能性の例に過ぎず、本明細書は、他の適切なジェスチャーが説明された機能性が行えるということを考慮する。
【００７５】
図33ないし図37は、センサーの前でスワイピングされる(swiping)腕の一部、または手を検出する外向きセンサー(outward-facing  sensor)を示す。特定の実施例において、手の平でスワイプすることは、手の甲でスワイプすることと異なるジェスチャーになる。図33及び図34は、センサーの視野角を横切って右側から左側に(3310-3315)、及び左側から右側に(3410-3415)スワイピングされる手を示し、また、図35ないし図37は、センサーの視野角を横切って下から上へ(3510〜3515、及び3735〜3740)、及び上から下に(3610〜3615及び3710〜3715)スワイピングされる手を示す。図示されたように、手は、初めには視野角内から始まって、視野角を通過して、視野角を出て行き(図36に示された通りである)、視野角の外から始まって、視野角を通過して、視野角を出て行き(図37に示された通りである)、視野角の外から始まって、視野角の一部を通過して、視野角に留まることができ(図33ないし図35に示された通りである)、または視野角内から始まって、視野角の一部を通過して、視野角に留まることができる。本明細書は、例えば、デバイスに対して45°下でその右側に入り、デバイスの上部に対して45°角度でその左に出て行くような異なる角度でスワイピングされる手を考慮する。また、本明細書は、曲線スワイプ、または三角スワイプのような直線ではないモーションの手スワイプを検出することも考慮する。本明細書は、図33ないし図37に示されたジェスチャーの一部、または全部と関連した任意の適切な機能性(例えば、デバイスにディスプレイされたユーザインタフェース間の転移(transition)、またはデバイスにディスプレイされて活性であるアプリケーション間の転移、アプリケーションの開閉、またはディスプレイされたコンテンツのスクローリング)も考慮する。他の所で繰り返されるように、本明細書は、図33ないし図37と関連して説明された機能性と関連した任意の適切なジェスチャーを考慮する。
【００７６】
図38及び図39は、外向きセンサーが視野角内のユーザの手を検出し(3805)、また、一方向を示す１本以上の指(特定の実施例において、ユーザの手、または腕の一部と共に)を検出する(3815)という例示的ジェスチャーを示す。検出されたジェスチャーは、検出された指または検出された指が指す方向により異なりうる。例えば、図38に示されたように、指は、上方を指す親指であり(3820)、図39で、指は、下方を指す親指でもある(3920)。ファイルをデバイス、または関連デバイスに局所的に保存したり、削除すること、または設定、または他のコンテンツに対してなされた変更を承認したり、拒否するような任意の適切な機能性が、図38及び図39に示されたジェスチャーと関連する。
【００７７】
図40は、外向きセンサーの視野角内で多数の指、または手の一部で作った形状を伴う例示的ジェスチャーを示す。図40に示されたように、形状は、リングであり(4010)、ジェスチャーは、特定方向に指す形状に関連していない指を含むことができる(4015)。図40に示されたように、ジェスチャーは、あらかじめ決定された時間形状(及び可能な残りの指)を保持することを含むことができる(4020)。
【００７８】
図41及び図42は、外向きセンサーの全部、または一部をユーザの指や手でカバーすることを含むジェスチャーを示す。図41に示されたように、デバイスの上から親指を下に向けたタイプのジェスチャー(a  thumbs-down  type  gesture)でセンサーをカバーすること(4105)は、デバイスの底から、またはデバイスの側面からセンサーをカバーすること(4210、図42に示された通りである)とは異なるジェスチャーになる。カバーリング方向は、例えば、手がデバイスをカバーする時、その手の形状によって検出されたり、手がデバイスをカバーする時、その手のオリエンテーションによって検出されたり、外向きセンサーがカバーされている方向を指す他のセンサー(例えば、外向き-センサー及びディスプレイがカバーされていることを検出する)からのデータ、またはその他の適切な技術によって検出されてもよい。
【００７９】
図43及び図44は、例示的ジェスチャーを示し、ここで、１つ以上のユーザの指、または手/腕の一部が外向きセンサーの視野角内で検出され(4305/4405)、その後、この指、または手/腕の一部は、視野角(または“フレーム”)内で移動(4310/4320/4410/4420)して特定ジェスチャーを行う。特定の実施例において、ジェスチャーは、任意の適切な移動になるか、特定パターンの移動になる。特定の実施例において、ジェスチャーは、検出された手/腕の一部、または指と関連する。例えば、１本の指示指がジェスチャーと関連するか(4305、図43に示された通りである)、または多数の指/１つの手の平がジェスチャーと関連する(4405、図44に示された通りである)。特定の実施例において、手の平の方向(例えば、前面、背面、傾斜する)は検出されて、ジェスチャーと関連する。
【００８０】
図45は、ユーザの手/腕、または多数の指で作った形状を検出し(4505)、視野角内でその形状の移動を検出する(4510/4520)ことを含む例示的ジェスチャーを示す。図45は、外向きセンサーの視野角を通じて移動する図40の形状を示す。
【００８１】
図46は、１本以上の指(ユーザ手/腕の一部、または全部)及びそれらの初期オリエンテーションを検出し、次いで、オリエンテーションの変化、またはオリエンテーションの時間変化率を検出することを含む例示的ジェスチャーを示す。例えば、図46は、視野角内で2本の指を検出し(段階4605)、視野角内でその指及び手の端を検出し(段階4610)、“C"形状をなす指を検出し(段階4615)、“C"形状の初期オリエンテーションをデコーディングし(段階4620)、“C"形状のオリエンテーション変化をデコーディングし(段階4625)、“C"形状の相対回転値を判断し(段階4630)、及びジェスチャーを検出する(段階4635)ことを示す。本明細書は、ユーザの指/手/腕で作った任意の適切な形状を考慮する。
【００８２】
図47は、外向きセンサーの視野角内の特定位置にある多数の指を検出することを含む例示的ジェスチャーを示す。例えば、図47は、例えば、1本の差し延ばした親指(one  outstretched  thumb)、１本の差し延ばした親指と１本の指、または１本の差し延ばした親指と２本の指のように視野角内で指先を検出(段階4705)する。段階4710で、特定の指先オリエンテーション配置(specific  fingertip  orientation  configuration)が検出され、段階4715で、その配置が指の少なくとも数値カウント(at  least  a  numeric  count  of  the  fingers)にマッピングされ、段階4725でジェスチャーが検出される。ディスプレイされたイメージそれぞれは異なるジェスチャーでありうる。本明細書は、ジェスチャーを構成する任意の適切な指位置を考慮する。ここで説明されるすべてのその他の例示的ジェスチャーと関連して、本明細書は、そのジェスチャーと関連した任意の適切な機能性を考慮する。例えば、図47のジェスチャーそれぞれは、電話、電子メール、または文字転送する連絡先と関連し、検出されたジェスチャーは、該ジェスチャーに割り当てられた連絡先に、電話、電子メールまたは文字転送することを活性化しうる。特定の実施例において、手/腕/指の位置は、ジェスチャーと関連した連絡先に如何なる連絡方法が使われねばならないかを示すことができる。
【００８３】
図48及び図49は、デバイス上の二重センサーを含む例示的ジェスチャーを示す。例えば、図48は、デバイスの底バンド部にあるセンサーを示す。このセンサーは、デバイスに対するユーザの他の手の位置を検出し、センサーからその手の分離(separation)を検出する。特定の実施例において、ジェスチャーは、例えば、デバイス内の１つ以上の慣性センサーによって供給される付加情報によって、または場面の変化を通じてデバイスの移動を検出する内向き(inward-facing;例えば、ユーザの体に向かう)カメラによって供給される付加情報によって両手の移動を判断することを含むことができる。例えば、図48で、手は視野角内で検出される(段階4805)。センサーは、手がピンチされた形状であることを検出し(段階4810)、同一、または異なるセンサーは、デバイスが水平オリエンテーションにあることを検出する(段階4815)。センサーは、デバイスに対して移動する手を検出し(段階4820)、また、相手の位置を推定する(段階4825)。ジェスチャーは、段階4830で検出される。同様に、図49は、視野角内にあり、その後でデバイスセンサーから遠ざかる側に移動するユーザの手を検出することも含む例示的ジェスチャーを示す。しかし、図49において、デバイスセンサーは、デバイスの表面に位置される(例えば、前向きセンサー(front-facing  sensor))。例えば、前向きカメラの視野角内で手が検出される(段階4905)。この手は、ピンチされた形状として検出され(段階4910)、デバイスは、水平オリエンテーションとして検出される(段階4915)。手は、デバイスに近づく側に、または遠ざかる側に移動し(段階4920)、相対位置推定が実行され(段階4925)、この時点でジェスチャーが検出される(段階4930)。
【００８４】
図50ないし図58は、少なくとも１つの前向きセンサー(例えば、デバイスの表面にあるセンサー)が検出した例示的ジェスチャーを示す。図50ないし図58の任意のジェスチャーは、他の適切な位置にあるセンサー(例えば、上述したように外向き)により検出され、他の位置にあるセンサーによって検出された任意のジェスチャーは、望ましくは、前向きセンサーによって検出されてもよい。図50は、デバイス上をホバリングする(hovering)１本以上の指先を含む例示的ジェスチャーを示し、前向きセンサーは、指先を検出し(段階5005)、指先の位置、または指先のモーション(または、モーションなし)を検出し(段階5010、5015)、ジェスチャーを検出する(段階5020)。図51は、段階5105と5110とが段階5005と5010とでそれぞれ同じ例示的ジェスチャーを示す。しかし、検出された指先は、前向きセンサーから遠ざかる側に移動し(段階5115)、特定の実施例において、ジェスチャーは、例えば、段階5120で互いに離れるように、互いに位置を変更する１本以上の指先を検出することを含むことができる。図52は、センサーによって指先が検出され(段階5205)、指先がピンチインされ(段階5210)、指がデバイスに向かって移動し(段階5215)、及び移動モーションがしばらく持続し(段階5220)、ジェスチャーが検出(段階5225)されることを示す。図53に示されたように、特定の実施例において、ジェスチャーは、センサーに向かう指先のモーションに加えて、指先の相対位置変化を検出することを含むことができる。例えば、１本以上の指が前面で検出され(段階5305)、上方、または下方に移動する指先が検出され(段階5310)、ジェスチャーが検出される(段階5315)。特定の実施例において、図50ないし図52のジェスチャー持続期間によって、ジェスチャーの検出有無が判断可能であるか、または異なる持続期間は、異なるジェスチャーを含むことができる。
【００８５】
図54ないし図57は、デバイスの表面を横切る(すなわち、前向きセンサーを横切る)、１本以上の指のモーション、または手/腕一部のモーションを含む例示的ジェスチャーを示す。図示されたように、ジェスチャーは、使われた指の本数(例えば、2本の指vs.全体手の平)、デバイス表面を横切るモーションの方向(例えば、下から上へ、左側から右側に)、デバイス表面を横切るモーションの持続期間、検出された指、または手/腕のデバイス表面に対する近接度;デバイスの表面の部分(例えば、全部、または一部、及びその部分の相手の位置(例えば、底の半分))、または検出された部分が、初期に前向きセンサーの視野角内にあるか、外にあるか、末期に視野角内にあるか、または外にあるかによって異なる。例えば、図54のジェスチャーは、前面で検出された１本、または２本の指を検出し(段階5405)、左側に移動する指を検出し(段階5410)、ジェスチャーを検出(段階5415)することを含むことができる。他の例として、図55は、前面で検出された１本、または２本の指を検出し(段階5505)、右側に移動する指を検出し(段階5510)、ジェスチャーを検出(段階5515)することを含むことができる。他の例として、図56は、指を検出できず(段階5605)、左側から視野角に入場(enter)する多数の指を検出し、カバーされた前面を検出し、フレームを出て行く指を検出し(段階5620)、及びジェスチャーを検出(段階5625)することを含むことができる。さらに他の例として、図57は、指を検出できず(段階5705)、右側から視野角に入場する多数の指を検出し(段階5710)、完全にカバーされた前面を検出し(段階5715)、フレームを出て行く指を検出し(段階5720)、及びジェスチャーを検出(段階5725)することを含むことができる。ここに説明されたすべてのジェスチャーと関連して、これら因子(及びジェスチャーと関連したその他の適切な因子)の任意の適切な組合わせは、ジェスチャー、またはそのジェスチャーに相応する機能性を決定するために使用される。例えば、グラフィックユーザインターフェーススクリーンの間で転移、ディスプレイされたコンテンツを通じたスクローリング、または通信/ペアリングするためのデバイスや可用アプリケーションを通じたスクローリングのような任意の適切な機能性は、ジェスチャーと関連する。
【００８６】
図58は、デバイスの縁部で検出された１本以上の指を含む例示的ジェスチャーを示し、このジェスチャーは、デバイスのエッジ一部、または全部に沿って、これら指を移動させることを含むことができる。例えば、図58に例示されたように、ジェスチャーは、指を検出できず(段階5805)、前面の縁部で、１本の指を検出し(段階5810)、エッジに沿って移動する指を検出し(段階5815)、デバイスに対する指の角度モーション(angular  motion)をデコーディングし(段階5820)、及びジェスチャーを検出する(段階5825)ことを含むことができる。このジェスチャーと関連した機能性の例として、指の移動は、デバイスにディスプレイされた一部、またはすべてのコンテンツを回転させることができる。
【００８７】
特定の実施例において、ジェスチャーは、着用式デバイス(例えば、腕に着用するデバイス)のモーションを含むことができる。モーションは、任意の適切なセンサー(例えば、慣性センサー、オリエンテーションセンサー、またはこれらセンサーの任意の適切な組合わせ)により検出されてもよい。図59ないし図66は、デバイスに対して重力ベクトル(例えば、デバイス前面の方向を指すか、または基台を通じて下方を差す)を検出し、その重力ベクトルに対するデバイスの後続モーションを検出することを含む例示的ジェスチャーを示す。例えば、図59は、前面を通じて下方を指す重力ベクトルを検出し(段階5905)、重力ベクトルが指すところと同軸に沿うデバイスの加速を検出し(段階5910)、デバイスの加速がしばらく保持されることを検出し(段階5915)、ジェスチャーを検出する(段階5920)ことを含むことができる。図60は、重力ベクトルが基台(前面ではない)を通じて下方を示すこと(段階6005)を除き、図59のジェスチャーと非常に類似している。図61は、デバイスのオリエンテーション/位置(例えば、デバイスがユーザの体の側にない)を決定するために、重力ベクトルを使用するジェスチャーを示す。検出されたオリエンテーションからデバイスのモーション(例えば、重力ベクトルに垂直である)が検出され、ジェスチャーになる。例えば、検出された重力オリエンテーションは、腕が体の側面に位置しないと示すことができ(段階6105)、デバイスの横加速が検出され(段階6110)、この加速がしばらく検出され(段階6115)、ジェスチャーが検出される(段階6120)。図59ないし図61が示すように、モーションの様相(例えば、加速の持続期間)を検出するのは、ジェスチャーをトリガー(trigger)することができ、様相の範囲(例えば、モーション持続期間の範囲)は、互いに異なるジェスチャーにそれぞれ相応することができる。図62及び図63は、デバイスの回転モーションを示す。図61に示されたように、デバイスの初期オリエンテーション、または位置の検出は、ジェスチャー検出の一部になることができる。例えば、図62のジェスチャーは、腕が体の側面に位置しないと重力ベクトルが示すことを検出し(段階6205)、一部の回転モーションを検出し(段階6210)、回転モーションの半径がエルボーモーションに対して十分に大きいのかを推定し(段階6215)、相対回転を検出し(段階6220)、ジェスチャーを検出すること(段階6225)を含むことができる。他の例として、図63のジェスチャーは、腕が体の側面に位置しないと重力ベクトルが示すことを検出し(段階6305)、一部の回転モーションを検出し(段階6310)、回転モーションの半径が手首モーションに対して十分に小さいのかを推定し(段階6315)、相対回転を検出し(段階6320)、ジェスチャーを検出すること(段階6325)を含むことができる。図62及び図63に示されたように、ジェスチャーは、例えば、主に肩での回転(図62)、主にエルボーでの回転、またはその他の適切な回転のようなデバイスの回転タイプを推定することを含むことができる。回転半径に追加して、または代案として、ジェスチャーは、回転量、回転持続期間、回転の放射加速(radial  acceleration)、その他の適切な回転様相、またはこれらの適切な組合わせを検出することを含むことができる。
【００８８】
図61ないし図63のように、図64は、デバイスの初期オリエンテーション、または位置を検出することを含むジェスチャーを示す。例えば、図64のジェスチャーは、腕が体の側面に位置しないということを、重力ベクトルが示すことを検出し(段階6405)、腕の軸に沿う腕の横加速を検出し(段階6410)、加速がしばらく保持されることを検出し(段階6415)、ジェスチャーを検出すること(段階6420)を含むことができる。図65は、デバイスを着用する身体器官の軸に沿うデバイスのモーション(例えば、前記軸に沿うデバイスの加速)を含みうるジェスチャーを示す。ジェスチャーは、モーションの経路に沿うインパクト(impact、例えば、手が停止したり、オブジェクトと接触することによって引き起こされる)、後続するモーションの反転(reversal  of  motion)を含むことができる。前後モーション(back-and-forth  motion)は、該モーションが停止したり、手がある位置(例えば、ユーザの側面)に戻る前まで繰り返されてもよい。特定の実施例において、他のジェスチャーは、前後モーションの回数や頻度に基づくことができる。例えば、図65のジェスチャーは、腕が体の側面に位置しないと重力ベクトルが示すことを検出し(段階6505)、手がモーション中であることを検出し(段階6510)、モーションの経路に沿う衝撃(インパクト)を検出し(段階6515)、同一線形経路に沿って、手がモーションを反転したことを検出し(段階6520)、段階6515及び6520を適切に繰り返して、モーションがしばらく停止していることを検出し(段階6525)、及びジェスチャーを検出すること(段階6630)を含むことができる。
【００８９】
図66ないし図68は、所定のモーションテンプレート(template)とマッチするモーションの検出に基づく例示的ジェスチャーを示し、このモーションテンプレートは、ユーザが作ったり、カスタマイズすることができる。特定の実施例において、カスタマイズ可能なジェスチャーは、デバイスの初期位置、またはオリエンテーション、特定方向でのモーション、またはモーションの様相、モーションの開始と停止、モーションの持続期間、またはその他の適切なパラメータを含むことができる。このパラメータの一部、または全部は、特定の実施例において、ユーザがカスタマイズすることができる。特定の実施例において、検出されたモーションを最も近接した使用可能モーションテンプレート(the  closet  available  motion  template)にマッチングして検出ジェスチャーを決定してもよい。例えば、図66ないし図68に示されたように、ジェスチャーは腕、または指の水平位置、またはモーションに相応する。例えば、図66に示されたように、ジェスチャーは、デバイスの基台の底を通じて、下向き(oriented)重力ベクトルを検出し(段階6605)、前方及び内側へのモーションを検出し(段階6610)、モーションテンプレートをマッチングし(段階6615、例えば、図19のヒューリスティック、数値、またはパターン基盤のジェスチャー認識モジュールを使用する)、及びジェスチャーを検出すること(段階6620)を含むことができる。図67は、デバイスの基台の底を通じて側面に指向された重力ベクトルを検出し(段階6705)、前方及び内側へのモーションを検出し(段階6710)、モーションテンプレートをマッチングし(段階6715、例えば、図19のヒューリスティック、数値、またはパターン基盤のジェスチャー認識モジュールを使用する)、ジェスチャーを検出すること(段階6720)を含むことができる。図68は、腕が体の側面に位置しないと、重力ベクトルが示すことを検出し(段階6805)、デバイスのモーションを検出し(段階6810)、モーション停止を検出し(段階6815)、モーションテンプレートをマッチし(段階6820)、最適のモーションテンプレートマッチを選択し(段階6825)、ジェスチャーを検出すること(段階6830)を含むことができる。図66ないし図68は、特定モーションテンプレートに相応するカスタマイズ可能なジェスチャーの具体例を図示しているが、本明細書は、任意の適切なセンサーが検出する任意の適切なジェスチャー(または、ジェスチャーの任意様相)を考慮して、任意の適切なセンサーは、デバイスのユーザがカスタマイズすることができる。
【００９０】
特定の実施例において、ジェスチャーは、一部の非モーション(non-motion)、または非オリエンテーション(non-orientation)入力を検出することを選択的に含むことができる。例えば、図69ないし図71は、音響の検出を含むジェスチャーを示すが、示されたジェスチャーは、そのような検出を要求はしない。図69は、デバイスの一部のモーション後(例えば、ユーザの顔側でデバイスを持っていく)、音響出力(例えば、着信、または発信電話呼出し音)、または応答を示す。例えば、オーディオ応答、または出力が開始され(段階6905)、上向きモーションが検出され(段階6910)、上向きモーションの停止が検出され(段階6915)、重力ベクトルが所定のウインドウ内にあり(段階6920)、ジェスチャーが検出される(段階6925)。特定の実施例において、ジェスチャーは、図示されたように、特定オリエンテーション、またはオリエンテーションウインドウ内の重力ベクトルを検出することを含むことができる。図69のジェスチャーは、ユーザの手/指の位置を検出することも含むことができる。図69に示されたジェスチャーと関連する機能性の例として、指が指された位置から耳、または顔付近に来ると、ユーザは電話をかけたり、電話呼び出しに答えることができる。図70の段階7005〜7025は、図69に対する説明と類似した属性を有するが、ユーザの手/指のオリエンテーションが異なる例示的ジェスチャーを示す。図71は、ユーザが作った(例えば、ユーザが指をスナッピンング(snapping)する)音響を含む例示的ジェスチャーを示し、この音響は、デバイスと関連したマイクロホンによって検出される。例えば、図71は、腕が体の側面に位置しないということを示す重力ベクトルを検出し(段階7105)、相対的に加速度が高いモーションを検出し(段階7110)、１つ以上の音響周波数の突然変化を検出し(段階7115)、及びジェスチャーを検出すること(段階7120)を含むことができる。図71に示されたように、スナップモーションは、スナップのみで生成されたモーションによって(例えば、ユーザの手/皮膚の振動によって、またはスナップに起因した回転の変化程度、または回転変化率による)検出されるか、またはモーションとスナップによって生成された聴覚入力の組合わせによって検出される。特定の実施例において、聴覚確認(auditory  confirmation)は、ジェスチャーが検出されるために、モーションの所定時間内に検出されねばならない。
【００９１】
図72及び図73は、デバイスの周期的モーション(例えば、デバイスがある腕を横方向、または垂直方向に振る)を含む例示的ジェスチャーを示す。図72は、腕が体の側に位置しないと示す重力ベクトルを検出し(段階7205)、軸上で横側前方に移動するデバイスを検出し(段階7210)、同一軸上で後方に移動するデバイスを検出し(段階7215)、段階7210と7215を所望するところのままに繰り返して、ジェスチャーを検出すること(段階7220)を含むジェスチャーを示す。図73は、腕が体の側に位置しないと示す重力ベクトルを検出し(段階7305)、軸上で垂直前方(vertically  forward)に移動するデバイスを検出し(段階7310)、同一軸上で後方に移動するデバイスを検出し(段階7315)、段階7310と7315とを所望の通りに繰り返して、ジェスチャーを検出すること(段階7320)を含むジェスチャーを示す。図74は、ユーザの体に対してデバイスの位置/オリエンテーションを調整することを含む例示的ジェスチャーを示す。例えば、図74のジェスチャーは、腕が体の側にあると示す重力ベクトルを検出し(段階7405)、腕が体の側に位置しないと示す重力ベクトルを検出し(段階7410)、及びジェスチャーを検出すること(段階7415)を含むことができる。例えば、デバイスを低電力状態からの始動のような任意の適切な機能性が、図72ないし図75のジェスチャーと関連する。図75は、デバイスの開始から停止までデバイスの高さ(height)、またはデバイス高の相対的変化を含む例示的ジェスチャーを示す。デバイスの高さに加えて、ジェスチャーは、該ジェスチャーの前、中間、後のデバイスオリエンテーションを含むことができる。例えば、ジェスチャーは、腕が体の側に位置しないと示す重力ベクトルを検出し(段階7505)、上向きモーションを検出し(段階7510)、上向きモーションの中断(halt)を検出し(段階7515)、重力ベクトルがデバイス基台の側面を通じて示していることを検出し(段階7520)、及びジェスチャーを検出すること(段階7525)を含むことができる。例えば、デバイスとペアリングされた装備(equipment)を活性化すること、部屋にある１つ以上の電球をつけること、またはデバイスの付近の装備を活性化するような任意の適切な機能性が、図75のジェスチャーと関連する。
【００９２】
特定の実施例において、ジェスチャーは、着用式デバイスの本体、またはバンドと直接相互作用することを含むことができる。例えば、図76は、ユーザ手首の周囲に着用されたバンドのタッチ・センシティブ領域とのコンタクトを含むジェスチャーを示す。ジェスチャーは、デバイスがロック状態でないということを検出し(段階7605)、バンドに対するタッチがないということを検出し(段階7610)、バンドに対するタッチを検出し(段階7615)、タッチの位置をデコーディングし(段階7620)、ジェスチャーを検出すること(段階7625)を含むことができる。図77は、多数の位置でタッチが単一ジェスチャー(例えば、デバイス、またはそのデバイスの様相をロック解除するためのジェスチャー)として判断される可能性があることを示す。ジェスチャーは、デバイスがロック状態でないということを検出し(段階7705)、バンドに対するタッチがないということを検出し(段階7710)、バンドに対するタッチを検出し(段階7715)、タッチの位置をデコーディングし(段階7720)、アクションをデコーディングし(段階7725)、ジェスチャーを検出すること(段階7730)を含むことができる。図78は、デバイスのタッチ・センシティブ領域とコンタクトし、そのデバイスとのコンタクトを保持しつつ、タッチ・センシティブ領域を横切って摺動を含みうるジェスチャーを示す。ジェスチャーは、デバイスがロック状態でないということを検出し(段階7805)、バンドに対するタッチがないということを検出し(段階7810)、バンドに対するタッチを検出し(段階7815)、タッチポイントの移動を検出し(段階7820)、相対モーションをデコーディングし(段階7825)、ジェスチャーを検出すること(段階7830)を含むことができる。特定の実施例において、ジェスチャーは、コンタクトの持続期間、コンタクトの物理的領域(例えば、１本、または２本の指でコンタクト)、コンタクトのシーケンス、コンタクトによって生成された圧力、またはその他の適切なコンタクト-関連属性を含むことができる。図76ないし図78は、バンドにあるタッチ・センシティブ領域とのコンタクトを示しているが、本明細書は、ジェスチャーがデバイスの任意の適切な位置(例えば、デバイスバンド、リング、ディスプレイ、またはそれらの適切な組合わせ)にあるタッチ・センシティブ領域とのコンタクトを含む可能性があることを考慮する。例えば、図79及び図80は、図77〜78のジェスチャーと同様に、デバイスリングにあるタッチ・センシティブ領域とのコンタクトを示す。例えば、ジェスチャーは、デバイスがロック状態でないということを検出し(段階7905)、リングに対するタッチがないということを検出し(段階7915)、リングに対するタッチを検出し(段階7920)、及びジェスチャーを検出すること(段階7925)を含むことができる。他の例として、ジェスチャーは、デバイスがロック状態でないということを検出し(段階8005)、リングに対するタッチがないということを検出し(段階8010)、リングに対するタッチを検出し(段階8015)、タッチポイントの移動を検出し(段階8020)、相対モーションをデコーディングし(段階8025)、ジェスチャーを検出すること(段階8030)を含むことができる。図81は、デバイス表面のタッチ・センシティブ領域とマルチ・タッチコンタクトと、コンタクトポイントの後続移動を検出することを含むジェスチャーを示す。ここで、後続移動は、例えば、タッチ・センシティブ領域とコンタクトする指のモーションによって、またはデバイスが着用された手首/手の移動によって引き起こされる。ジェスチャーは、デバイスがロック状態でないということを検出し(段階8105)、表面に対するタッチがないということを検出し(段階8110)、表面にタッチする少なくとも２本の指を検出し(段階8115)、タッチポイントの移動を検出し(段階8120)、相対モーションをデコーディングし(段階8125)、ジェスチャーを検出すること(段階8130)を含むことができる。手首/手の移動は、例えば、デバイスの慣性センサーによって検出され、この検出によって、タッチポイントを移動させる他の方式が2個の区別されるジェスチャーになる。図82は、デバイスとの初期コンタクトを含むジェスチャーを示し、このコンタクトは、デバイス内部、または表面にある１つ以上の近接センサー、またはデバイスにあるか、その付近にある慣性センサーによって検出されてもよい。ジェスチャーは、例えば、ユーザがデバイスを着用したことを示す持続コンタクトを検出することを含むことができる。例えば、ジェスチャーは、後方、またはバンド近接センサーとコンタクトがないということを検出し(段階8205)、近接センサーによるコンタクトを検出し(段階8210)、コンタクトが持続することを検出し(段階8215)、ジェスチャーを検出すること(段階8220)を含むことができる。図82のジェスチャーは、スリーピング(sleeping)デバイスをロック解除したり、そのデバイスに電力を供給することができ、またはその他の適切な機能性を提供することができる。
【００９３】
特定の実施例において、ジェスチャーは、デバイス付近の皮膚とのコンタクトを含むことができる。図83は、デバイスが着用された付近の皮膚をタッピングすることを含むジェスチャーを示す。タッピングは、デバイスの振動センサーによって検出されてもよい。タッピングモーションは、例えば、タッピングジェスチャーが作るサウンドを検出する１つ以上の音響センサーによって確認(confirmed)することができる。例えば、ジェスチャーは、デバイスがロック解除されているということを検出し(段階8305)、相対的に大きい加速度のモーションを検出し(段階8310)、例えば、タップのサウンドを検出し(段階8315)、モーション、またはサウンドをパターンにマッチし(段階8320)、ジェスチャーを検出すること(段階8325)を含むことができる。図84は、デバイス付近の皮膚をスワイプすることを含むジェスチャーを示し、このスワイプは、前記図83に説明されたセンサーによって検出及び確認されてもよい。例えば、ジェスチャーは、デバイスがロック解除されているということを検出し(段階8405)、相対的に大きい加速度のモーションを検出し(段階8410)、例えば、タップのサウンドを検出し(段階8415)、皮膚上で横移動の振動、またはサウンドを検出し(段階8420)、そのモーション、またはサウンドをパターンとマッチさせ(段階8425)、及びジェスチャーを検出すること(段階8430)を含むことができる。
【００９４】
特定の実施例において、ジェスチャーは、デバイスを着用していない手で行った隠喩的ジェスチャー(metaphoric  gesture)を検出することを含むことができる。例えば、かようなジェスチャーは、デバイスのディスプレイ上に、または付近にある任意の前向きセンサーによって検出され、前向きセンサーの視野角内にデバイスを着用していない手が位置するように、このデバイスは指向される。図85は、前向きセンサーが多数の指のモーション(例えば、指のタッピング)を検出することを含む例示的ジェスチャーを示す。例えば、ジェスチャーは、デバイスが所定オリエンテーションにあるということを検出し(段階8505)、指先を検出し(段階8510)、指先のモーションを検出したり(段階8515)、またはタップサウンドを検出し(段階8525)、１つ以上のジェスチャーを検出すること(段階8520及び8530)を含む。図86は、単一指のモーションを含む例示的ジェスチャーを示す。例えば、ジェスチャーは、デバイスが所定オリエンテーションにあるということを検出し(段階8605)、指先を検出し(段階8610)、指先のモーションを検出したり(段階8615)、またはタップサウンドを検出し(段階8625)、及び１つ以上のジェスチャーを検出すること(段階8620)を含むことができる。図87は、オブジェクトを取った手の移動を検出し、オブジェクトのモーションを検出し、オブジェクトを追跡して(locking  on  to  the  object)、及びオブジェクトの後続モーションを検出することを含むジェスチャーを示す。具体例として、ジェスチャーは、デバイスが所定オリエンテーションにあるということを検出し(段階8705)、手を検出し(段階8710)、手のモーションを検出し(段階8715)、手と共に移動する追加オブジェクトを検出し(段階8720)、オブジェクトを追跡し(段階8725)、オブジェクトのモーションを検出し(段階8730)、ジェスチャーを検出すること(段階8735)を含むことができる。例えば、オブジェクトは、ペン、またはその他のスタイラス型道具(stylus-like  implement)であって、デバイス上の前向きセンサーは、道具の筆記モーションを検出し、例えば、テキストをデバイス上に、または着用式デバイスと通信する他のデバイス上に生成/保存することができる。図87の例で、ユーザは、ディスプレイ、または他の筆記面(writing  surface)に筆記コンテンツを実際に生成せずとも、絵、ノート、または他の筆記コンテンツを生成することができる。ここでさらに詳細に説明されるように、任意の適切なジェスチャー、またはジェスチャーの組合わせは、拡張現実(augmented-reality;“AR”)機能性をインパクト、または開始するのに使用され、また、AR機能性を使用するタスク(task)を行うのに使用される。例えば、図85ないし図87のジェスチャーは、仮想キーボード、仮想マウス、または仮想タッチスクリーンとのユーザ相互作用をキャプチャーするのに使用され、これら相互作用は、着用式デバイス、またはその他のペアリングされたデバイスに対する入力を生成することができる。本明細書は、隠喩的ジェスチャー及びオブジェクト検出(及び関連機能性)の具体例を説明しているが、本明細書は、任意の適切な隠喩的ジェスチャー、任意適切なオブジェクトの検出、及び任意適切な機能性と関連した、かようなジェスチャーを考慮する。
【００９５】
特定の実施例において、ジェスチャーは、デバイスが付着したり、着用される身体器官全体を含むことができる。例えば、図88ないし図92は、デバイスが着用される腕のモーションを含む例示的ジェスチャーを示す。ジェスチャーは、腕の初期位置を検出し(例えば、重力ベクトルの方向を検出する加速度計を通じる)、デバイスのモーション(腕を通じる)を検出し、重力ベクトルの相応する変化を検出し、腕が動きを停止したことを検出することを含むことができる。かようなジェスチャーは、移動の持続期間、移動量(例えば、大きい半径のモーションを検出し、腕全体が移動したことを確認する)、移動加速度、またはその他の適切な移動関連属性を検出することも含むことができる。図88ないし図92で図示したように、ジェスチャーは、頭の上に、前方に、サイドに、後方に、または初期-高い開始位置から下方に腕の移動を検出することを含むことができる。例えば、ジェスチャーは、手が体の側面にあると示す重力ベクトルを検出し(段階8805)、手の上向き移動を検出し(段階8810)、手が頭の上にあると重力ベクトルが示すことを検出し(段階8815)、移動停止した手を検出し(段階8820)、ジェスチャーを検出すること(段階8825)を含むことができる。他の例として、ジェスチャーは、手が体の側面にあると示す重力ベクトルを検出し(段階8905)、手の上方及び前方移動を検出し(段階8910)、手が水平であると重力ベクトルが指すことを検出し(段階8915)、手の移動停止を検出し(段階8920)、ジェスチャーを検出すること(段階8925)を含むことができる。さらに他の例として、ジェスチャーは、手が水平であると示す重力ベクトルを検出し(段階9005)、下方及び後方に移動する手を検出し(段階9010)、手が側面にあると重力ベクトルが示すことを検出し(段階9015)、移動停止した手を検出し(段階9020)、ジェスチャーを検出すること(段階9025)を含むことができる。さらに他の例として、ジェスチャーは、手が体の側面にあると示す重力ベクトルを検出し(段階9105)、上方及び後方に移動する手を検出し(段階9110)、手が水平であると重力ベクトルが示すことを検出し(段階9115)、移動停止した手を検出し(段階9120)、ジェスチャーを検出すること(段階9125)を含むことができる。さらに他の例として、ジェスチャーは、手が体の側面にあると示す重力ベクトルを検出し(段階9205)、上方及び外方(outward)に移動する手を検出し(段階9210)、手が水平であると重力ベクトルが示すことを検出し(段階9215)、移動停止した手を検出し(段階9220)、ジェスチャーを検出すること(段階9225)を含むことができる。特定の実施例において、ジェスチャーは、デバイスが着用された身体器官のみならず、体全体のモーションを含むことができる。
【００９６】
特定の実施例において、ユーザは、例えば、外郭リング、タッチ・センシティブインターフェース(例えば、タッチ・センシティブ層)、ユーザのジェスチャー(後述される)、または音声インターフェース(例えば、テキスト入力、通信、または検索を含むアプリケーション用の音声入力及びスピーチ認識(voice  input  and  speech  recognition)を含む)を含む多様な入力メカニズム、またはタイプを通じてデバイスと相互作用する。追加的に、特定の実施例において、ユーザは、任意の入力メカニズム、またはタイプを通じて、デバイスの円形ディスプレイに提示されたグラフィックユーザインターフェースと相互作用することができる。
【００９７】
着用式電子デバイスのユーザは、外郭リングを用いてそのデバイス(例えば、円形ディスプレイ上に提示されたグラフィックユーザインターフェースを含む)と相互作用することができる。特定の実施例において、外郭リングは、タッチ・センシティブであり、よって外郭リングの１つ以上の部分をユーザがタッチすれば、そのタッチは、デバイスに対する入力として検出されて解釈され、１つ以上のアクションをデバイスが取るように(例えば、デバイスのグラフィックユーザインターフェース内で)することができる。例えば、タッチ・センシティブ外郭リングは、容量性リング、または誘導性リングであり、デバイスのユーザは、該デバイスへの入力を提供するために、タッチ・センシティブリングで任意の適切なジェスチャーを行うことができる。入力は、例えば、１本の指でリングをスワイプすること、２本以上の指でリングをスワイプすること、１本以上の指で回転型ジェスチャー(rotational  gesture)を行うこと、またはリングを握ることを含むことができる。特定の実施例において、外郭リングは、リングの物理的回転がデバイスに対する入力として機能可能なように回転自在になり得る。付加的に、特定の実施例において、外郭リングは、クリックされたり(例えば、押圧(presseddown))、押さえられる。外郭リングがタッチ・センシティブ、回転自在型、クリック可能型(または押圧可能型)、または押さえ可能型(squeezable)のうち、１つ以上になるように、外郭リングの任意実施例は、適切に組合わせることができる。外郭リングの互いに異なる様式から入力(例えば、タッチ、回転、クリッキングまたは押圧、または押さえ)は、例えば、ユーザが提供した入力様式の組合わせによって異なって解釈されてもよい。例えば、外郭リングの回転は、リングのクリッキングまたは押圧と組合わせた回転とは異なる入力を示すことができる。また、ユーザが外郭リングを通じて入力を提供すれば、例えば、ここに説明された触覚フィードバック、オーディオフィードバック、または視覚フィードバックを含むフィードバックがそのユーザに提供されてもよい。
【００９８】
図93Aは、ユーザが外郭リングをクリッキング(例えば、押圧)する例を示し、矢印9310で示す。図93Bは、ユーザが外郭リングを押さえる例を示し、矢印9320で示す。図94Aは、デバイスグラフィックユーザインターフェースのコンテンツ9410が回転(例えば、右回転)により変化するように、ユーザが外郭リングを回転させる例を示す。図94Bは、デバイスグラフィックユーザインターフェースのコンテンツ9420が回転(例えば、右回転)により変化するように、リングそれ自体の回転なしに、ユーザがタッチ・センシティブリングで回転ジェスチャーを行う例を示す。図94Cは、デバイスグラフィックユーザインターフェースのコンテンツ9430が回転(例えば、右回転)、及び押圧(またはクリッキング)により変化するように、ユーザが外郭リングをクリッキングまたは押圧と同時に、その外郭リングを回転させる例を示す。
【００９９】
特定の実施例において、デバイスのタッチ・センシティブインターフェース(例えば、タッチ・センシティブ層)は、ユーザのタッチ入力を受け、デバイスに、ユーザタッチのx-y座標を判断し、多数のタッチ・コンタクトポイント(例えば、タッチ・センシティブ層の互いに異なる領域)を識別し、タッチ相互作用の互いに異なる時間の長さの間を区別(例えば、スワイピング、単一タッピング、またはダブルタッピングを含むジェスチャーを区別する)させうる。タッチジェスチャー(ここで説明される)は、多方向(multi-directional)スワイピング、またはドラッグ(dragging)、ピンチング、ダブル・タッピング、デバイスで押圧または押出(これは、上方に、または下方にデバイスの物理的移動を引き起こせる)、長い押圧(long  pressing)、マルチ・タッチ(例えば、タッチ・センシティブインターフェース上の任意の所をタッチしたり、そこでジェスチャーを行うために、多数の指、または道具を使用する)、または回転タッチジェスチャーを含むことができる。図95Aは、デバイスにユーザ入力を提供するために、タッチ・センシティブインターフェース(例えば、タッチ・センシティブ層)をユーザがタッピング9510する例を示す。デバイスは、タッチ・センシティブインターフェース(例えば、タッチ・センシティブ層)から入力を通じて、ユーザタッピングの精密なx-y座標を決定することができる。図95Bは、ユーザが時計周り方向の回転ジェスチャー9515、逆時計周り方向の回転ジェスチャー9520、垂直スワイプジェスチャー9525、及び水平スワイプジェスチャー9530をそれぞれ行う例を示す。図95Cは、ユーザがそれぞれ１つ、２つ、または３つのコンタクトポイント9535(例えば、1本、２本、または三本の指、または道具による)を同時に使ってディスプレイ(マルチ・タッチセンシング機能を備えたタッチ・センシティブ層を含む)をタッチする例を示す。図95Dは、ユーザがタッチ・センシティブインターフェースと多数のコンタクトポイントを有するジェスチャーを行う例を示す。本例で、ユーザは２本の指で、拡張(expanding)ジェスチャー9540、ピンチングジェスチャー9545、時計周り方向の回転ジェスチャー9550、または逆時計周り方向ジェスチャー9555を行う。
【０１００】
特定の実施例において、デバイスのグラフィックユーザインターフェースは、相互作用及び転移モデル(an  interaction  and  transition  model)によって動作することができる。このモデルは、例えば、アプリケーション、機能(functions)、サブモード(sub-modes)、確認(confirmations)、コンテンツ、コントロール、活性アイコン、アクション、または他の特徴やエレメントを含むモードがデバイスのグラフィックユーザインターフェース内でどのように組織(例えば、階層)されるのか決定することができる。
【０１０１】
一実施例において、グラフィックユーザインターフェース(GUI)は、デバイスの互いに異なるモード、またはアプリケーション(例えば、サブモード、機能、確認、コンテンツ、またはその他の特徴)にそれぞれ相応する複数の上位レベルスクリーンを含む。これらアプリケーションそれぞれは、GUIの相互作用及び転移モデルの階層内の同一レベルにあり得る。96aは、GUI内の階層の例示的レイアウトを図示し、このレイアウトで、多数の上位レベルスクリーン9602-9606、及び9610-9614それぞれは互いに異なるアプリケーションに相応し、上位レベルスクリーンのうち、１つ9608(ホームスクリーン)は、クロック(時計)に相応する。GUI内の状態転移(state  transition)は、デバイスのユーザのような入力ソースからの入力によってトリガーされるイベントでありうる。デバイスユーザや他の入力ソース(例えば、外郭リング、タッチ・センシティブインターフェース、ジェスチャー、音声、または、センサーを含む任意の多様な入力メカニズム、またはタイプを通じる)からの入力は、GUI内で転移(例えば、１つの上位レベルスクリーンから他のスクリーンに)を引き起こすことができる。例えば、入力は、GUIをホームスクリーン9608(例えば、クロック)からアプリケーション(例えば、3、または4)に、またはアプリケーションから他のアプリケーションに転移させることができる。ユーザが外郭リングを右側に回転させれば、例えば、GUIは、ホームスクリーン9608からアプリケーション4  9610に転移することができ、ユーザが外郭リングを左側に回転させれば、GUIは、ホームスクリーン9608からアプリケーション3  9606に転移することができる。他の実施例において、コンテキスト(例えば、デバイス上のセンサー、または他の入力ソースによって決定される)は、GUIをホームスクリーンからアプリケーションに、またはアプリケーションから他のアプリケーションに転移させることができる。
【０１０２】
一実施例において、モデルは、ホームスクリーンに対して右側と左側とを区分する操作性(operability)を含むことができる。一例として、１つ以上の上位レベルスクリーンは。、GUIの相互作用及び転移モデルの階層内モード、またはアプリケーション(または、他の特徴)と関連し、これらモード、またはアプリケーションは固定されたり(例えば、ユーザが常に使用可能である)、またはコンテキスト的(contextual)であるか、動的(例えば、コンテキストによって使用可能)である。コンテキストスクリーンは、例えば、ユーザが最も最近に使用したモード、アプリケーション、または機能、ユーザが最も最近に追加(例えば、ダウンロード)したモード、アプリケーション、または機能、臨時登録(ad-hoc  registered)デバイス(例えば、使用されるところによって、デバイスの通信範囲に属するか、属さない)、ユーザが“選好”するモード、アプリケーション、または機能(例えば、ユーザが明らかに指定する)、ユーザのために推薦されたモード、アプリケーション、または機能(例えば、ユーザの転移活動や現在のコンテキストに基づく)を反映することができる。図96Bは、GUI内階層の例示的レイアウトを図示し、このレイアウトで、コンテキスト、または動的アプリケーション9616-9620、及び固定されたアプリケーション9624-9628は、個別的にグループ化され、左側(ホームクロックスクリーン9622について)は、コンテキストアプリケーションを含み、右側は固定されたアプリケーションを含む。一例として、動的アプリケーション01  9620は、最も最近に使われたアプリケーションでもあり、動的アプリケーション02  9618は、二番目に最近に使われたアプリケーションでもあり、以後同一に続く。
【０１０３】
特定の実施例において、GUIの相互作用及び転移モデル内階層の上位レベルは、“フェース(face)"のみを含み、その階層の次のレベルがアプリケーション(または、その他の特徴)を含むことができる。一例として、その階層の上位レベルは、ホームスクリーン(例えば、クロック)及び１つ以上のフェースを含み、各フェースは、ウォールペーパー(例えば、ユーザがカスタマイズすることができる)、天気情報、カレンダー、または日常の生活情報のような互いに異なるタイプの背景、モード、または活動に相応する。各フェースは、ディスプレイされた他の情報に加えて、時間を示すことができる。さらに、現在のディスプレイされるフェースは、ユーザによって選択されたり(例えば、任意の適切な入力メカニズム、またはタイプを通じる)、またはコンテキスト(例えば、ユーザの活動)に基づいて自動的に変更されてもよい。ホームスクリーンの左側フェースは、コンテキスト的(contextual)であり、ホームスクリーンの右側フェースは、固定されてもよい。図97は、GUI内階層の例示的レイアウトを図示し、このレイアウトで、階層の上位レベルは、フェース9710-9770(クロックフェース9740を含む)を含み、その階層の次のレベルは、アプリケーション9715-9775を含む。
【０１０４】
特定の実施例において、デバイスのユーザからの入力、または他の入力ソース(例えば、外郭リング、タッチ・センシティブインターフェース、ジェスチャー、音声、または、センサーを含む任意の多様な入力メカニズム、またはタイプを通じる)からの入力、またはデバイスの使用コンテキストは、GUI内で、そのGUIの相互作用及び転移モデルの階層内の１つのレベルにあるスクリーンを、その階層内の他のレベルのスクリーンに転移させることができる。例えば、ユーザによる選択イベント、または入力(例えば、ディスプレイのタッチまたはタップ、音声入力、凝視(eyegazing)、外郭リングのクリッキングまたは押圧、外郭リングの押さえ、任意の適切なジェスチャー、センサーが検出した内部筋肉モーション、またはその他の入力)は、GUI内で上位レベルスクリーンから、階層内で一レベル深さほど重畳(nested)されたスクリーンに転移を引き起こすことができる。例えば、現在のスクリーンがアプリケーションと関連した上位レベルスクリーンであれば、選択イベント(例えば、リングを押圧)は、該アプリケーションを選択し、GUIをして、さらに深く重畳されたスクリーンに転移させうる。この二番目のスクリーンは、例えば、選択されたアプリケーションの特徴と相互作用を許容し、特定の実施例において、選択されたアプリケーションの主機能に相応する。多くのスクリーンがこの二番目、重畳層にあり、これらスクリーンそれぞれは選択されたアプリケーションの互いに異なる機能、または特徴に相応することができる。同様に、ユーザによる“戻り(back)"選択入力、またはイベント(例えば、外郭リングを二回押圧、またはディスプレイの特定の部分でタッチジェスチャー)は、GUI内で１スクリーン(例えば、特定アプリケーションの特徴)から、階層内の１レベル高い他のスクリーン(例えば、上位レベルアプリケーションスクリーン)に転移を引き起こすことができる。
【０１０５】
図98Aは、デバイスの特定アプリケーションの機能、またはモード9805、及び機能の使用、またはアプリケーション9810に対する相互作用、及び転移モデルの例示的動作を示す。一例として、アプリケーションがカメラであれば、そのカメラアプリケーションの機能、モード、または他のエレメントは、ピクチャーモード、ビデオモード(例えば、ライブビュー(live  view)による)、及びフラッシュをオン/オフにすることを含むことができる。多様な機能、モード、または他のエレメントは、モデル階層の単一層内での転移を通じてアクセスされてもよい。これら層内の(intra-layer)転移は、デバイスのユーザのような入力ソースから特定タイプの転移イベント、または入力(例えば、外郭リングの時計周り方向、または逆時計周り方向の回転)を受信、または決定するか、またはそのデバイス使用の特定コンテキストを決定すれば、起こりうる。特定の実施例において、転移イベント入力は、例えば、ディスプレイのタッチまたはタップ、音声入力、凝視、外郭リングのクリッキングまたは押圧、外郭リングの押さえ、任意の適切なジェスチャー、センサーが検出した内部筋肉モーション、またはその他のセンサー入力を含むことができる。アプリケーションの機能、モード、または他のエレメントを選択及び使用するために、ユーザは、特定タイプの選択イベント、または入力(例えば、ディスプレイのタッチまたはタップ、外郭リングのクリッキングまたは押圧、特定ジェスチャー、または、センサー入力)を提供し、GUI内で階層のさらに深い層での層間(inter-layer)転移を引き起こすことができる。一例として、ビデオを撮るために、ユーザは、カメラアプリケーションのビデオモード特徴と関連したスクリーンをタップする。階層のさらに深い層にビデオ撮りがあれば、可能な場合(例えば、ビデオモードに連結されたオプションがある)、ユーザは、GUIをその層内の互いに異なるオプションの間で転移させうる。特定の実施例において、ユーザはさらに深い層のオプションのうち、１つを選択し、GUIをさらに深い層に転移させることができる。例えば、ビデオモードでビデオを記録する時、ユーザは、ディスプレイを再びタップして、GUIをさらに深い層(２層は、ビデオ記録を中止させるオプションを含む)に転移させることができる。追加的に、ユーザは、特定タイプの選択イベント、または入力(例えば、ここに説明された“戻り”入力)を提供し、階層の上位層に復帰することができる。一例として、ビデオモードでビデオを記録する時、ユーザは、ディスプレイの特定”戻り”部分をタッチし、ビデオ記録を取り消し、GUIをカメラアプリケーションのビデオモード特徴と関連したスクリーン(例えば、階層の特徴層内にある)に転移させることができる。GUIの相互作用及び転移モデル階層は、任意個数の層を有することができ、また、一層内に任意数のエレメント(例えば、機能、またはコンテンツ)を有することができる。図98Bは、デバイスのコンテンツ9815に対する相互作用及び転移モデルの動作例を示す。この例示的モデルで、コンテンツは、ユーザがコンテンツ9815(例えば、写真)を選択し、GUIが階層内のさらに深い層に転移すれば、コンテンツと関連したオプションのメニューのうち最初のオプション(例えば、写真を削除するか、共有するよ���なオプション)9820が表示されることを除き、アプリケーションと類似して行動することができる。図98Cは、デバイスのコントロール9825に対する相互作用及び転移モデルの動作例を示す。コントロールエレメントは、可能な値の範囲に亙って値を修正できるという点で、取っ手のように機能しうる。デバイスに対するユーザ入力(例えば、外郭リングを右側、または左側に回転させる)は、コントロールエレメント9825と関連した値、または状態9830を修正することができる。コントロールエレメントが修正した値は、本質的に(in  nature)非常に連続的であり(例えば、カメラのズームレベル、またはテレビのボリュームレベル)、または本質的に非常に離散的でありうる(例えば、テレビのチャネル)。特定の実施例において、コントロールによって修正された値が本質的に離散的なケースにおいて、特定のユーザ入力(例えば、外郭リングを押圧)により値が選択されてもよい。図98Dは、デバイスのアプリケーション9835及びそのアプリケーションのメイン機能9840に対する相互作用及び転移モデルの動作例を示す。一例として、デバイスの各モード、または機能(例えば、カメラ、または拡張現実機能)は、デバイス上のアプリケーションでありうる。単一層内で転移(例えば、外郭リングの回転と同じ特定ユーザ入力を受信すれば、実行される)を通じて、ユーザは、デバイスのアプリケーション、モード、または機能を変更することができる。層間転移(例えば、ディスプレイ上でのタップのような特定ユーザ入力を受信すれば、実行される)を通じて、ユーザは、選択されたアプリケーション、モード、または機能と関連した階層のさらに深い層へ入ることができる(または、その層から出ることができる)。
【０１０６】
図98Eは、デバイス上でのアクション(例えば、アプリケーション内で)9845に対する相互作用及び転移モデルの動作例を示す。一例として、カメラアプリケーション内で、キャプチャーされたイメージが選択され、その選択されたイメージに対して、例えば、イメージ削除、FACEBOOKでのイメージ共有、TWITTERでのイメージ共有、またはイメージを添付して電子メール送付のような１つ以上のアクションが使用可能である。本例で、“アクション”層内でGUI転移(例えば、外郭リングの回転のような特定のユーザ入力を受信すれば、実行される)を通じて、ユーザは、実施する他のアクション(different  actions  to  take)が見られる。層間転移(例えば、ディスプレイ上でのタップのような特定ユーザ入力を受信すれば、実行される)を通じて、ユーザは選択されたアクションと関連した階層のさらに深い層に入ることができる(または、その層から出る)。この実施例において、アクション9845を選択して入ったさらに深い層は、二次的な情報9850、または確認(例えば、アプリケーションがイメージ情報を選択された共有デバイスに送っているという確認)を示す。確認9855(例えば、イメージが伝送されたという確認)がさらに深い層にも見られる。GUIは、上位層(例えば、アクション層)に自動転移することができる。しかし、確認情報を含む、階層のさらに深い層が存在し、GUIは、ユーザ入力によって、または自動的にさらに深い層に入ることができる。図98Fは、アイコン(例えば、上位レベルオン/オフオプションを含む活性アイコン9860)、及びアイコン状態のスイッチング9865に対する相互作用及び転移モデルの動作例を示す。一例として、デバイスと通信的にペアリングされた(communicatively  paired)テレビは、例えば、テレビスクリーンのような活性アイコンによって表示されてもよい。本例で、デバイス/アプリケーション上位層内でGUI転移(例えば、外郭リングの回転のような特定ユーザ入力を受信すれば、実行される)を通じて、ユーザは、他のアプリケーション、デバイス、またはその他の特徴を見ることができる。テレビは、オフであっても、デバイスのGUI内のメニューに示されるが、テレビは、必ずオンになった後で使用される。テレビがオフである時（9860）、ユーザがテレビ(例えば、テレビアイコンがGUIによってディスプレイされる時、ディスプレイをタッピングする)を選択すれば、GUIは、相互作用及び転移モデル階層のさらに深い層の状態に転移でき、その状態でテレビは、オンになる（9865）。テレビがオンになれば、そのテレビと関連したアイコン(例えば、GUI内のモデルの上位層にディスプレイされる)9870は、図98Gに示した通り、テレビがオンになったこと（9875）を直接示すために、変更されてもよい。ユーザがテレビ(現在オン)を再び選択すれば、GUIは、階層のさらに深い層に転移でき、この層からテレビの機能、または性能(例えば、ボリューム、またはチャネル変更)が露出される。特定の実施例において、テレビを再びオフにするためのオプションは、階層内の前記さらに深い層の最初メニューアイテムになって、オフ機能に対する迅速な接近を可能にする(例えば、ユーザが偶発的にテレビをオンにした場合)。特定の実施例において、テレビがオフ状態である時、ユーザがテレビを選択すれば、テレビは、オンになり、テレビと関連した���イコンは、GUIが階層の他の層に、または他のユーザインタフェースに転移せず、テレビがオンになったことを直接示すために変化しうる。したがって、活性テレビアイコンは、ペアリングされたテレビの状態を階層の上位レベル内で(例えば、メインメニュー)直接示しうる。
【０１０７】
図99は、イメージキャプチャーアプリケーション用GUIの相互作用及び転移モデルの例を示す。本例で、このアプリケーションの選択(スクリーン9900)後に到達する最初のスクリーン9902は、該アプリケーションの“ライブビュー”機能に相応することができる。イメージキャプチャーアプリケーションの他の固定された特徴(ビデオモード9904、ズーム9906、またはフラッシュ9908を含む)は、選択されたアプリケーションのホームメイン機能スクリーン9902の右側で使用可能である。選択されたアプリケーションの動的、またはコンテキスト的に使用可能な特徴(例えば、キャプチャーされたイメージ9910)はホームメイン機能スクリーンの左側で使用可能である。階層のこの機能層での選択イベントは、GUI内で、その階層内のさらに深くて重畳された他の層(another  nested  layer  even  deeper  within  the  hierarchy)に転移を引き起こす。例えば、ユーザが“ズーム”機能を選択すれば、GUIはスクリーン9912に転移し、このスクリーンで、ユーザはカメラのズーム設定を任意の適切な入力(例えば、ズームを増加させるための外郭リングの右回転、またはズームを減少させるための外郭リングの左回転)で制御することができる。同様に、ユーザは、他の特徴の状態を制御し(例えば、フラッシュ特徴をオン、またはオフにし（9914）、またはピクチャーモードからビデオモードにスイッチング9916)、コンテンツをブラウズし(例えば、9918-9922)、階層のさらに深い層(ここで、アクション9924〜9930が取られる)に入り、または階層の他のさらに深い層(ここで、確認9932-9938は、アクションの選択時に提供される)に入ることができる。
【０１０８】
特定の実施例において、相互作用レイアウトは、デバイスGUIの相互作用及び転移モデルを構造化することができる。相互作用レイアウトは、任意の適切な相互作用モデルに適用され、例えば、デバイスGUI内で任意の特定タイプのモーションやアニメーションに従属的である必要はない。たとえ相互作用レイアウトの具体的実施例が後述されるとしても、任意の適切な相互作用レイアウトが相互作用及び転移モデルを構造化するために使用される。
【０１０９】
一例として、パニング線形相互作用レイアウト(a  panning  linear  interaction  layout)は、デバイスGUIの相互作用及び転移モデルを構造化することができる。パニング-線型GUIで、層内のエレメント、または特徴は、現在のディスプレイされたエレメント、または特徴の左側、または右側に配列されてもよい。外郭リングを時計周り方向、または逆時計周り方向に回転させるようなユーザ入力は、モデル階層の単一層内でナビゲートする。一例として、外郭リングを一回転増分(one  rotational  increment)時計周り方向に回転させるのは、エレメント、または特徴を右側(例えば、次のエレメント)にディスプレイし、外郭リングを一回転増分逆時計周り方向に回転させるのはエレメント、または特徴を左側(例えば、以前のエレメント)にディスプレイすることができる。特定の実施例において、時計周り方向、または逆時計周り方向での高速回転は、GUIをして加速ブラウジング(accelerated  browsing)を行わせる。かような実施例において、単一回転は、ここに説明されるように、GUIを単一エレメント、または特徴ではなく、多数のエレメント、または特徴を通じて転移させることができる。他のユーザ入力は、モデル階層内層(例えば、さらに深い層、またはさらに上位層)の間でナビゲートすることができる。一例として、ユーザがディスプレイのタッチ・センシティブ層をタッチしたり、タップすれば、GUIは、モデル階層でさらに深く転移することができる(例えば、ユーザ選択を確認したり、またはその選択に関連したオプションを提供する)。タッチまたはタップ基盤の入力を代替したか、またはこれに付け加えた、ユーザによる任意の適切な入力は、GUIをモデル階層の層間で転移させうる。
【０１１０】
他の例として、ユーザがデバイス内のタッチ・センシティブ層の特定領域(例えば、”戻り”ボタンと指定)を押したり、ユーザがディスプレイのタッチ・センシティブ層をダブルタップすれば、GUIは、モデル階層でさらに高く転移(例えば、以前の層に転移)することができる。例えば、ユーザがディスプレイ、またはスクリーンを長く押せば、GUIはホームスクリーン(例えば、クロック)に転移することができる。また、GUIは、追加ユーザ入力なしに、所定期間後(例えば、タイムアウト期間後)、ホームスクリーンに転移することができる。ここに説明されるように、ユーザが、例えば、外郭リングを時計周り方向、または逆時計周り方向に回転させ始めるにつれて、GUIは、同一層内で転移し、次のユーザインタフェースエレメント、または特徴(例えば、同一層内のブレッドクラム(breadcrumb)アイコン)は、現在ユーザインタフェースエレメント、または特徴がなくなりつつ、右側、または左側から表示され始める。
【０１１１】
図100Aは、パニング線形相互作用レイアウトの例を示す。本例で、GUIエレメント10001、10002、10003及び10004は、パニング-線型GUIの相互作用及び転移モデル階層の同一層にある。GUIエレメント10002A、10002B、及び10002Cは、階層の第2深層にあり、エレメント10002のサブエレメントである。一例として、第1層は、このデバイスとペアリングされたデバイスを含み、エレメント10001は、自動車を示し、エレメント10002は、テレビを示し、エレメント10003は、モバイルフォンを示し、エレメント10004は、家庭用温度調節装置を示すことができる。エレメント10002Aは、テレビ用ボリューム制御エレメントであり、エレメント10002Bは、テレビ用チャネル制御エレメントであり、エレメント10002Cは、テレビ用写真制御エレメントである。他の例として、ユーザが外郭リングをクリック(例えば、そのリングを一回押す)すれば、GUIは階層でさらに深く転移し、次いで、さらに深層のサブエレメントは、リングを回転させることによって、パニング(panned)される。代案的に、ユーザは、さらに深層のサブエレメントを、リングを押すと同時に、そのリングを回転させることによって、パニングすることができる。デバイスは、ユーザ入力が層間をナビゲートするのに使用される方式を選択するためのスイッチを含むことができる。
【０１１２】
他の例として、パニング放射(または、パニング円形)相互作用レイアウト(a  panning  radial(or  panning  circular)interaction  layout)は、デバイスGUIの相互作用及び転移モデルを構造化することができる。パニング放射型GUIで、層内のエレメント、または特徴は、現在のディスプレイされたエレメント、または特徴の上側と下側に配列されてもよい。外郭リングを時計周り方向、または逆時計周り方向に回転させるようなユーザ入力は、モデル階層の層間をナビゲートする。一例として、外郭リングを一回転増分時計周り方向に回転させることは、モデル階層でさらに深くGUIを転移させることができ(例えば、特定アプリケーション層に入るか、またはそのアプリケーションの選択を確認する)、外郭リングを一回転増分逆時計周り方向に回転させるのは、モデル階層でさらに一層上位にGUIを転移させることができる(例えば、特定アプリケーション層から以前の層に出る)。特定の実施例において、時計周り方向、または逆時計周り方向への高速回転は、GUIに、加速ブラウジングを行わせうる。かような実施例において、単一回転増分は、GUIを階層の単一層ではなく、多数の層を通じて転移させることができる。他のユーザ入力は、モデル階層の単一層内でナビゲートすることができる。一例として、ユーザがディスプレイのタッチ・センシティブ層をタッチしたり、タップすれば、GUIは、次のエレメント、または特徴に転移することができる(例えば、現在のディスプレイされたエレメントの下にあるエレメントに転移)。他の例として、ユーザがデバイス内のタッチ・センシティブ層の特定領域(例えば、”戻り”ボタンと指定)を押したり、ユーザがディスプレイのタッチ・センシティブ層をダブルタップすれば、以前のエレメント、または特徴に転移(例えば、現在のディスプレイされたエレメント上にあるエレメントに転移)することができる。例えば、ユーザがディスプレイ、またはスクリーンを長く押せば、GUIは、ホームスクリーン(例えば、クロック)に転移することができる。また、GUIは、追加ユーザ入力なしに、所定期間後(例えば、タイムアウト期間後)、ホームスクリーンに転移することができる。ここに説明されるように、ユーザが、例えば、外郭リングを時計周り方向、または逆時計周り方向に回転させ始めるにつれて、GUIは、他の層に転移し、次のユーザインタフェースエレメント、または特徴(例えば、他の層にある)は、現在ユーザインタフェースエレメント、または特徴がなくなりつつ、現れ始めることができる。図100Bは、パニング放射相互作用レイアウトの例を示す。本例で、GUIエレメント10001、10002、10003及び10004は、パニング-放射型GUIの相互作用及び転移モデル階層の同一層にある。GUIエレメント10002A、10002B、及び10002Cは、階層の第2深層にあり、エレメント10002のサブエレメントである。以前のように、第1層は、本デバイスとペアリングされたデバイスを含み、エレメント10001は、自動車を示し、エレメント10002は、テレビを示し、エレメント10003は、モバイルフォンを示し、エレメント10004は、家庭用温度調節装置を示すことができる。エレメント10002Aは、テレビ用ボリューム制御エレメントであり、エレメント10002Bは、テレビ用チャネル制御エレメントであり、及びエレメント10002Cは、テレビ用の写真制御エレメントでありうる。
【０１１３】
さらに他の一例として、アコーディオンタイプ相互作用レイアウト(an  accordion-type  interaction  layout)は、デバイスGUIの相互作用及び転移モデルを構造化することができる。アコーディオン型GUIで、色々な層内のエレメント、または特徴は、円形リスト構造(circular  list  structure)で配列されてもよい。例えば、第1方向で最後のエレメント、または特徴(例えば、デバイスの最後の固定されたアプリケーション)と関連したスクリーンを越えて、その第1方向にリスト構造内で回転すること(例えば、外郭リングを回転させることによって)は、第2方向で最後のエレメント、または特徴(例えば、デバイスの最小-最近に使用(least-recently  used)コンテキスト的アプリケーション)と関連したスクリーンにGUIを転移させることができる。第1方向に回転し続ければ、GUIはコンテキスト的アプリケーションと関連したスクリーンを通じて逆順(例えば、最小-最近使用から最大-最近使用(most-recently  used)に)に転移することになる。同様に、最小-最近使われたコンテキスト的アプリケーションのスクリーンを越えて、第2方向に回転するのは、最後の固定アプリケーションと関連したスクリーンにGUIを転移させ、第2方向に回転し続ければ、GUIは、固定アプリケーションのスクリーンを通じて逆順(例えば、最後の固定アプリケーションでホームスクリーンに近接した最初アプリケーションに)に転移することになる。アコーディオン型GUIで、現在のディスプレイされたエレメント、または特徴は、そのサブエレメント、またはサブ特徴が単一層リスト構造の一部になるように拡張(例えば、ユーザが選択すれば)される。特定の実施例において、サブエレメントを有するエレメント、または特徴は、自身がサブエレメントを有していることを、例えば、サブエレメントの可視的エッジ(visible  edge)を通じて示しうる(ディスプレイされる時)。時計周り方向、または逆時計周り方向に外郭リングの回転のようなユーザ入力は、モデルの単一層内でナビゲートし、この単一層は、選択されたエレメント、または特徴のサブエレメント、またはサブ特徴のみならず、エレメント、または特徴を含むことができる。一例として、外郭リングを一回転増分時計周り方向に回転させるのは、右側(例えば、次のエレメント)にエレメント、または特徴をディスプレイし、外郭リングを一回転増分逆時計周り方向に回転させるのは、左側(例えば、以前のエレメント)にエレメント、または特徴をディスプレイすることができる。特定の実施例において、時計周り方向、または逆時計周り方向への高速回転は、GUIをして、加速ブラウジングを行わせうる。かような実施例において、単一回転増分は、GUIを単一エレメント、または特徴ではなく、多数のエレメント、または特徴を通じて転移させうる。他のユーザ入力は、モデル内でエレメント、または特徴の選択と拡張を引き起こすことができる。一例として、ユーザがディスプレイのタッチ・センシティブ層をタッチしたり、タップすれば、GUIは、ディスプレイされた特徴、またはエレメントを既存の層内で拡張し、サブエレメント、またはサブ特徴に転移することができる。他の例として、ユーザがデバイス内のタッチ・センシティブ層の特定領域(例えば、”戻り”ボタンと指定される)を押したり、ユーザがディスプレイのタッチ・センシティブ層をダブルタップすれば、GUIは、拡張されたサブエレメント、またはサブ特徴を縮小し(collapse)、リスト内のエレメント、または特徴に転移することができる。例えば、ユーザがディスプレイ、またはスクリーンを長く押せば、GUIは、ホームスクリーン(例えば、クロック)に、さらに転移することができる。また、GUIは、追加ユーザ入力なしに、所定期間後(例えば、タイムアウト期間後)、ホームスクリーンに転移することができる。ここに説明されるように、ユーザが、例えば、外郭リングを時計周り方向、または逆時計周り方向に回転させ始めるにつれて、GUIは、同一層内で転移し、次のユーザインタフェースエレメント、または特徴(例えば、同一層内のブレッドクラムアイコン)は、現在ユーザインタフェースエレメント、または特徴がなくなりつつ、右側、または左側に示され始める。図100Cは、アコーディオン型相互作用レイアウトの例を示す。本例で、GUIエレメント10001、10002、10003及び10004は、アコーディオン型GUIの相互作用及び転移モデルの同一層にある。エレメント10002が、ユーザによって選択されたので、GUIサブエレメント10002A、10002B、及び10002Cは、拡張され、モデルの同一層のリスト構造にさらに含まれる。したがって、GUIは、サブエレメント10002Cからサブエレメント10002Bに転移したり、またはエレメント10003に直接転移することができる。しかし、ユーザがサブエレメントを折り畳むことを所望すれば(例えば、エレメント10002と関連したスクリーンを再びタップするような”戻り”入力を通じる)、リスト構造は、GUIエレメント10001、10002、10003、及び10004のみを再び含むことができる。
【０１１４】
特定の実施例において、GUIは、デバイスが受信したユーザ入力に基づいてホームスクリーンにナビゲートすることができる。ユーザ入力は、タッチ・センシティブ層の押圧(pressing  and  holding;例えば、長押し)、ディスプレイを押圧、外郭リングの押圧(例えば、クリッキング)、外郭リングの握り(squeezing  and  holding)、デバイスの面(例えば、ディスプレイ)のカバーリング、デバイスの特定センサーのカバーリング、デバイス面の下向き回し、ソフトウェアボタン(ここに、説明される)の押圧、デバイスのハードウェアボタンの押圧、デバイス振り(または、その他の適切なジェスチャー)を含むことができる。これら入力、またはこれら入力の任意変形(例えば、さらに短い持続期間を含む)のうち、いずれのものも相互作用及び転移モデル内で”戻り”のためのユーザ入力として使用される。図101A及び図101Bは、GUI内の”戻り”ソフトウェアボタンレイアウトの例を示す。図101Aで、ディスプレイの底部10110でユーザタッチ入力を受信すれば、GUIは、選択を確認したり、またはモデル階層でさらに深く転移することができる。ディスプレイの上部10120でユーザタッチ入力を受信すれば、GUIは、モデル階層に戻り、またはさらに上位に転移することができる。図101Bは”戻り”領域10130を有する類似のレイアウトを図示し、この領域10130は”戻り”ナビゲーションが転移する所を、ユーザに示すブレッドクラムアイコン10135を含む。特定の実施例(タッチ・センシティブ層がタッチの正確なx-y座標を判断するように動作できる時)で、ディスプレイの任意領域は”戻り”領域、“確認/選択”領域、またはその他の適切な機能領域と指定されてもよい。
【０１１５】
特定の実施例において、デバイスのGUIは、特定タイプのコンテンツ(例えば、リストを含む)をディスプレイすることができる。図102Aは、アイテムの垂直リストをディスプレイするGUIの例を示す。ユーザからの入力(例えば、任意の適切な入力メカニズム、またはタイプ)は、GUIの選択フレーム10210を垂直リストのエレメント間で移動させることができる。一例として、ユーザが時計周り方向に回転させれば、選択フレーム10210は、垂直リストの上から垂直リストの底に向かって移動することができる。外郭リングの各回転増分(例えば、外郭リングが離散増分(discrete  increment)に移動する場合)は、選択フレーム10210をリストのアイテム間で下向き移動させる。他の実施例において、選択フレームは固定され(例えば、ディスプレイの中央に固定される)、リストのアイテムがリングの回転方向によって、上方、または下方に移動(一回に１アイテムずつ)することができる。図102Bは、アイテムの水平リストをディスプレイするGUIの例を示す。ユーザからの入力(例えば、任意の適切な入力メカニズム、またはタイプ)は、GUIの選択フレーム10210を水平リストのエレメントの間で移動させることができる。一例として、ユーザが時計周り方向に回転させれば、選択フレーム10210は、水平リストの左側から水平リストの右側に向かって移動することができる。外郭リングの各回転増分(例えば、外郭リングが離散増分に移動する場合)は、選択フレーム10210をリスト内で１アイテム移動させる。図102Bの一例で、ユーザがリングを時計周り方向に回転させる時、選択フレーム10210は、ディスプレイの中央に固定され、リストのアイテムが時計周り方向の回転に応答して左側に向かって移動(一回に１アイテムずつ)することができる。他の実施例において、ディスプレイされたリストのアイテムは、固定され、選択フレーム10210は、リストのアイテムの間で外郭リングの回転方向によって左側、または右側に移動することができる。
【０１１６】
特定の実施例において、デバイスのGUIは、垂直、または水平に連続(または、実質的に連続)したコンテンツ(例えば、チャートやテキスト)をディスプレイすることができる。特定の実施例において、ユーザからの入力(例えば、任意の適切な入力メカニズム、またはタイプ)は、GUIの選択指示子(selection  indicator)を連続したコンテンツの間で移動させることができる。他の実施例において、ユーザからの入力は、水平方向、垂直方向、またはそのユーザ入力にマッピングされたその他の方向でコンテンツをディスプレイ内に移動させたり、ディスプレイの外に移動させることができる(及び選択指示子は、存在する場合、一定位置に残っていることがある)。図102Cの例で、温度チャートがディスプレイされる。ユーザが外郭リングを時計周り方向に回転させることによって、選択指示子10220は、ディスプレイの中央に固定され、コンテンツは、右側からディスプレイに入り、左側に向かってディスプレイの外に出る。102dの例で、大きなテキストの一部10230がディスプレイされる。ユーザが外郭リングを時計周り方向に回転させることによって、追加テキストが底からディスプレイに入り、上に向かってディスプレイの外に出る。図103Aないし図103Dは、デバイスのGUIにディスプレイされた例示的カレンダーアプリケーションを示す。図103Aで、ユーザは、GUIがオプション“GoUp"、"Weekly(週間)”(基本設定日)、“Monthly(月)”、及び“Daily(日)”のように円形メニュー10310をディスプレイするように、外郭リングをクリックまたは押す(矢印10305と表示)。図103Cで、ユーザは、外郭リングを再びクリックまたは押し(矢印10305と表示)、“Weekly"選択を確認し、GUIがユーザカレンダーのWeekly  View(週間ビュー)10320をディスプレイさせうる。
【０１１７】
特定の実施例において、GUIは、ディスプレイより大きなサイズのコンテンツをディスプレイすることができる。かような実施例において、GUIは、すべてのコンテンツがディスプレイ内で一回にディスプレイされるように、コンテンツをスケール、またはクロップ(scale  or  crop)することができる(または、その他に縮小したり、またはフィットする(fit))。他の実施例において、GUIは、コンテンツサイズを変更せず、代わりに、例えば、スクローリング(ここに説明される)を用いて一回に一部ずつユーザがコンテンツ間でパニング(pan)しうる能力(ability)を提供することができる。
【０１１８】
特定の実施例において、デバイスは、円形ディスプレイを含み、GUIは、円形ナビゲーション及びメニューレイアウトを含むことができる。しかし、本明細書は、任意形状のディスプレイ、及びGUIに対する任意の適切なナビゲーション、またはメニューレイアウトを考慮する。メニューレイアウトは、例えば、ユーザにGUIの相互作用及び転移モデル階層内でユーザが位置したところに対する視覚的指示(indication)を提供することができる。メニューレイアウトは、メニューオプションの全体ビュー(overall  view)のみならず、視覚的指示子をさらに提供し、この指示子を通じてユーザは、互いに異なるタイプのメニューアイテムを区分することができる。追加的に、メニューは、デバイスの任意適切な背景、またはコンテンツ上にディスプレイされる。
【０１１９】
図104は、例示的円形メニューレイアウトを示し、このレイアウトで、各セグメント10410は、メニュー内１つのアイテム、またはオプションを示し、10420のような視覚的間隙は、アイテムを他のアイテムと分離する。デフォルト、または現在の選択されたアイテム10430は、視覚ディスプレイの上部にあり(しかし、ディスプレイのどこにもある)、ユーザが使用途中にデバイスディスプレイを互いに異なる方式で指向させても、ディスプレイ上部に続けて残っている。図105A及び図105Bは、円形メニューでアイテムをブラウズする例を示す。ユーザは、外郭リングの時計周り方向の回転のような入力を提供し、このユーザ入力に応答してメニュー内の次のアイテム10520(例えば、現在の選択されたアイテム10510の右側にある)が選択のために強調(highlighted)される。ディスプレイ中央のコンテンツ10530は、ユーザの回転入力を反映するために自動で変化でき、または特定の実施例において、ユーザが異なる入力(例えば、希望のメニューアイテムが強調された後、外郭リングを押したり、クリッキングする)を提供した後のみ変化しうる。図105C及び図105Dは、外郭リングを回転させて円形メニューをブラウズする例を示し、メニューの次のアイテム10550(例えば、時計周り方向、または現在の選択されたアイテム10540の右側である)が選択のために強調される。本例で、ユーザの入力は、また中央ポインタ(pointer)10560を回転させ、現在-選択されたメニューアイテムに相応する強調されたメニューセグメントを示す。本例で、ディスプレイの中央にあるコンテンツは、ユーザの回転を反映するために自動的に変化する。
【０１２０】
図106Aないし図106Cは、それぞれデバイスのGUI用の円形メニューレイアウトの互いに異なる整列及び配置を示す。円形メニューは、ディスプレイの縁部に直接ディスプレイされたり(図106Aに示された通りである)、またはディスプレイのさらに内部に表示されたり、またはデバイスの背景上にオーバレイとして表示される(図106B及び図106Cに示された通りである)。図107Aないし図107Cは、デバイスのGUI用円形メニューレイアウトの他の形態及び整列を示す。例として、メニューは、円形に配列されたラインセグメント(各種可能なサイズである)10710、半円に配列されたラインセグメント10720、または円や半円に配列されたドット10730、または10740からなる。特定の実施例において、現在の選択された、またはデフォルトメニューアイテムの視覚指示子10732は、ディスプレイ中央上部に留まることができ、メニュー内アイテムの視覚指示子10734は、ユーザ入力に基づいて左側、または右側に移動することができる(図107C)。他の実施例において、現在の選択された、またはデフォルトアイテムの視覚指示子10732は、メニュー内アイテムの指示子など(位置が固定される)の間で移動することができる(図107B)。特定の実施例において、セグメント、またはドットの代わりに、メニュー内アイテムの視覚指示子がメニューアイテムと関連したアイコン(例えば、ブレッドクラムアイコン)である。図108は、円形である必要がなく、任意の適切なレイアウトであるメニューレイアウトを示す。このメニューレイアウトは、メニューアイテムの指示子10810がディスプレイ全般に散在されたレイアウトを含む。ユーザ入力(例えば、外郭リングの回転)により、互いに異なるアイテムが、メニューレイアウト内のそれらの位置によって選択されてもよい。一例として、ユーザが時計周り方向に回転させれば、時計周り方向に次のメニューアイテム10820が選択される。
【０１２１】
図109Aないし図109Cは、現在の選択された、またはディスプレイされたメニューアイテム10915の左側及び右側(例えば、相互作用及び転移モデル階層内で)にあるメニューアイテムに対する互いに異なるメニューレイアウトを示す。図109Aで、すべてのメニューアイテム10910は、ディスプレイ周辺の円形メニューに均等に分布する。図109Bで、メニューは、現在-ディスプレイされた、または選択されたメニューアイテム10915の右側にあるアイテムと左側にあるアイテムの区分を示す間隙を含む(例えば、ここに説明された相互作用及び転移モデルによる)。図109Cは、現在-選択された、またはディスプレイされたメニューアイテム10915の右側より左側にアイテム10910が多くの例を示し、よって円形メニューの左側セグメントは、選択されてもよい多数のアイテムを収容するために、サイズが調整される。メニューアイテムの数が非常に多い場合(例えば、40個のキャプチャーされたイメージのように特定臨界を超えた場合)に、円形メニューのセグメントはなくなり、ユーザに提示された視覚指示子は、スクロールバー11020である。このスクロールバー11020を通じてユーザは、色々なメニューアイテムの間を円形でスクロールすることができる(図110Aに示された通りである)。他の実施例において、類似したスクロールバー型視覚指示子11020を通じて、デバイスのユーザは、値の固定範囲11030で絶対(absolute)、または固定値(例えば、カメラズームレベル)を操作することができる(図110Bに示された通りである)。さらに他の実施例において、スクロールバー型視覚指示子の長さは、ユーザに特定値のレベルを示すことができる。例えば、ユーザがデバイスの外郭リングを用いてテレビのボリュームを制御する場合、ユーザがボリュームレベルを増加させるためにリングを回す(例えば、時計周り方向に)ことにより、視覚指示子11120は、図111Aないし図111Cに示したように、ディスプレイを取り囲むか、またはほぼ取り囲むまでさらに長くなる。
特定の実施例において、GUIは、参照または背景コンテンツのアイテム(item  of  reference  or  background  content)を、その参照または背景コンテンツに対して実行される可用アクション、または機能の指示(indication)と共にディスプレイすることができる。図112は、参照コンテンツ及びコンテキスト的オーバレイアクション、または機能のGUI内の例示的レイアウトを示す。他のタイプのレイアウト(例えば、示されたレイアウトを含む)は、例えば、参照または背景コンテンツを遮蔽することを最小化するために、提示された参照または背景コンテンツの他のタイプに基づいて選択されてもよい。例えば、参照または背景コンテンツが人の写真であれば、写真の中央を遮蔽しないオーバレイが選択されてもよい。特定の実施例において、参照または背景コンテンツ(例えば、オーバレイの後)内のピクセルの知覚輝度(perceptual  brightness)は、ピクセル単位(pixel-by-pixelbasis)で決定されてもよい。コンテキスト的オーバレイと、参照または背景コンテンツ(例えば、イメージ)のコントラスト(contrast)が非常に低い(例えば、所定臨界に基づく)場合、アンダーライングカラー(underlying  color)を逆方向にブラードドロップシャドウ効果(blurred  drop  shadow)が使用される。例示的アルゴリズムは、オーバレイ下のピクセルを決め、それらの彩度(saturation)を減少させ、視覚輝度を反転(例えば、カラーは、同一に保持されるが、輝度は、コントラストを生成するために選択される)させることを含み、アンダーライング参照または背景コンテンツとオーバレイ間に合成物(composite)をぼかすことができる。図113Aないし図113Cは、参照または背景コンテンツ(ここで、デバイスのカメラがキャプチャーしたイメージ)で構成されたコンテキスト的オーバレイの例11310-11350を示す。図示されたように、コンテキスト的オーバレイは、ユーザがアクション、または機能(例えば、イメージ削除11130、またはイメージ共有11325、コーヒーショップ検索11330、食堂検索11340、または場所を“好む”場所にする11350)を遂行可能にし、ユーザに確認を提供し(例えば、イメージが共有されたという確認11320)、または、ユーザにその他のタイプの情報を提供することができる。特定の実施例において、コンテキスト的オーバレイは、GUIのメニューオーバレイ内で、相互作用及び転移モデル階層の上位レベルを除いて、どこでも使用される。
【０１２２】
特定の実施例において、デバイスのGUIにディスプレイされたアイコンは、デバイスのエネルギー、またはバッテリー使用を最適化することができる。一例として、アイコンは、それ自体が薄い白色筆画(thin  white  stroke)で構成され、主に黒背景を含むことができる。これにより、ディスプレイスクリーン上の白色の量が非常に少なくなるので、GUIが使用される間、ディスプレイのエネルギー消費が減少しうる。GUIにディスプレイされたアイコンはまた、リアルタイム通知を含むことができる。例えば、モバイルフォンアイコンは、新たな音声メールの個数を知らせる通知を含み、電子メールアイコンは、新たなチャットメッセージの個数を知らせる通知を含み、電話アイコンは、留守中呼び出しの個数を知らせる通知を含むことができる。特定の実施例において、デバイスのGUIは、ユーザが作ったコンテンツ(例えば、写真、ファイル、連絡先、通知、またはスケジュール)に対してのみ白黒ではないカラーをディスプレイする。メニューアイテムを含む他の情報は白黒でディスプレイされてもよい。
【０１２３】
特定の実施例において、GUIがあるエレメント(例えば、特徴、コンテンツアイテム、またはアイコン)から他のエレメントに転移すれば(例えば、ユーザから入力を受信する時)、GUIは、視覚的転移効果(visual  transition  effect)をディスプレイすることができる。この転移効果は、例えば、デバイスのユーザから受信した入力のタイプに依存する。一例として、ディスプレイに対する単一タッチは、特定転移効果をトリガーすることができるが、外郭リングの回転は、転移効果の異なる(重畳されることがある)集合をトリガーすることができる。
【０１２４】
特定の実施例において、タッチ・センシティブ層に対するユーザのタッチ入力は、転移効果(中心向き拡張(center-oriented  expansion)、方向性摺動(directional  sliding)、及びスケーリングイン、またはアウトを含む)をトリガーすることができる。図114Aは、中心向きモード、または機能拡張、またはスケーリングアップを図示する。図114Bは、中心向きモード、または機能縮小(function  collapsing)、またはスケーリングアップを図示する。図115Aは、アイコンの中心向きスケーリングアップを図示する。図115Bは、アイコンの中心向きスケーリングダウンを示す。図116Aは、ツイストモーションを備えた中心向きアイコンスケーリングアップの例を示す。図116Bは、ツイストモーションを備えた中心向きアイコンスケーリングダウンの例を示す。図117Aは、アイコンの中心向き展開(unfolding)、及び外側拡張(expansion  outward)を示す。図117Bは、アイコンの中心向き折畳み(folding)、及び内側縮小(collapsing  inward)を示す。図118Aは、ディスプレイに垂直に摺動するテキストの例を示し、テキストはアンマスキング(unmasking)により現れる。図118Bは、ディスプレイの左側から右側に水平摺動するテキストの例を示す。図118Cは、ディスプレイの左側から右側にマスクされた領域(例えば、コンテキスト的オーバレイ)内で水平摺動するテキストの例を示す。図119Aは、コンテンツ、またはアイコンに対して右側から左側への水平的スライド転移を示す。図119Bは、フェーディング効果(fading  effect)と共に、右側から左側への水平的スライド転移を図示し、スクリーンを出るアイコン、またはコンテンツは、一旦スクリーンの縁部に到達すれば、徐々にフェイドアウトされ、スクリーンに入るアイコン、またはコンテンツは、スクリーンの縁部を越えることによって徐々にフェイドインされる。図119Cは、スケーリング効果と共に、右側から左側への水平スライド転移の例を図示し、スクリーンを出るアイコン、またはコンテンツは縮小され、スクリーンに入るアイコン、またはコンテンツは、フルサイズ(fullsize)にスケールアップされる。
【０１２５】
特定の実施例において、外郭リングのユーザ回転は、視覚的転移効果(ズーミング、方向性摺動、ブラーリング、マスキング、ページフォールディング、回転動き、及び加速されたモーションを含む)をトリガーすることができる。図120Aは、外郭リングの低加速回転(low-acceleration  rotation)に応答した転移の例を示す。本例で、単一回転増分は、逆時計周り方向の１ターン(例えば、回転増分)が次のエレメント(例えば、アイコン、またはコンテンツアイテム)を左側から右側に向かってスクリーンに入るようにし、また、エレメントのスケーリングが起きないように、単一アイテムに相応することができる。図120B及び図120Cは、外郭リングの高加速回転(high-acceleration  rotation)に応答した転移の例を示す。本例で、逆時計周り方向単一ターン(例えば、回転増分)は、ユーザが外郭リングを回すことを止めるまで、GUIを多数のエレメント(サイズをスケールダウンし、左側からスクリーンに入り、右側からスクリーンを出る)の間で迅速にパニング(pan)させることができる。ユーザが外郭リングを回すことを止めれば、エレメントは、正常サイズにスケールアップし、単一アイコン、またはコンテンツアイテムがディスプレイを埋めることができる。図121Aは、GUI内での転移の例を示し、ここでコンテンツは、外郭リングの回転に応答してズームインされる。図121Bは、GUI内での転移の例を示し、ここでスクリーン1は、アニメーションで“折り畳み(foldover)"、スクリーン2(例えば、次の特徴、またはコンテンツアイテム用)がユーザにディスプレイされる。
【０１２６】
特定の実施例において、デバイスのGUIは、ユーザモーションを考慮し、かつユーザの動きを反映した視覚的フィードバックを生成する物理モデルを含むことができる。一例として、ユーザによる活性化入力(activation  input;例えば、特定ジェスチャーの形態)があるならば、ユーザのモーションは、デバイスの１つ以上センサーからの入力を通じて連続して追跡されてもよい。視覚的フィードバックは、アンダーライングコンテンツが停止状態で留まる間、ユーザのモーションをユーザインタフェースに反映することができ、よって、ジェスチャーが登録され、視差(parallax)がUI特徴、またはコントロールとアンダーラインコンテンツとを区分するのに使用される。特定の実施例において、物理モデルは、ダンピング(damping)を備えた一般化されたバネモデルを含むことができる。かようなモデルで、アイテムは、層に配置されてもよい。さらに深い層は、物理モデルで“さらに大きい剛性(stiffer)"のバネを有することができ、バネは、アイテムを場所に保持する(holding  items  in  place)。したがって、デバイスが動く時、ユーザインタフェースの底層は、若干動くが、上部層は、さらに動いて、視差感(sense  of  parallax)を作る。追加的に、バネモデルは、ダンピングを含み、このダンピングは、モーションが遅滞するようにし、さらに流動的で柔らかなモーションを作る。図122は、GUIで物理モデルを使用する例を示す。ユーザは、デバイス100を腕に着用する。ユーザが腕を下方に動かせば、スクリーンにディスプレイされたアイコン(例えば、電球)12210は、ユーザの動きを反映した方式で動く。しかし、スクリーン上のアンダーライングコンテンツ(例えば、背景イメージ)は動かない。かようなタイプのフローティングアイコン、またはメニューアイテムは、例えば、ディスプレイのサイズがビジュアルクラウディング(visual  crowding)のために多くのアイコン、またはメニューアイテムが同時にディスプレイされることを許容しない時、有用である。追加的に、かようなタイプのフローティング挙動(behavior)は、イベントをユーザに提示するための通知手段と共にさらに使用される。
【０１２７】
特定の実施例において、デバイスのGUIは、デフォルトスクリーン、またはデバイス用ウォールペーパーとして面(face)を含み、これらの面は、相互作用及び転移モデル階層の一部でありうる(例えば、階層の上位層に、またはホームスクリーンとして)。ここに説明されるように、これら面は、ユーザの活動(activity)に対して自動的かつコンテキスト的に応答できる変化可能な(changeable)アプリケーション、またはモードである。一例として、面は、ユーザの環境、必要、嗜好、場所、活動、センサーデータ、ジェスチャー、またはスケジュールによって変化することができる。面の可用性(または、一面から他面へのGUI内転移)は、コンテキスト的情報に基づいて決定されてもよい。一例として、ユーザがカレンダーにスケジュールされた近づくイベントを有すれば、デバイスの面は、近づくイベント情報をユーザにディスプレイするカレンダー面に変化することができる。他の例として、ユーザが家付近にあると判断されれば(例えば、GPSデータに基づく)、デバイスの面は、ホーム-オートメーションアプリケーションと関連した面に変化することができる。さらに他の例として、ユーザが活発に動いていると判断されれば(例えば、心拍数、または刺激(arousal)センサーのような多様な生体センサーに基づいたり、または加速度計に基づく)、デバイスの面は、身体鍛練(fitness)モードに変化し、ユーザの測定された脈拍、カロリー消耗量、活動(例えば、ランニング)を始めた後、経過した時間、及び現在時間を示しうる。任意の適切なセンサーデータ(例えば、生体センサーを含むセンサー、焦点センサー、または運転中ユーザの手の位置を決定しうるセンサー)は、ユーザにディスプレイする適切な面、及びコンテキストを判断するのに使用される。ユーザのデバイス使用履歴(例えば、フィットネス授業のように、ユーザが身体鍛練アプリケーションを使った一日中の特定時間)は、デバイスにディスプレイされる面をさらに決めることができる。一例として、デバイスは、ユーザが運動する傾向がある一日において、特定時間に体力鍛練モードに対するユーザの必要を予想することができる。コンテキスト的面は、通知の抑制(例えば、ユーザが運転中であると判断される場合、またはデバイスが着用されていない場合)と関連するか、または通知が表現される方法の変化(例えば、視覚的に、または聴覚的に)と関連する。特定の実施例において、デバイスの面は、デバイス上のすべてのアプリケーションと関連する必要はなく、デバイスのディスプレイ上のウォールペーパーや背景でありうる。情報の特定チャネル(例えば、カレンダーフィード(feeds)、健康、または活動フィード、通知、天気フィード、またはニュース)に面が専用(dedicated)である。一例として、深刻な天気通知、または警報(例えば、天気フィードから受信される)は、天気面をその通知と共に、ディスプレイにディスプレイさせることができる。面は、現在の視覚を、面のタイプに関係なく、ディスプレイ(例えば、アナログ、またはデジタルフォーマットで)することができる。ユーザは、面をカスタマイズすることができる。ユーザのカスタマイジェーション、または記号は、ユーザが明らかに入力したり(例えば、デバイス、またはペアリングされたデバイス上の管理ソフトウェアに入力)、またはデバイスが直接的に学習することができる(例えば、経時的なモデル(model  over  time)を作るために、センサー及び使用(usage)データを利用する)。図123は、アナログ時計12310、円形メニューレイアウトを備えたアナログ時計12320、健康モード面12330、及び天気面12340を含む面の例を示す。図124は、デバイス用の面12410-12440のセット例を示し、この面には、カレンダーと約束情報がディスプレイされる。
【０１２８】
特定の実施例において、デバイスは、ユーザの四肢(limb)に着用(ユーザの顔がだれであるか分からないようにさせず、また、ユーザにデバイスを持っていることを要求しない)し、拡張現実(AR)機能性を含むことができる。このAR機能性は、デバイスのカメラを照準するために体のモーションを使用することに基づき、体モーションの使用は、ユーザの自己受容感覚(sense  of  proprioception)によって、高い正確度の照準を可能にすることができる。かようなタイプのシステムを通じて、デバイスのユーザは、ディスプレイ上でオブジェクトのバージョン(例えば、デバイスのカメラによってキャプチャーされる)を見ると共に、現実世界のオブジェクトを見ることができる。このAR能力の例は、図16に示される。かようなARシステムは、ユーザ四肢の対向する側面上にある整列されたカメラとセンサーとを用いて“シースル(see  through)”能力を可能にすることができる。ここに説明されたかようなタイプの配置によって多様なARアプリケーションが使用可能になる。特定の実施例において、アプリケーションは、デバイスが便宜主義的な使用(immediate、opportunistic  use)を許容するように、特にデザインされてもよい。追加的に、委任モデル(delegation  model)がデバイスに提供され、プロセッシング要求事項、またはエネルギー使用の観点で不利益を少なく招くか、あるいは招かず、デバイス上で実行可能なアプリケーションの幅を改善するために、外部資源の使用を許容することができる。特定の実施例において、デバイスは、他のデバイス(例えば、ネットワークを通じて発見されるか、デバイスと通信的にペアリングされた付近のデバイス)を制御したり、その他のデバイスによって制御される。このタイプの制御は、近接、ジェスチャー、または従来のインターフェースを通じて達成されてもよい。ペアリングは、ここでさらに詳細に説明される、デバイスのカメラを含む多様な技術を用いて達成されてもよい。
【０１２９】
図125は、デバイス用自動カメラ活性化決定の流れの例を示す。特定の実施例において、カメラが使用可能になったか否か、及びカメラの自動活性化(例えば、オブジェクト認識のため)が使用可能になったか否かは、アプリケーション、またはデバイスのあるモードにより決定される。特定の実施例において、デバイス上で自動カメラ活性化が使用可能になる(段階12510)。この特徴が使用可能になり(段階12520で決定される)、また、デバイスで十分なCPU容量(capacity)とパワーを使えれば(例えば、イメージから関心特徴(feature  of  interest)を計算するためであり、段階12530で決定される)、デバイスのカメラ(例えば、外向きカメラ)は、１つ以上のイメージを、ユーザが所定時間(例えば、着用式デバイス上の慣性測定ユニットによって検出されたり、またはイメージのブラーリングにより計算され、段階12540で決定される)カメラを照準姿勢で安定して持っていれば、自動的にキャプチャー、処理、及びディスプレイする(段階12560)。他の実施例において、カメラは、常に活性化してイメージを検索することができる。さらに他の実施例において、カメラは、ユーザが手動でイメージキャプチャーをトリガーした場合にのみ(例えば、外郭リング押圧、またはクリッキング、ディスプレイタッピング、段階12550で決定される)、イメージをキャプチャーして特徴認識を行うことができる。特定の実施例において、カメラの活性化時(任意の適切な方法による)、拡張現実(AR)機能性が使用可能になる。AR機能性は、自動的に使用可能になりうる(例えば、デバイスで使用できるCPU容量及びパワーによる)。他の実施例において、ユーザは、任意の適切なユーザ入力を通じてAR機能性を明らかに使用可能にしうる。ユーザは、AR機能性を使用可能にするために、例えば、ディスプレイにタッチ入力を提供することができる。一例として、ユーザは、鳥のようなオブジェクトをキャプチャー(例えば、デバイスのカメラを鳥に向ける)し、ディスプレイにディスプレイされた鳥のイメージをタッチすることができる。このアクションは、デバイスのAR機能を使用可能にし、デバイスに、例えば、鳥をオブジェクトとして認識するようにし、その鳥に関する情報をユーザに与える。他の実施例において、ここに説明されるように、AR機能性を使用可能にするだけでなく、AR機能性を使用するタスク(task)を行うために、ユーザは、１つ以上のジェスチャーを行うことができる(例えば、デバイスカメラの視野内でタイピングジェスチャーを行うことによって“仮想”キーボードを使用する)。
【０１３０】
特定の実施例において、デバイスが関心特徴(features  of  interest)を計算する能力を有さねば、デバイスは、イメージをキャプチャーし、そのイメージを通信的に連結されたデバイス(例えば、電話、またはパソコンのような付近のデバイス)、またはインターネット基盤サービスに伝送でき、この通信的に連結されたデバイス、またはインターネット基盤サービスで関心特徴が遠隔的に計算されてもよい。関心特徴が決定されれば、認識されたオブジェクトに関する追加情報をインターネット基盤サービス、またはローカルデータカタログ(local  data  catalog)で探すことができる。情報が発見されれば、関連データは、認識された特徴と共に、デバイスでユーザにディスプレイされてもよい。
【０１３１】
特定の実施例において、デバイスは、そのフォームファクター(form  factor)が小さく、可用メモリ、プロセッシング及びエネルギーの面で制限されてもよい。委任モデルを通じて、デバイスは、１つ以上のプロセッシングタスク(例えば、AR機能性と関連したタスク)の一部を、例えば、付近デバイス(例えば、電話、またはパソコン)やネットワーク基盤、またはインターネット基盤のサービスに委任することができる。一例として、委任可能なタスクに対して、そのタスクを必要とするアプリケーションは、該タスクの遅延感度(latency  sensitivity)、プロセッシング要求事項、及びネットワークペイロードサイズを含むタスクの特性(characteristics)、または、プロファイルをシステム(例えば、デバイス運営システムのカーネル(kernel))に提供する。これは、全体委任可能なタスクのうち、委任可能なサブタスク(subtask)それぞれに対してなされる。タスクは、たびたびパイプラインになる(pipelined)ので、タスクパイプラインの隣接チャンク(contiguous  chunks)は委任されてもよい。特定の実施例において、システムは、デバイスの１つ以上の特性を測定したり、またはその特性のモデルを構築することができる。デバイスの特性は、デバイスの静的属性(例えば、設置された総メモリ、最大CPU速度、最大バッテリーエネルギー、またはネットワークインターフェースの最大帯域幅を含むデバイスのハードウェアコンポーネントの属性)を含むことができる。デバイスの特性はまた、デバイスの動的属性(例えば、可用メモリ、現在CPU容量、使用可能エネルギー、現在のネットワーク連結性、ネットワーク基盤サービスの可用性、１つ以上ユーザ間平均ユーザ挙動の記録(tally)、または予測や予想されたタスクプロセッシング時間(例えば、特定使用シナリオが与えられた場合)を含むデバイスの動作特性)を含むことができる。特定の実施例において、デバイスは、デバイス特性の転移及び現在の測定を含むモデルを備え、デバイスの未来挙動を決定するのに一助となる。タスクがデバイスで実行されねばならないか否かに基づくだけでなく、タスク特性やプロファイル及びこれら測定やモデルに基づいて、システムは、タスク、またはタスクパイプラインの１つ以上の部分を委任するかを決定(または、委任しないかを決定)することができる。例えば、デバイスの可用メモリがタスク(例えば、ビデオ再生)のプロセッシングを支援できなければ、タスクの１つ以上の部分は委任されてもよい。他の例として、デバイスのCPU容量がタスクプロセッシングを支援できなければ(例えば、既存負荷(load)のためにCPUが最大容量で実行中である場合)、タスクの１つ以上の部分は、委任されてもよい。他の例として、デバイスのバッテリーレベルが低く、タスクの予想プロセッシング時間の間、バッテリーがデバイスにエネルギーを提供すると予想されなければ、タスクの１つ以上の部分は委任されてもよい。さらに他の例として、デバイスのネットワーク連結性が低いか、存在しなければ、タスクの１つ以上の部分は、委任されないことがある(例えば、デバイスが十分な可用メモリ、CPU容量及びエネルギーを有する場合)。さらに他の例として、デバイスが１つ以上のネットワーク基盤サービス(例えば、プロセッシングのためのクラウド基盤サービス)を使用でき、そのデバイスが適切なネットワーク連結性(例えば、良好な使用可能帯域幅)を有する場合、タスクの１つ以上の部分は、委任されてもよい。さらに他の例として、デバイスのユーザがビデオ再生を典型的(歴史的)に委任したとすれば、ビデオ再生タスクの１つ以上の部分は委任されてもよい。さらに他の例として、タスクの予測プロセッシング時間(例えば、デバイス特性の転移及び現在の測定を含むモデルに基づいて予測される)が一定臨界(例えば、数分(several  minutes))を超えれば、タスクは、委任されてもよい。適切に組合わせたデバイスの任意の適切な特性(例えば、静的、または動的属性)は、タスクの委任の有無を決定するのに使用される。また、デバイスタスクの任意の適切な特性(例えば、タスクプロファイル、またはそのタスクの特性(遅延感度、プロセッシング要求事項、またはネットワークペイロードサイズを含む)を含む)は、タスクを委任するか否かを決定するが、単独で、またはデバイス特性と共に使用される。追加的に、デバイスの任意モデル(例えば、デバイス挙動)は単独で、またはデバイス特性やタスク特性と共に使用され、また、タスクを委任するか否かを決定するのに使用される。特定の実施例において、デバイスとペアリングされたデバイスも委任モデルを含み、ペアリングされたデバイス(例えば、電話機)は同一段階を行い、自身のモデル(エネルギー、連結性、実行時間要求事項、及び実行の可能性(feasibility)のモデル)に基づいてタスクを委任される。委任されたタスクは、ペアリングされたデバイス(例えば、電話機)でプロセッシングまたは実行されて完了し、委任されたタスクをプロセッシングした結果は、デバイスに返還される。特定の実施例において、デバイスは、ネットワーク連結性が全くない時、またはそのデバイスの範囲内にペアリングされたデバイスがない時、独立モード(例えば、如何なるプロセッシングタスクも委任しない)で動作することができる。デバイスがネットワーク連結性を再び取得したり、またはそのデバイスが異なるデバイスとペアリングされれば、タスクの委任は再開される。
【０１３２】
図126は、デバイスの委任モデルの例示的アルゴリズムを示す。本例で、委任可能なタスクプロセスは、デバイスから始まる(12610)。デバイスのシステムは、電力使用分析及び予測を行う(12620)(例えば、ユーザのエネルギー使用履歴12630及びデバイスの充電までの予想時間12640に基づく)。これに基づいて、システムは、段階12650で、委任可能なタスクに必要な稼動時間(uptime)間に十分な充電が残っているか否かを決定する。十分な充電が残っていれば、デバイスのシステムは、電力使用を増加させ(12660)、また、委任可能なタスクをデバイスそれ自体でプロセスすることができる(12670)。しかし、必要な稼動時間の間にデバイスが十分な充電を有することができなければ、デバイスは、ペアリングされたデバイスのエネルギー状態を決定(12690)するために、ペアリングされたデバイス(例えば、電話機)に質問(12680)することができる。電話機の例で、必要な稼動時間の間に十分な充電が電話機に残っていれば、タスクは電話機でプロセスされる(12694)。しかし、十分な充電が電話機になければ、システムは、段階12694で、デバイスがインターネット基盤(例えば、クラウド)、またはその他のネットワーク基盤サービスに連結性を有するかを決定することができる。連結性を有さねば、デバイスは、そのプロセスを電話機に委任することができる(12694)。連結性があれば、デバイスは、そのプロセスをクラウドに委任し(12696)、タスクは、クラウドでプロセスされて結果は、追ってデバイスに返還される。特定の実施例において、デバイスは、委任可能なタスクを１つ以上のペアリングされたデバイス(例えば、モバイルフォン、またはパソコン)、またはネットワーク/インターネットサービスに分割方式で委任することができる。すなわち、デバイスは、プロセス、または委任可能なタスクの委任可能なサブタスクを互いに異なる場所に委任することができる。
【０１３３】
本明細書は、特定デバイス(または、デバイスの系列(family)、または範囲(range))用委任モデルが動的であるか、コンテキスト的であるということを考慮する。一例として、委任モデルは、可用メモリ、CPU容量、特定デバイス(または、デバイスの系列)の使用可能エネルギー、及び時間の流れにより完全に変化可能な因子(factor)を考慮することができる。委任モデルは、時間の流れにより変化しうるネットワーク連結性(例えば、帯域幅及び遅延)だけでなく、ネットワーク基盤、またはクラウド基盤サービス(及びそれぞれの容量)の可用性をさらに考慮することができる。図127を参照すれば、第1委任モデル12710(このモデルは、例えば、次の一年内に製造されるデバイスに適用できる)によって、多くのプロセッシングは、デバイス及びペアリングされたデバイス(例えば、スマートフォン)間に均等に分配され、ただ少量の委任のみクラウド基盤サービスのサーバに分配される。第2委任モデル12720(このモデルは、例えば、三年期間内に製造されるデバイスに適用できる)によって、多くのプロセッシングは、デバイスによって局所的(locally)に処理されてもよい(例えば、メモリ、CPU、及び小さいフォームファクター内のエネルギー容量の発展が予想されるためである)。この第2モデルで、一部プロセッシングは、サーバに委任され(例えば、改善されたネットワーク連結性のために、第1委任モデルでさらに委任量が多い)、ただ少量のみ局所的にペアリングされたデバイスに委任されてもよい。第3委任モデル12730(このモデルは、例えば、五年期間内に製造されるデバイスに適用できる)によって、すべての、またはほぼすべてのプロセッシングタスクは、デバイス及びクラウド基盤サービスのサーバに均等に配分され、局所的にペアリングされたデバイスには、プロセッシングが委任されていないか、ほとんど委任されない。委任モデルが考慮する要因が動的であるために、任意個数の委任モデルが作られる。一例として、デバイスは、１つの委任モデルによって、すべての、またはほぼすべてのタスクを局所的に遂行でき、また、デバイスは、他の委任モデルで、すべての、またはほぼすべてのタスクを委任することができる。
【０１３４】
デバイスは、ペアリングされた多プロセッシング(processing-rich)デバイス(例えば、電話機、コンピュータ、タブレット、テレビ、セットトップボックス、冷蔵庫、洗浄器、または乾燥器)、またはインターネットサービスに、エネルギー備蓄量、またはこれら(ペアリングされたデバイス及びインターネットサービス)それぞれとの連結帯域幅に基づいて、機能性を委任するように選択することができる。例えば、高性能プロセッサを備えたデバイスは、エネルギー量が少ない時、ペアリングされたデバイスに委任することができ、ペアリングされたデバイスが十分な電力備蓄量を持たない時、インターネットサービスへの委任を選択することができる。同様に、デバイスのシステムは、インターネット接続が高い遅延を示せば、データ伝送のサイズを減らすために、局所的にプロセスすることを選択することができる。
【０１３５】
特定の実施例において、デバイスのユーザは、あるアプリケーション全体、またはあるアプリケーションの一部をペアリングされたデバイスに委任し、その逆も可能である。これはアプリケーション基盤(per-application  basis)で起きる。ターゲットデバイス(例えば、テレビ)上のアプリケーションがデバイスに委任される時、ターゲットデバイスは、要請(request)をペアリングされた連結(スマートフォンや個人コンピュータのような仲介デバイスを通じた)を通じて伝送して、そのアプリケーションをデバイス上にロード(load)することができる。その後、デバイスは、ペアリングされたデバイス(例えば、テレビ)上で実行中であるサーバに対してクライアントとして動作することができる。同様に、デバイス上で実行中であるアプリケーションは、ペアリングされたデバイスに委任されてもよい(例えば、デバイス上でのビデオ再生は、ペアリングされたテレビ上での再生で委任されてもよい)。例えば、デバイスが第1アプリケーションを実行しており、デバイスのユーザが第2アプリケーションとの相互作用を所望すれば、デバイスは、第1アプリケーションのタスクを自動的に委任し、他のデバイス(例えば、ペアリングされたテレビ)によりプロセスされるようにする。
【０１３６】
図128は、委任モデルによるデバイスの動作の例示的決定の流れを示す。本例で、イメージ・キャプチャーアプリケーションは、デバイス上で実行されている。場面は、デバイス上でキャプチャーされ(12810)、デバイスは、自身がイメージ特徴計算のための十分なCPU容量を有しているか決める(12820)。デバイスが十分なCPU容量を有していれば、デバイスは、場面内関心特徴を局所的に計算する(12830)。デバイスが十分なCPU容量を有していなければ、まずデバイスは、自身がさらに大きいプロセッシング容量の他のデバイス(例えば、モバイルフォン、または個人コンピュータ)と通信的にペアリングされたかを決定することができる(段階12840)。そのようなデバイスとペアリングされているならば、デバイスは、データをそのペアリングされたデバイスに送信し、ペアリングされたデバイスは、イメージ内関心特徴を計算することができる(12850)。そのようなデバイスとペアリングされていないならば、デバイスは、自身がインターネット基盤(例えば、クラウド)サービスに連結されたかを決めることができる(12860)。連結されていなければ、デバイスは、それ以上のアクションをしない。連結されているならば、デバイスは、データをクラウドサービスに送信し、そのサービスは、場面内関心特徴を計算することができる(12870)。関心特徴は、例えば、SURFを含む任意の適切なアルゴリズムを用いて(計算されるどこででも)計算されてもよい。本例で、関心特徴は、どんなマッチが発見されるか否か(及び発見される場合、関連関心情報(relevant  information  of  interest))を決定するために、ローカルカタログ、またはインターネット基盤サービスに比較されてもよい(12880)。マッチが発見されれば(12890)、結果は、デバイス上でユーザに提示されてもよい。マッチが発見されなければ、追加で取られるアクションはない。
【０１３７】
特定の実施例において、デバイスのカメラ、または他の光学センサーは、ユーザが行った(例えば、カメラと現実世界のターゲット間の空間で)任意のジェスチャーを認識するのに使用される。これらジェスチャーは、提示されたデータ(例えば、テキストを含む広告(sign)のような現実世界のターゲット)に対して行動するのに使用され、または拡張現実機能が実行されてもよい特定アイテムを示すのに使用される。例えば、ユーザは、広告の単語を示し、デバイスに、その単語を翻訳し、その翻訳物をユーザにディスプレイさせることができる。図17は、デバイスのカメラがキャプチャーした2個のイメージ例を示す。一例として、トラック1725、及びデバイスユーザの手1720は、いずれもデバイスのカメラ1705の視野角内にあり、デバイスによってディスプレイされる(1710に示す)。これにより、トラックに対してユーザが行ったジェスチャーは、例えば、AR機能性を提供するように、デバイスによって認識されて処理されてもよい。第2の例として、トラックのみがカメラの視野角内にあり(1715に示す)、これにより、ユーザが行ったジェスチャーは、デバイスによってキャプチャーされたり、認識されない。デバイスは、ジェスチャー認識を委任することができる。
【０１３８】
特定の実施例において、デバイスは、そのデバイスカメラの視野フレーム(frame  of  view)内にオブジェクト、またはイメージがある時、そのオブジェクト、またはイメージを認識することができる。ここで説明されるように、デバイスがオブジェクトを認識する多数の方法がありえる。一例として、ユーザが行ったジェスチャー(例えば、特定オブジェクトを示すポインティングジェスチャー)は、デバイス上でAR機能性を使用可能にすることができ、そのデバイスに、オブジェクトを認識させることができる。他の例として、自動オブジェクト認識は、例えば、ユーザがカメラを一定時間特定オブジェクト(例えば、テキストの部分)上に位置させる時、起こることができる。第3の例として、デバイスのカメラが関心オブジェクトをキャプチャーした時、ユーザは、例えば、ディスプレイをタップしたり、タッチし(または、例えば、外郭リングをクリックする)、オブジェクト認識またはAR機能性を明示的に使用可能にすることができる。全域オブジェクト認識(global  object  recognition)は、場合によっては、計算集約的であり、また、エラー発生が容易であり得る(error-prone)。これにより、特定の実施例において、正確度を改善するために制限セット(limiting  set)(例えば、雑誌やカタログのページ、または木の葉や本の表紙のような特定オブジェクトタイプのカタログ)が適用されてもよい。イメージから特徴ベクトルを計算するのに多数の選択が存在し、これらからデバイスのシステム設計者は採択することができる。場合によっては、互いに異なる接近法の間で特徴ベクトルの転換は計算面で高価であり、したがって、可能なマッチのデータベースの選択(choice  of  the  data  base  of  possible  matches)がデバイスに複製されてもよい。特徴ベクトルの計算は、ここに説明されたように、委任されてもよい。
【０１３９】
特定の実施例において、デバイスは、多様なタイプのバーコードを認識することができる。これらバーコードは、インターネット基盤サービスに、バーコードされたアイテムを購入し、レビューし、または今後レビューするために、ブックマークするオプションに加えて追加データを質問(query)するのに使用される。二次元バーコードは、一般的に直接判読されてもよいが、デバイスのシステムは、認識率を向上させるために、特に、小型、または一次元バーコード用の追加近接焦点モード(addition  close-focus  mode)を提案することができる。システムがバーコードをデコードする能力を備えられない場合、システムは、カメラで焦点を合わせ、写真を撮り、ここに説明されたように、遠隔デバイスに認識を委任することができる。図129Aないし図129Dは、バーコード認識モードの例を示す。デバイスは、アイテムに向かい(129A)、アイテムを認識し(129B)、アイテムに関してインターネットから取得した付加情報をディスプレイし(129C)、及びアイテム購買のためのインターフェースをユーザに提供することができる(129D)。
【０１４０】
特定の実施例において、デバイスは、翻訳を遂行できる。翻訳機能性は、2個の部分に分割される:光学文字認識(OCR)、及び認識された文字、単語、または構文の翻訳.OCRは、デバイスで完了するか、またはデバイスが翻訳するデータ量を減少させるために、委任(例えば、ペアリングされたプロセッシングデバイスに委任)しうる。単純単語翻訳は、デバイスで実行されるか、または委任(例えば、ペアリングされたプロセッシングデバイスに委任)しうる。ここに説明された他の機能性と同様に、認識や翻訳の全部、または一部は、必要に応じて委任されてもよい。ユーザは、図130に示されたように、翻訳される単語(例えば、単語“Warning")を示すために、ジェスチャーを選択的に使用することができる。個別単語は、白い空間によって取り囲まれるので、システムは、翻訳を試みる前に単語を分割(segment)することができる。追加的に、デバイスがOCRを小さい遅延で遂行できるならば、デバイスは、自身が正しいテキストを対象にして正確に認識している時をユーザが分かるように、テキストをユーザに示すことができる。自動OCRが使用可能になれば、デバイスは、外向きカメラの視野角内にあるイメージを自動的に識別し、識別されたイメージに関する情報をデバイスディスプレイに提示することができる。自動翻訳が使用可能になれば、デバイスは、外向きカメラの視野角内にあるテキストを自動的に識別して、翻訳されたテキストをデバイスディスプレイに提示することができる。
【０１４１】
図131Aないし図131Dは、ここに説明された多様な拡張現実モード(バーコード認識モード(131A)、イメージ認識モード(131B)、OCR及び翻訳モード(131C)、及びオブジェクト認識モード(131D)を含む)で動作するデバイスの例を示す。
【０１４２】
図132は、デバイス用拡張現実システムに対する全体アクションの流れの例を示す。この例は、イメージキャプチャーアプリケーションを例示するが、デバイス上任意の適切なタスク、または、プロセスは、類似した流れに従うことができる。追加的に、デバイスがイメージをキャプチャーした後、そのデバイスが結果をユーザにディスプレイする前に任意のタスク(適すれば)は、デバイスによって委任されてもよい。本例で、デバイスカメラでイメージがキャプチャーされ(イメージキャプチャーセクション13210)、プリプロセッシングされ(セクション13220)、特徴が抽出及び認識されてイメージ認識結果を生成し(セクション13230)、任意のオブジェクトが認識されてもよい(セクション13240)。オブジェクトデータは、デバイスユーザによるアクションのために、フォーマットされてもよい。ユーザは、デバイスの拡張現実モードを活性化(例えば、ユーザジェスチャーを通じたり、デバイスのカメラでオブジェクトを所定時間を示すことによって)し（13211）、デバイスカメラ13213は、該カメラビュー内のイメージ13212をキャプチャー(例えば、ユーザ入力、または自動カメラ活性化のようなトリガーイベントに基づく)して、カメライメージ13214を生成することができる。この時点で、プリプロセッシングステージ13220に進入することができる。プリプロセッシング13220は、例えば、コントラスト向上、グレースケール(grayscale)変換、先鋭化(sharpening)、またはダウンサンプリングを含むことができる。特定の実施例において、カメラは、全般的に拡張現実モードで動作し、拡張現実モードでカメラ前方の何でもプロセッシングされ、認識される。他の実施例において、カメラは、特定モード(例えば、OCR、バーコード、または視覚マーカー(visual  marker))で動作し、そのモードにある時、特定アイテムのみ認識することができる。特定の実施例において、イメージが形状、シンボル、または形状やシンボルの団体(organization)を含むことができると決定されれば(例えば、カメラ、またはデバイスがOCRモード、バーコードモード、または視覚マーカーモードにあると決定される)、ARイメージプロセッシングは、第1経路に進むことができる。この第1経路は、予備プロセッシング(preliminary  processing)13221から始まり、セグメンテーション13231(これは、例えば、字、または単語のようなシンボル、またはシンボルグループの境界を決定)に進み、光学文字認識13234(例えば、イメージが文字を含むと決定されれば、かような文字がどんな文字なのかを決定)、バーコード認識13235(例えば、イメージがバーコードを含むと決定されれば、バーコードを認識)、または視覚マーカー認識(例えば、他のタイプの視覚マーカーを認識)13236(例えば、その他すべてのタイプの視覚マーカーに対して認識)のうち、１つ以上を始める。第1経路の結果は、オブジェクト認識装置13242に送られる。特定の実施例において、イメージが必ずしも知られたものではない特徴を含むと決定されれば、ARイメージプロセッシングは、第2経路に進むことができる。この第2経路は、特徴抽出(feature  extraction)13222から始まる(例えば、ここで、エッジ、またはラインの存在、ラインの角度変化、エッジ、関心地点、またはパターンがキャプチャーされたイメージ内で検出)。第2経路は、イメージ認識13232に進め��ここで、イメージの特徴は、認識データベース13233(このデータベースは、例えば、デバイスに、局所的にペアリングされたデバイスに、または遠隔サーバやコンピュータにあり得る)からの特徴データと比較される。イメージ認識比較の結果13237が提供され、オブジェクト認識装置13242に送られる。オブジェクト認識セクション13240で、第1経路と第2経路は、オブジェクト認識装置13242で収斂する。ここで、オブジェクトデータベース13241からの結果は、オブジェクトの認識に使用される(例えば、イメージ認識データベース13233を用いて認識された電話機は、特定ブランドとモデルの電話機であることが認識される)。認識装置13242が認識したオブジェクトに関するオブジェクトデータ13243(例えば、認識された電話機モデルの価格、または電話機を購買できる場所)が提供されてもよい。テキストに対して、定義、または翻訳物が生成され、これらは、ユーザにディスプレイされてもよい。バーコードに対して、認識されたオブジェクトに対する製品情報や購買のためのリンクがあり、これらは、ユーザにディスプレイされる。特定の実施例において、データは完全に記述的(descriptive)であるか(例えば、電話機の価格)、または能動的でありうる(例えば、ユーザが電話機を購買できる場所に係わるリンク)。データがアクションデータ13244を含めば、アクション制御器13250(デバイスのユーザのためにGUIを制御、フォーマット及び出力)は、能動データ(例えば、電話機購買のためのリンク)を含むUIをユーザに示すことができる(13255)。ユーザがアクションを選択すれば(13260;例えば、リンクをクリックする)、アクション制御器は、ユーザにアクションUIを示し(13265;例えば、リンクのオープン)、及びアクションが確認されれば(13270)、そのアクションが実行される(13275;例えば、リンクと関連したウェブページを実際にオープンする)。
【０１４３】
図133は、ネットワーク環境の例を示す。ここに説明されたように、特定の実施例において、デバイス13310は、他のデバイス(例えば、付近デバイス)とペアリングされる。このデバイスは、パーソナルエリアネットワーク(personal  area  network)13320(同一ネットワークにある他のデバイスを通じてLAN(local  area  network)にブリッジ(bridge)することができる)に直接連結されたり、またはこのデバイスは、LAN13330に直接連結されてもよい。パーソナルエリアネットワークは、例えば、ブルートゥース、NFC、またはZIGBEEのような非WI-FI無線技術を含むことができる。パーソナルエリアネットワークは、例えば、スマートメディアゲートウェイ13322(例えば、メディアサーバ)、スマートTV13324、他のプロセッシングプロバイダー13326、または電話機13328を含むことができる。電話機13328を通じてデバイスは、セルラーネットワーク13340に接続し、そのネットワークからインターネット13350に接続することができる。LAN13330は、例えば、認証があるか、あるいはないWI-FIを含むことができる。LANは、例えば、ローカルワイヤレスネットワークルータ(local  wireless  network  router)13332、スマートメディアデバイス13334、スマート家電製品13336、ホームオートメーション技術13338を含むことができる。LANは、例えば、ローカルルータ13332を通じて全域インターネット13350に接続でき、この全域インターネットは、インターネットサービス(例えば、独占的(proprietary)クラウドサービス13352、またはその他のクラウドサービスパートナー13354)に接続する。本デバイスは、直接アクセス(例えば、パーソナルエリアネットワークを通じる)を通じたり、LANを通じて、一部デバイスに到達することができる。本デバイスが到達できるこれらデバイスは、本デバイスとペアリングされ、本デバイスによって制御されるか、または本デバイスを制御することができる。本デバイスは、パーソナルエリアネットワークまたはLANに、例えば、任意の適切なRF技術を用いて接続することができる。図133に示したように、周辺ターゲットデバイスでのペアリングは、RFネットワークで先に発生する可能性がある。これにより、本デバイスは、何が“付近”にあるかが分かる。ペアリングは、パーソナルエリアネットワーク(例えば、アドホック(ad-hoc)またはピアツーピア(peer  to  peer)ネットワーク)で起こり、または802.11ワイヤレスのような仲裁(mediated)ネットワーク(例えば、LAN)を使用しうる。隣(neighborhood)が確立されれば、本デバイスは、付近デバイスにペアリングモードへの進入を要請することができる。この要請は、直接なされるか、非常に多くの連結オプションを有するペアリングされたプロセッシングデバイス(例えば、モバイルフォン)を通じてなされる。ターゲットデバイスがペアリングモードに進入すれば、ターゲットデバイスは、それらのペアリング信号を示すことができる。例えば、ディスプレイを備えたデバイスは、そのディスプレイ上に視覚タグ(visual  tag)を示し、他のデバイスは、NFCタグを使用可能にし、スキャナがそれらを識別することを許容することができる。リストからの選択、またはピンコードによる選択のような他の方法がさらに使用される。あるデバイスがペアリングターゲットとして固有に識別されれば、本デバイスは、ペアリングを完結するために、そのターゲットデバイ���とセキュリティートークン(security  token)を交換することができる。
【０１４４】
図134は、ターゲットデバイスを本デバイスとペアリングするのに使用される他のタイプのペアリング技術の例を示す。ターゲットデバイス(電話機のようなスマートフォンであり得る)は、受動NFCタグ13402、または能動NFC送信機13404(本デバイスのNFCタグ判読機13420及びNFCデコーダが認識することができる);NFCデコーダ13406(本デバイスのNFCタグ記録機13422が記録したNFCタグを認識できる)、受動視覚タグ13408(例えば、ステッカー)、バーコード13410、またはその他のディスプレイ情報13412(本デバイスのカメラ13424が認識できる);または他のペアリングシステム13416を含むことができる。ターゲットデバイスの能動タグ発生器13414は、ディスプレイ情報13412を生成したり、または情報をそのターゲットデバイスの他のペアリングシステム13416に提供することができる(情報は本デバイスのミラーペアリングシステム(ペアリングコードデコーダ13438を具備する)13426によって認識される)。本デバイスは、データを他のターゲットデバイス(本デバイスにペアリングすることができる)に送信するために、NFCタグにこのデータを記録(例えば、NFCタグ記録機13422による)することができる。本デバイスが記録したタグは、ターゲットデバイス上のNFCタグデコーダ13406によって認識されてもよい。本デバイスは、バーコードデコーダ13430、視覚タグデコーダ13432、イメージ認識装置13434、またはその他のイメージ基盤デコーダ13436(例えば、QRコード（登録商標）、ロゴ、またはLEDの点滅パターン用デコーダ)を含む多数のデコーダのうち任意のものを含むことができる。これらデコーダはいずれも本デバイスのカメラ13424から入力される。本デバイスがペアリング情報を受信し、認識した後、本デバイスは、ターゲットデバイスとのペアリングを進めるために、関連情報をデコード(例えば、多様なデコーダを通じる)することができる。特定の実施例において、ペアリングは、モーションを用いて達成することができる―モーション-センシティブターゲットデバイス(例えば、モバイルフォン)を本デバイスと同じ手でとって動かすことによって、そのターゲットデバイスを本デバイスにペアリングすることができる(例えば、両デバイスが加速度計を含めば、類似のパターンのモーションが検出され、デバイスをペアリングするのに使用される)。他の例として、固定されたターゲットデバイスを本デバイスと同じ手でとっている間、その固定されたターゲットデバイスをランダムパターンでタッピングすることによって、その固定されたターゲットデバイスを本デバイスにペアリングすることができる(例えば、両デバイスがタッチ感知を含めば、類似したタッピングパターンが検出され、デバイスをペアリングするのに使用される)。追加的に、ペアリングは、オーディオを用いてなる―本デバイスとターゲットデバイスがいずれもオーディオ認識能力を有していれば、ユーザは、両デバイスが検出してペアリングを設定するという音を出す(例えば、句節を述べる(say  a  phrase))。デバイスの任意の適切な技術(例えば、拡張現実機能を含む)は、ローカルデバイスとペアリングし、かつローカルデバイスを制御するのに使用される。本デバイスとターゲットデバイスそれぞれは他の可能な仲裁ネットワークデバイス13440に接続し、またLAN13450に接続することができる。
【０１４５】
図135は、ターゲットデバイスと本デバイスとをペアリング(例えば、ここに説明された任意の方法を使用する)する例示的プロセスを示す。ペアリングモードが使用可能になれば(13510)、本デバイスは、RFネットワークがペアリング可能なターゲットデバイスを含んでいるのかを決定する(13512)。含んでいなければ、追加で取られるアクションはない(例えば、デバイスは、周期的にスキャンを継続しうる)。含んでいれば、デバイスは、ペアリング可能なデバイスにペアリングモードへの進入を要請することができる(13514)。その後、引き続きデバイスは、可用ターゲットデバイスを、他の可用技術を通じて、スキャン(任意の順序で、または並列方式で)することができる。スキャンは、NFCタグスキャン13516、カメラ視野角内の視覚タグスキャン13518、カメラ視野角内のバーコードスキャン13520、またはその他の方法13522を含むことができる。これら方法のうち一方法を通じて、ターゲットデバイスが検出されれば、そのターゲットデバイスは、本デバイスとペアリングされる(13524)。ペアリングが起きれば、本デバイスは、ペアリングされたデバイスを制御するためのメニューアイテムをユーザに示すことができる。本デバイスは、ペアリングされたデバイスに対して視覚及びモーション基盤ジェスチャー制御を許容することができる。例えば、ユーザは、ペアリングされたテレビのチャネルを変更するために、ジェスチャー(例えば、手を振る)を行うことができ、または本デバイスからペアリングされたディスプレイにビデオメディアを伝送するために、ピンチングジェスチャーを行うことができる(例えば、AR機能性を使用する)。RFネットワーク上で仲裁されたデバイス制御は、局所的であり、安全である(local  and  securable)。図136は、ペアリングされ、制御されるテレビに対して本デバイスで使用可能になった例示的コントロール(活性ON/OFFアイコン13610、選好チャネル13620、現在のチャネルディスプレイ13630、及びボリューム13640を含む)を示す。ここに説明されるように、ユーザからの任意の適切な入力がペアリングされたデバイスの機能性を制御するために使用される。例えば、ジェスチャー入力、クリックまたは押し入力、またはタッチ入力は、例えば、ペアリングされたテレビのチャネルを変更し、ボリュームを調整し、またはその他の機能を制御するために使用される。
【０１４６】
特定の実施例において、デバイス用ペアリング及び制御モデルは、後述する特性を含むことができる。デバイスは、遠隔デバイス(例えば、制御可能なサーモスタットのようなアップセサリ(appcessory))の１つ以上の機能と相互作用するか、この機能を制御するアプリケーションに対するホストとして機能することができる。以前にアプリケーションに対するホストであったスマートフォン(または、その他の局所的にペアリングされたデバイス)は、遠隔デバイスとの相互作用、または遠隔デバイスの制御に関する一定機能(例えば、遠隔デバイスへの長距離(longer-range)ワイヤレス接続性、遠隔デバイスへのコマンド送信、遠隔デバイスからのデータ受信、またはタスクプロセッシング)を本デバイスから委任される単にローカルターゲットデバイスとして機能することができる。本デバイスは、例えば、視覚手段(例えば、カメラを使用)、またはモーション基盤ジェスチャーを含む任意の適切な手段を用いて遠隔アップセサリデバイスを制御することができる。他の実施例において、局所的にペアリングされたスマートフォンは、遠隔アップセサリと相互作用するアプリケーションに対するホストとして機能し続けるが、本デバイスは、アプリケーションに/から入力/出力されるデータのためのユーザインタフェースの全部、または一部を提供することができる(例えば、スマートフォンによってホストされるアプリケーションの“軽い(light)”バージョン)。例えば、ユーザは、本デバイスを用いてアプリケーションを制御できるが、スマートフォンは、依然としてアプリケーションのホストとして機能することができる。
【０１４７】
特定の実施例において、デバイスは、１つ以上のサービスで動作することができる。かようなサービスは、セキュリティー、エネルギー、ホーム自動化及び制御、コンテンツ共有、ヘルスケア、スポーツ及びエンターテインメント、コマース、車両、及びソーシャルアプリケーションを含むカテゴリーに属することができる。
【０１４８】
セキュリティーアプリケーションの例は、次を含む。デバイスは、ロック解除(unlocked)デバイスを着用しているユーザを、前記ユーザ近くのさらなるデバイス(例えば、前記デバイスとペアリングされた)に認証することができる。デバイスは、例えば、デバイスの外郭リングを回転させることを含む適切な入力を用いて、前記ユーザによって入力されたコードでロック解除される。一例として、ユーザが外郭リングを回転したり、押したり、クリックする間、ディスプレイは、前記ユーザによる回転、押し、またはクリックに対応する英数字、または記号データを示すことができる。もし、例えば、ユーザが外郭リングを時計周り方向に、1回転増分のみ回転させれば(または、例えば、外郭リングを1回クリックしたり押せば)、ディスプレイは、ユーザに“1”を示すことができ、もし、ユーザが外郭リングを例えば、ミリ秒(millisecond)のような所定期間内で、時計周り方向に、2回転増分のみ回転させれば(または、例えば、外郭リングを2回クリックしたり押せば)、ディスプレイは、ユーザに“2”を示すことができる。特定の実施例において、ユーザによる回転(または押し、またはクリック)に対応する英数字、または記号データのディスプレイは、ユーザに、組合わせロック(combination  lock)の隠喩を用いてデバイスをロック解除することを許容する。デバイスは、また生体データ(例えば、ユーザの皮膚、またはボーンシグネチャ(bone  signature)による)を利用し、またロック解除されてもよい。
【０１４９】
エネルギーアプリケーションの例で、デバイスは、室内のエネルギー消費、または、ユーザが位置している他の位置に係わる情報を自動的にディスプレイすることができる。デバイスは、他のペアリングされたデバイスのエネルギー消費に対する情報をディスプレイでき、ユーザが位置を変更することによって、かようなすべての情報を動的にアップデートすることができる。
【０１５０】
ホーム制御アプリケーションの例で、ユーザは、例えば、外郭リングの回転、またはジェスチャー入力を用いてペアリングされたホーム制御デバイスを選択して、直接制御することができる。
【０１５１】
ユーザは、デバイスで、またはデバイスからコンテンツの共有や伝送(例えば、デバイスで再生しているビデオをペアリングされた(paired)テレビに伝送)を制御するためにジェスチャーを用いることができる。また、映画字幕のような補助情報は、さらなるより大きなデバイスの例を挙げて、映画を再生するテレビに、コンテンツを示すために、前記デバイスに提供することができる。
【０１５２】
デバイスは、例えば、もしユーザが運動をしていたり、寝ているならば、ヘルスケアコンテキストを自動的に決定することができる。デバイスがかようなコンテキストを決定する時、デバイスは、例えば、運動の心拍数、運動中の動き、運動期間、運動中の脈拍酸素測定(pulse  oximetry)、睡眠パターン、睡眠期間、または電気皮膚反応(galvanic  skin  response)を記録するためのヘルスケアコンテキストに対応するアプリケーションを始めることができる。デバイスは、例えば、ユーザのヘルス関連データ(例えば、心拍数、動き、または脈拍酸素測定)を測定し、かようなデータの一部、または全部をペアリングされたデバイス、またはサーバに送ることができる。たとえヘルスケアコンテキストで示されたとしても、例えば、ユーザの行動に基づいた適切なコンテキストの決定、対応するアプリケーションの開始、データの記録、またはかようなデータの伝送はいかなる適切なコンテキストでも適用される。
【０１５３】
デバイスは、例えば、ユーザのゴルフスイングを自動的に評価し、修正を提案するようなスポーツ関連アプリケーションでも一助となる。
【０１５４】
商業的設定で、デバイスは、ユーザが商品を取った時、例えば、RFID、NFC、バーコード認識、またはオブジェクト認識を用いて商品を自動的に識別し、例えば、栄養情報、ソース情報、またはレビューのようなその商品についての情報、またはその商品を購入するオプションを提供することができる。商品に対する支払いは、例えば、デバイスの視覚的バーコード技術を用いてなる。特定の実施例において、デバイスは、NFC、RFID、またはその他の異なる短距離通信の適切な形態を利用して商品に対して支払うのに利用することができる。支払いの間、ユーザ情報は、例えば、デバイスによって認証され、デバイスは、例えば、骨構造、または皮膚シグネチャ(skin  signature)等のユーザ生体情報を検出することができる。ユーザが、例えば、デバイスに保存されたショッピングリスト、または、例えば、ユーザの友人のウィッシュリストのようなさらなるリストにある商品に近くいる時、デバイスは、ユーザに、例えば、振動のような表示を自動的に提供することができる。
【０１５５】
デバイスは、１つ以上の車両をロック解除するか、キーとして機能することができる。ユーザは、例えば、前述したように、NFC技術を用いて車両をロック解除したり、つけるために、外郭リングを用いてコードを入力することができる。特定の実施例において、ユーザ生体情報とユーザによって入力されたコードがいずれも車をロック解除するために要求されるが、これは車基盤アプリケーションに対して向上したセキュリティーを提供する。また、デバイスは、１つ以上のユーザに対するプロファイルを含み、各プロファイルは、例えば、温度、または座席位置のような車両設定を含みうる。さらに他の例として、特定ユーザの生体情報は、デバイスをロック解除するだけではなく、車の動作の間、如何なるユーザプロファイルがロードされねばならないかを決定するのにも利用することができる。デバイスの車両までの近接性は、車両をして、ユーザのプロファイルの車両設定を実現するように自動的に作ることができる。デバイスは、例えば、デバイスに直接、またはフォンとペアリングされて制御する時、GPSナビゲーションのために動作することもできる。
【０１５６】
デバイスは、リアリティー組合わせゲーム(mixed-reality  game)、または大量マルチレイヤリアリティー基盤ゲームのための支援を提供するサービスにアクセスし、そのサービスと共に動作しうる。かような機能性は、例えば、ユーザデータ(ユーザプロファイル及び完了したレベル、またはサプライ目録(inventories  of  supplies)のようなゲーム関連データ)の登録、管理、及び成就リスト(accomplishment  lists)の管理を含むことができる。デバイスとサービスとの機能性は、脆弱な無線通信チャネルを取り扱って統合されたAPIを第3当事者ゲームサーバに提供する連結性管理(例えば、集中装置機能性(concentrator  functionality))をも含むことができる。
【０１５７】
デバイスは、デバイスのユーザが、位置、チェックイン、または他の位置基盤データを公開することを許容するサービスにアクセスし、このサービスと共に動作することができる。かような位置基盤データは、サービスが、ユーザの位置及び状態に関する最も最近の情報の一貫した保存所にアクセスすることを許容する。例えば、デバイスのユーザは、類似したデバイスを用いて友人を探すことができる。サービス及びデバイスは、共に状態アップデート、プロファイル管理、アプリケーションアクセス許容、ブラックリスト、または、ユーザ対ユーザアクセス許容を取り扱うことができる。サービスは、個人的データに対して信頼性のある、そして中央集中化された接点になる。統合された位置サービスへのアクセスを結合することによって、エネルギー及びバッテリーの寿命は、特定の実施例で節約される。特定の実施例において、如何なる機能性トークンは、ユーザの位置に基づいて可用になる。アプリケーションは、例えば、かようなトークンが使用可能であり、それにしたがって行動するかを見るために、デバイス上でチェックすることができる。サーバ側で、APIは開発者に、トークンの使用を見たり、または補完を許容させることを可能にする。特定の実施例において、情報は、デバイスによって他のユーザ(例えば、単一ユーザ、または放送モードで複数ユーザ)に配布されてもよい。
【０１５８】
デバイスは、自体が、ポール(polls)を送受信することを許容する統合されたフォーリングインターフェースを提供するサービスをアクセスし、そのサービスと共に動作することができる。デバイスとサービスは、共に配布目録、算定基準、及びポール効用フレーム(poll  availability  frame)(例えば、時間的及び地理的)を管理することができる。かようなサービスは、第三者がアプリケーションを作るためにAPIを使用し、オンラインAPIを通じて結果を返されるように、デバイスに、そしてサーバに露出させる。
【０１５９】
特定の実施例において、デバイスは、デバイスの円形ディスプレイにテキスト、イメージ、または他の情報のプレゼンテーション最適化を提供するサービスにアクセスし、このサービスと共に動作することができる。例えば、ウェブサイトは、コンピュータモニタ上でのディスプレイのために、レンダリング、またはフォーマットされてもよいが、サービスは、イメージを強調してテキスト長を減らすことによって、さらに小さい円形ディスプレイのために、レンダリング及びフォーマッティングをカスタマイズすることができる。カスタマイズされたレンダリング及びフォーマッティングは、例えば、デバイス、１つ以上のサーバ、または局所的にペアリングされた(locally-paired)デバイス間に委任可能なタスクになる。かようなサービスは、ニュース、または広告サービスも含むことができる。
【０１６０】
図137は、例示的なコンピュータシステム13700を示す。特定の実施例において、１つ以上のコンピュータシステム13700は、ここで記述されたり、または図示された１つ以上の方法の１つ以上の段階を行う。特定の実施例において、１つ以上のコンピュータシステム13700は、ここで記述されたり、図示された機能性を提供する。特定の実施例において、１つ以上のコンピュータシステム13700で実行されるソフトウェアは、ここで記述されたり図示された１つ以上の方法の１つ以上の段階を遂行したり、またはここで記述されたり、図示された機能性を提供する。特定の実施例は、１つ以上のコンピュータシステム13700の１つ以上の部分を含むことができる。ここで、コンピュータシステムの参照は、望ましくは、コンピューティングデバイスを含むことができる。また、コンピュータシステムの参照は、望ましくは、１つ以上のコンピュータシステムを含むことができる。
【０１６１】
本開示は、いかなる適切な数字のコンピュータシステム13700でもあると考慮する。本開示はある適切な物理的形態を取るコンピュータシステム13700を考慮する。限定的な意味ではなく、一例として、コンピュータシステム13700は、エンベデッドコンピュータシステム、SOC(System-on-Chip)、シングル-ボードコンピュータシステム(SBC)(例、コンピュータ-オン-モジュール(computer-on-module(COM))、またはシステム-オン-モジュール(system-on-module(SOM)))、デスクトップコンピュータシステム、ラップトップ、またはノートブックコンピュータシステム、インタラクティブキオスク(interactivekiosk)、メインフレーム、コンピュータシステムメッシュ(mesh  of  computer  systems)、モバイルテレホン、パーソナルデジタルアシスタント(PDA)、サーバ、タブレットコンピュータシステム、またはかようなものなどの２つ以上の組合わせになる。望ましくは、コンピュータシステム13700は、１つ以上のコンピュータシステム13700を含むが、かような１つ以上のコンピュータシステム13700は、単一形態であるか、または分散形態でもあり、複数の位置に亙っているか、複数の機械に亙っているか、複数のデータセンターに亙っているか、または１つ以上のネットワークで１つ以上のクラウドコンポーネントを含みうるクラウドに常駐する。望ましくは、１つ以上のコンピュータシステム13700は、実質的な空間的、または時間的制約なしに、ここで記述されたり、図示された１つ以上の方法の１つ以上の段階を行える。限定的な意味でなく一例として、１つ以上のコンピュータシステム13700は、リアルタイムで、またはバッチモード(batch  mode)で、ここで記述されるか、図示された１つ以上の方法の１つ以上の段階を行える。１つ以上のコンピュータシステム13700は、望ましくは、ここで記述されたり、図示された１つ以上の方法の１つ以上の段階を互いに異なる時間でまたは互いに異なる位置で行える。
【０１６２】
特定の実施例において、コンピュータシステム13700は、プロセッサ13702、メモリ13704、保存所13706、入力/出力(I/O)インターフェース13708、通信インターフェース13710、及びバス13712を含む。たとえ本開示が特定数の特定のコンポーネントを特定の配列で有する特定のコンピュータシステムを記述して図示するとしても、本開示は、いかなる数のいかなるコンポーネントを、いかなる配列で有する、いかなる適切なコンピュータシステムをも考慮する。
【０１６３】
特定の実施例において、プロセッサ13702は、コンピュータプログラムを構成するようなインストラクションを実行するハードウェアを含む。限定的な意味ではなく、一例として、インストラクションを実行するために、プロセッサ13702は、内部レジスター、内部キャッシュ、メモリ13704、または保存所13706からインストラクションを取り出し(retrieve  or  fetch)、インストラクションをデコードして実行し、その後、１つ以上の結果を内部レジスター、内部キャッシュ、メモリ13704、または保存所13706に記録することができる。特定の実施例において、プロセッサ13702は、データ、インストラクション、またはアドレスのための１つ以上の内部キャッシュを含むことができる。本開示は、望ましくは、いかなる適切な数のいかなる適切な内部キャッシュでも含むプロセッサ13702を考慮する。限定的な意味ではない例として、プロセッサ13702は、１つ以上のインストラクションキャッシュ、１つ以上のデータキャッシュ、１つ以上の変換索引バッファ(translation  lookaside  buffer:TLB)を含むことができる。インストラクションキャッシュにあるインストラクションは、メモリ13704、または保存所13706にあるインストラクションの複写本であり、インストラクションキャッシュは、プロセッサ13702によってかようなインストラクションを取り出す速度を速くすることができる。データキャッシュにあるデータは、プロセッサ13702で実行されるインストラクションの動作対象である、メモリ13704、または保存所13706にあるデータの複写本や、プロセッサ13702で実行された後にインストラクションによるアクセス、またはメモリ13704、または保存所13706での記録のために、プロセッサ13702で実行される以前のインストラクションの結果であるか、またはそれ以外の適切なデータになる。データキャッシュは、プロセッサ13702による読出し、または書込み動作の速度を速くすることができる。TLBは、プロセッサ13702のために仮想アドレス変換の速度を速くすることができる。特定の実施例において、プロセッサ13702は、データ、インストラクション、またはアドレスのための１つ以上の内部レジスターを含むことができる。本開示は、望ましくは、いかなる適切な数のいかなる適切な内部レジスターでも含むプロセッサ13702を考慮する。望ましくは、プロセッサ13702は、１つ以上の算術論理演算ユニット(ALU)を含むか、マルチコアプロセッサ(multi-core  processor)であるか、または１つ以上のプロセッサ13702を含むことができる。たとえ本開示が、特定プロセッサを記述して図示しているとしても、本開示はいかなる適切なプロセッサも考慮する。
【０１６４】
特定の実施例において、メモリ13704は、プロセッサ13702が実行するインストラクション及びプロセッサ13702が演算するデータを保存するためのメインメモリを含む。限定的な意味ではなく、一例として、コンピュータ13700は、保存所13706、または、例えば、他のコンピュータシステム13700のようなさらなるソースからメモリ13704にインストラクションを積載することができる。プロセッサ13702は、その次のインストラクションをメモリ13704から内部レジスター、または、内部キャッシュに積載することができる。インストラクションを実行するために、プロセッサ13702は、内部レジスター、または、内部キャッシュからインストラクションを取り出して、インストラクションをデコードすることができる。インストラクションを実行する間、または実行後に、プロセッサ13702は、中間、または最終結果である１つ以上の結果を、内部レジスター、または、内部キャッシュに記録することができる。プロセッサ13702は、その次の１つ以上の結果をメモリ13704に記録することができる。特定の実施例において、プロセッサ13702は、保存所13706やそれ以外の他の所とは違って、１つ以上の内部レジスター、内部キャッシュ、またはメモリ13704では、インストラクションのみを実行し、また、保存所13706やその以外の他の所とは違って、１つ以上の内部レジスター、内部キャッシュ、またはメモリ13704では、データのみを演算することができる。１つ以上のメモリバス(各メモリバスは、アドレスバスとデータバスとを含む)は、プロセッサ13702をメモリ13704に連結させうる。バス13712は、後述されるように１つ以上のメモリバスを含むことができる。特定の実施例において、１つ以上のメモリ管理ユニット(MMU)は、プロセッサ13702とメモリ13704との間に常駐し、プロセッサ13702によって要求されたメモリ13704でのアクセスを容易にする。特定の実施例において、メモリ13704は、ランダムアクセスメモリ(RAM)を含む。かようなRAMは、必要に応じて、揮発性メモリでもあり、かつ、かようなRAMは、必要に応じて、動的RAM(Dynamic  RAM:DRAM)、または静的RAM(Static  RAM:SRAM)になる。また、必要に応じて、かようなRAMは、シングルポート(single-ported)、またはマルチポート(multi-ported)RAMになる。本開示は、いかなる適切なRAMも考慮する。メモリ13704は、適切ならば、１つ以上のメモリ13704を含むことができる。たとえ本開示は、特定メモリを記述して図示しているとしても、本開示はいかなる適切なメモリも考慮する。
【０１６５】
特定の実施例において、保存所13706は、データ、またはインストラクションのための大容量保存所を含む。限定的な意味ではなく、一例として、保存所13706は、ハードディスクドライブ(HDD)、フロッピー（登録商標）ディスクドライブ、フラッシュメモリ、光学ディスク、光磁気ディスク、磁気テープ、または汎用直列バス(USB)ドライブ、またはこれらのうち、2つ以上の組合わせを含むことができる。保存所13706は、望ましくは、除去可能な、または除去不可能な(または、固定された)媒体を含むことができる。保存所13706は、望ましくは、コンピュータシステム13700の内部、または外部にあり得る。特定の実施例において、保存所13707は、不揮発性、固体状態メモリ(solid-state  memory)である。特定の実施例において、再生専用メモリ(ROM)である。望ましくは、かようなROMは、マスクプログラムされたROM(mask-programmed  ROM)、プログラマブルROM(PROM)、消去型PROM(EPROM)、電気的消去型PROM(EEPROM)、電気的変更可能ROM(electrically  alterable  ROM:EAROM)、またはフラッシュメモリ、またはこれらのうち、2つ以上の組合わせになる。本開示は、いかなる適切な物理的形態を有する大容量保存所13706も考慮する。保存所13706は、望ましくは、プロセッサ13702と保存所13706との通信を容易にする１つ以上の保存制御ユニットを含むことができる。望ましくは、保存所13706は、１つ以上の保存所13706を含むことができる。たとえ本開示が特定の保存所を記述して図示しているとしても、本開示はいかなる適切な保存所も考慮する。
【０１６６】
特定の実施例において、I/Oインターフェース13708は、コンピュータシステム13700と１つ以上のI/Oデバイスとの通信のための１つ以上のインターフェースを提供するハードウェア、ソフトウェア、またはこれら両者を含む。コンピュータシステム13700は、望ましくは、１つ以上のI/Oデバイスを含む。１つ以上のI/Oデバイスは、人とコンピュータシステム13700との通信を可能にする。限定的な意味ではなく、一例として、I/Oデバイスは、キーボード、キーパッド、マイクロホン、モニタ、マウス、プリンタ、スキャナ、スピーカ、静止カメラ、スタイラス、タブレット、タッチスクリーン、トラックボール、ビデオカメラ、さらに他の適切なI/Oデバイス、またはこれらのうち、２つ以上の組合わせを含むことができる。I/Oデバイスは、１つ以上のセンサーを含むことができる。本開示は、いかなる適切なI/Oデバイスも、いかなる適切なI/Oインターフェースも考慮する。望ましくは、I/Oインターフェース13708は、プロセッサ13702が１つ以上のI/Oデバイスを駆動することを可能にする１つ以上のデバイス、またはソフトウェアドライブを含むことができる。I/Oインターフェース13708は、望ましくは、１つ以上のI/Oインターフェースを含むことができる。たとえ本開示が特定のI/Oインターフェースを記述して図示しいているとしても、本開示は、いかなる適切なI/Oインターフェースも考慮する。
【０１６７】
特定の実施例において、通信インターフェース13710は、コンピュータシステム13700と１つ以上の他のコンピュータシステム13700、または１つ以上のネットワークとの通信(例えば、パケット基盤通信)のための１つ以上のインターフェースを提供する、ハードウェア、ソフトウェア、またはこれらをいずれもを含む。限定的な意味ではなく、一例として、通信インターフェース13710は、イーサネット（登録商標）、または他の有線基盤ネットワークとの通信のためのネットワークインターフェースコントローラ(NIC)、またはネットワークアダプタ、またはWI-FIネットワークのような無線ネットワークと通信するための無線NIC(WNIC)、または無線アダプタを含むことができる。本開示はいかなる適切なネットワーク及びいかなる適切な通信インターフェース13710でも考慮する。限定的な意味ではなく、一例として、コンピュータシステム13700は、アドホックネットワーク(adhoc  network)、パーソナルエリアネットワーク(PAN)、ローカルエリアネットワーク(LAN)、ワイドエリアネットワーク(WAN)、メトロポリタンエリアネットワーク(MAN)、ボディーエリアネットワーク(BAN)、またはインターネットの１つ以上の部分、またはそれらのうち、2つ以上の組合わせと通信することができる。これらネットワークのうち、１つ以上のネットワークの１つ以上の部分は、有線、または無線でありうる。例でば、コンピュータシステム13700は、例えば、ブルートゥースWPANのような無線PAN(WPAN)、WI-FIネットワーク、WI-MAXネットワーク、例えば、モバイル通信のためのグローバルシステムネットワーク(Global  system  for  Mobile  communication(GSM(登録商標))  network)のようなセルラーテレホンネットワーク、または他の適切な無線ネットワーク、またはこれらのうち、２つ以上の組合わせと通信することができる。コンピュータシステム13700は、必要ならば、これらネットワークのうち、あるネットワークのためのある適切な通信インターフェース13710を含むことができる。通信インターフェース13710は、望ましくは、１つ以上の通信インターフェース13710を含むことができる。たとえ本開示が特定の通信インターフェースを記述して図示しているとしても、本開示はいかなる適切な通信インターフェースも考慮する。
【０１６８】
特定の実施例において、バス13712は、コンピュータシステム13700のコンポーネントを互いに結合させるハードウェア、ソフトウェア、または両者を含む。限定的な意味ではなく、一例として、バス13712は、加速グラフィックポート(Accelerated  Graphics  Port:AGP)、または他のグラフィックバス、向上した産業標準アーキテクチャーバス(Enhanced  Industry  Standard  Architecture(EISA)  bus)、フロントサイドバス(front-side  bus(FSB))、HYPERTRANSPORT(HT)インターコネクタ、産業標準アーキテクチャーバス(Industry  Standard  Architecture(ISA)  bus)、INFINIBANDインターコネクタ、ロー・ピン-カウントバス(low-pin-count(LPC)  bus)、メモリバス、マイクロチャネルアーキテクチャーバス(Micro  Channel  Architecture(MCA)  bus)、周辺コンポーネントインターコネクタバス(Peripheral  Component  Interconnect(PCI)  bus)、PCI-エキスプレスバス(PCI-Express(PCIe)  bus)、シリアル・アドバンス・テクノロジー付着バス(Serial  Advanced  Technology  attachement(SATA)  bus)、ビデオ電子標準連合ローカルバス(Video  Electronics  Standard  Association  local(VLB)  bus)、またはさらに他の適切なバス、またはこれらのうち、2つ以上の組合わせを含むことができる。バス13712は、適切ならば１つ以上のバス13712を含むことができる。たとえ本開示が特定のバスを記述して図示しているとしても、本開示はいかなる適切なバスまたはインターコネクタをも考慮する。
【０１６９】
ここで、コンピュータ可読非一時的(non-transitory)記録媒体は、１つ以上が半導体基盤、または他の集積回路(IC)(例えば、フィールドプログラマブルゲートアレイ(field-programmable  gate  array(FPGAs))、または特殊用途集積回路(application-specificICs(ASICs)))、ハードディスクドライブ(HDD)、ハイブリッドハードドライブ(HHD)、光ディスク、光ディスクドライブ(ODDs)、光磁気ディスク、光磁気ドライブ、フロッピー（登録商標）ディスケット、フロッピー（登録商標）ディスクドライブ(FDD)、磁気テープ、固相ドライブ(SSD)、RAMドライブ、SECURE  DIGITALカード、またはドライブ、他の適切なコンピュータ可読非一時的記録媒体、またはこれらのうち、２つ以上の適切な組合わせを含むことができる。コンピュータ可読非一時的記録媒体は、揮発性、不揮発性、または揮発性と不揮発性との組合わせになる。
【０１７０】
ここで、“または”は明白に異なって表示されない限り、またはコンテキストによって異なって表示されない限り、含むという意味であり、排他的な意味ではない。したがって、ここで“AまたはB”は、明白に別途に表示されない限り、またはコンテキストによって異なって表示されない限り、“A、B、または両者”を意味する。また、“及び”は、明白に別途に表示されない限り、またはコンテキストによって異なって表示されない限り、連帯(joint  and  several)の意味である。したがって、ここで“A及びBは、明白に別途に表示されない限り、またはコンテキストによって異なって表示されない限り、“A及びB、連帯して(jointly  and  severally)”を意味する。
【０１７１】
本開示の範囲は、本技術分野の当業者が理解する、ここで記述されたり、図示された実施例に対するすべての変更、代替、変形、改造及び修正を含む。本開示の範囲は、ここで記述されたり、図示された実施例に限定されない。また、本開示が特定コンポーネント、エレメント、特徴、機能、動作、または段階を含む各実施例を記述して図示するが、かような実施例のいずれも、本技術分野の当業者が理解する、ここで記述されたり、図示された特定コンポーネント、エレメント、特徴、機能、動作、または段階のいかなる組合わせ、または置換を含むことができる。また、添付された請求項で、特定機能を行うために適応した(adapted  to)、配列された(arrangedto)、遂行することができる(capableof)、構成された(configuredto)、可能にする(enabled  to)、動作可能な(operable  to)、または動作する(operative)装置、またはシステム、または装置、またはシステムのコンポーネントは、その装置、システム、またはコンポーネントがそのように適応しており、配列されており、遂行することができ、構成され、可能になり、動作可能であり、または動作する限り、特定の機能が活性化されているか、ターンオンされているか、またはロック解除されたかに関係なく、その装置、システム、コンポーネントを含む。
【０１７２】
本開示が着用式デバイスのコンテキストで特定の構造、特徴、相互作用、及び機能性を記述するが、本開示は、かような構造、特徴、相互作用、または機能性が、望ましくは、いかなる他の適切な電子デバイス(例、スマートフォン、タブレット、カメラ、または個人コンピューティングデバイス)に適用され、かような電子デバイスのために使われ、かような電子デバイスでも使用可能であることを考慮する。
【符号の説明】
【０１７３】
１００    着用式電子デバイス
１０５    本体
１１０    円形ディスプレイ
１１５    外郭リング
１２０    バンド
１２５    カメラモジュール
２００    スタックアップ
２０５    保護ガラス
２１０    タッチ・センシティブ・レイヤ
２１５    ディスプレイ
２２０    バッテリー
２２５    プロセッシングボード
２３０    エンコーダ
２３５    外郭リング
２４０    バンド
２４５    基台
２５０    内部コネクタ
２５５    光学感知モジュール
【図１】
2014102840.tif 000003
【図２】
2014102840.tif 000004
【図３Ａ】
2014102840.tif 000005
【図３Ｂ】
2014102840.tif 000006
【図３Ｃ】
2014102840.tif 000007
【図３Ｄ】
2014102840.tif 000008
【図３Ｅ】
2014102840.tif 000009
【図４Ａ】
2014102840.tif 000010
【図４Ｂ】
2014102840.tif 000011
【図４Ｃ】
2014102840.tif 000012
【図５Ａ】
2014102840.tif 000013
【図５Ｂ】
2014102840.tif 000014
【図５Ｃ】
2014102840.tif 000015
【図５Ｄ】
2014102840.tif 000016
【図５Ｅ】
2014102840.tif 000017
【図５Ｆ】
2014102840.tif 000018
【図６Ａ】
2014102840.tif 000019
【図６Ｂ】
2014102840.tif 000020
【図６Ｃ】
2014102840.tif 000021
【図７Ａ】
2014102840.tif 000022
【図７Ｂ】
2014102840.tif 000023
【図７Ｃ】
2014102840.tif 000024
【図７Ｄ】
2014102840.tif 000025
【図８Ａ】
2014102840.tif 000026
【図８Ｂ】
2014102840.tif 000027
【図８Ｃ】
2014102840.tif 000028
【図９】
2014102840.tif 000029
【図１０】
2014102840.tif 000030
【図１１】
2014102840.tif 000031
【図１２Ａ】
2014102840.tif 000032
【図１２Ｂ】
2014102840.tif 000033
【図１３Ａ】
2014102840.tif 000034
【図１３Ｂ】
2014102840.tif 000035
【図１３Ｃ】
2014102840.tif 000036
【図１３Ｄ】
2014102840.tif 000037
【図１３Ｅ】
2014102840.tif 000038
【図１３Ｆ】
2014102840.tif 000039
【図１３Ｇ】
2014102840.tif 000040
【図１３Ｈ】
2014102840.tif 000041
【図１３Ｉ】
2014102840.tif 000042
【図１４Ａ】
2014102840.tif 000043
【図１４Ｂ】
2014102840.tif 000044
【図１４Ｃ】
2014102840.tif 000045
【図１４Ｄ】
2014102840.tif 000046
【図１５】
2014102840.tif 000047
【図１６】
2014102840.tif 000048
【図１７】
2014102840.tif 000049
【図１８Ａ】
2014102840.tif 000050
【図１８Ｂ】
2014102840.tif 000051
【図１９】
2014102840.tif 000052
【図２０Ａ】
2014102840.tif 000053
【図２０Ｂ】
2014102840.tif 000054
【図２０Ｃ】
2014102840.tif 000055
【図２１Ａ】
2014102840.tif 000056
【図２１Ｂ】
2014102840.tif 000057
【図２２Ａ】
2014102840.tif 000058
【図２２Ｂ】
2014102840.tif 000059
【図２３】
2014102840.tif 000060
【図２４】
2014102840.tif 000061
【図２５Ａ】
2014102840.tif 000062
【図２５Ｂ】
2014102840.tif 000063
【図２５Ｃ】
2014102840.tif 000064
【図２５Ｄ】
2014102840.tif 000065
【図２５Ｅ】
2014102840.tif 000066
【図２６】
2014102840.tif 000067
【図２７】
2014102840.tif 000068
【図２８】
2014102840.tif 000069
【図２９】
2014102840.tif 000070
【図３０】
2014102840.tif 000071
【図３１】
2014102840.tif 000072
【図３２】
2014102840.tif 000073
【図３３】
2014102840.tif 000074
【図３４】
2014102840.tif 000075
【図３５】
2014102840.tif 000076
【図３６】
2014102840.tif 000077
【図３７】
2014102840.tif 000078
【図３８】
2014102840.tif 000079
【図３９】
2014102840.tif 000080
【図４０】
2014102840.tif 000081
【図４１】
2014102840.tif 000082
【図４２】
2014102840.tif 000083
【図４３】
2014102840.tif 000084
【図４４】
2014102840.tif 000085
【図４５】
2014102840.tif 000086
【図４６】
2014102840.tif 000087
【図４７】
2014102840.tif 000088
【図４８】
2014102840.tif 000089
【図４９】
2014102840.tif 000090
【図５０】
2014102840.tif 000091
【図５１】
2014102840.tif 000092
【図５２】
2014102840.tif 000093
【図５３】
2014102840.tif 000094
【図５４】
2014102840.tif 000095
【図５５】
2014102840.tif 000096
【図５６】
2014102840.tif 000097
【図５７】
2014102840.tif 000098
【図５８】
2014102840.tif 000099
【図５９】
2014102840.tif 000100
【図６０】
2014102840.tif 000101
【図６１】
2014102840.tif 000102
【図６２】
2014102840.tif 000103
【図６３】
2014102840.tif 000104
【図６４】
2014102840.tif 000105
【図６５】
2014102840.tif 000106
【図６６】
2014102840.tif 000107
【図６７】
2014102840.tif 000108
【図６８】
2014102840.tif 000109
【図６９】
2014102840.tif 000110
【図７０】
2014102840.tif 000111
【図７１】
2014102840.tif 000112
【図７２】
2014102840.tif 000113
【図７３】
2014102840.tif 000114
【図７４】
2014102840.tif 000115
【図７５】
2014102840.tif 000116
【図７６】
2014102840.tif 000117
【図７７】
2014102840.tif 000118
【図７８】
2014102840.tif 000119
【図７９】
2014102840.tif 000120
【図８０】
2014102840.tif 000121
【図８１】
2014102840.tif 000122
【図８２】
2014102840.tif 000123
【図８３】
2014102840.tif 000124
【図８４】
2014102840.tif 000125
【図８５】
2014102840.tif 000126
【図８６】
2014102840.tif 000127
【図８７】
2014102840.tif 000128
【図８８】
2014102840.tif 000129
【図８９】
2014102840.tif 000130
【図９０】
2014102840.tif 000131
【図９１】
2014102840.tif 000132
【図９２】
2014102840.tif 000133
【図９３Ａ】
2014102840.tif 000134
【図９３Ｂ】
2014102840.tif 000135
【図９４Ａ】
2014102840.tif 000136
【図９４Ｂ】
2014102840.tif 000137
【図９４Ｃ】
2014102840.tif 000138
【図９５Ａ】
2014102840.tif 000139
【図９５Ｂ】
2014102840.tif 000140
【図９５Ｃ】
2014102840.tif 000141
【図９５Ｄ】
2014102840.tif 000142
【図９６Ａ】
2014102840.tif 000143
【図９６Ｂ】
2014102840.tif 000144
【図９７】
2014102840.tif 000145
【図９８Ａ】
2014102840.tif 000146
【図９８Ｂ】
2014102840.tif 000147
【図９８Ｃ】
2014102840.tif 000148
【図９８Ｄ】
2014102840.tif 000149
【図９８Ｅ】
2014102840.tif 000150
【図９８Ｆ】
2014102840.tif 000151
【図９８Ｇ】
2014102840.tif 000152
【図９９】
2014102840.tif 000153
【図１００Ａ】
2014102840.tif 000154
【図１００Ｂ】
2014102840.tif 000155
【図１００Ｃ】
2014102840.tif 000156
【図１０１Ａ】
2014102840.tif 000157
【図１０１Ｂ】
2014102840.tif 000158
【図１０２Ａ】
2014102840.tif 000159
【図１０２Ｂ】
2014102840.tif 000160
【図１０２Ｃ】
2014102840.tif 000161
【図１０２Ｄ】
2014102840.tif 000162
【図１０３Ａ】
2014102840.tif 000163
【図１０３Ｂ】
2014102840.tif 000164
【図１０３Ｃ】
2014102840.tif 000165
【図１０３Ｄ】
2014102840.tif 000166
【図１０４】
2014102840.tif 000167
【図１０５Ａ】
2014102840.tif 000168
【図１０５Ｂ】
2014102840.tif 000169
【図１０５Ｃ】
2014102840.tif 000170
【図１０５Ｄ】
2014102840.tif 000171
【図１０６Ａ】
2014102840.tif 000172
【図１０６Ｂ】
2014102840.tif 000173
【図１０６Ｃ】
2014102840.tif 000174
【図１０７Ａ】
2014102840.tif 000175
【図１０７Ｂ】
2014102840.tif 000176
【図１０７Ｃ】
2014102840.tif 000177
【図１０８】
2014102840.tif 000178
【図１０９Ａ】
2014102840.tif 000179
【図１０９Ｂ】
2014102840.tif 000180
【図１０９Ｃ】
2014102840.tif 000181
【図１１０Ａ】
2014102840.tif 000182
【図１１０Ｂ】
2014102840.tif 000183
【図１１１Ａ】
2014102840.tif 000184
【図１１１Ｂ】
2014102840.tif 000185
【図１１１Ｃ】
2014102840.tif 000186
【図１１２】
2014102840.tif 000187
【図１１３Ａ】
2014102840.tif 000188
【図１１３Ｂ】
2014102840.tif 000189
【図１１３Ｃ】
2014102840.tif 000190
【図１１４Ａ】
2014102840.tif 000191
【図１１４Ｂ】
2014102840.tif 000192
【図１１５Ａ】
2014102840.tif 000193
【図１１５Ｂ】
2014102840.tif 000194
【図１１６Ａ】
2014102840.tif 000195
【図１１６Ｂ】
2014102840.tif 000196
【図１１７Ａ】
2014102840.tif 000197
【図１１７Ｂ】
2014102840.tif 000198
【図１１８Ａ】
2014102840.tif 000199
【図１１８Ｂ】
2014102840.tif 000200
【図１１８Ｃ】
2014102840.tif 000201
【図１１９Ａ】
2014102840.tif 000202
【図１１９Ｂ】
2014102840.tif 000203
【図１１９Ｃ】
2014102840.tif 000204
【図１２０Ａ】
2014102840.tif 000205
【図１２０Ｂ】
2014102840.tif 000206
【図１２０Ｃ】
2014102840.tif 000207
【図１２１Ａ】
2014102840.tif 000208
【図１２１Ｂ】
2014102840.tif 000209
【図１２２】
2014102840.tif 000210
【図１２３】
2014102840.tif 000211
【図１２４】
2014102840.tif 000212
【図１２５】
2014102840.tif 000213
【図１２６】
2014102840.tif 000214
【図１２７】
2014102840.tif 000215
【図１２８】
2014102840.tif 000216
【図１２９Ａ】
2014102840.tif 000217
【図１２９Ｂ】
2014102840.tif 000218
【図１２９Ｃ】
2014102840.tif 000219
【図１２９Ｄ】
2014102840.tif 000220
【図１３０】
2014102840.tif 000221
【図１３１Ａ】
2014102840.tif 000222
【図１３１Ｂ】
2014102840.tif 000223
【図１３１Ｃ】
2014102840.tif 000224
【図１３１Ｄ】
2014102840.tif 000225
【図１３２】
2014102840.tif 000226
【図１３３】
2014102840.tif 000227
【図１３４】
2014102840.tif 000228
【図１３５】
2014102840.tif 000229
【図１３６】
2014102840.tif 000230
【図１３７】
2014102840.tif 000231